(57)【要約】  本発明の実施形態は通信分野に関し、複数の専用シグナリングを用いてシステム情報を送信することで生じるネットワークの時間−周波数リソースの浪費という問題を解決するために、システム情報を送信するための方法及びデバイスを提供する。本方法は以下の通りである。すなわち、ＵＥにより送信される、第１のシステム情報を要求するのに用いられるシステム情報要求をネットワーク側デバイスが受信した場合、ネットワーク側デバイスは、第１のシステム情報を要求するＵＥに第１のシステム情報をマルチキャスト方式で送信するために、第１のシステム情報を要求するＵＥにグループ識別子又はグループ識別子及び時間−周波数リソースを送信してよく、又はネットワーク側デバイスは第１のシステム情報をブロードキャストする。本発明の実施形態は、Ｏｎ−ｄｅｍａｎｄ  ＳＩをＵＥに送信するネットワーク側デバイスに用いられる。
2019525616.tif 000002
【特許請求の範囲】
【請求項１】
システム情報を送信するための方法であって、
システム情報要求をネットワーク側デバイスにユーザ機器が送信する段階であって、前記システム情報要求は第１のシステム情報を前記ネットワーク側デバイスから取得するよう要求するのに用いられる、段階と、
前記ネットワーク側デバイスによりブロードキャストされる前記第１のシステム情報を前記ユーザ機器が受信する段階と
を備える、方法。
【請求項２】
前記方法は、前記ネットワーク側デバイスにより送信されるブロードキャストメッセージを前記ユーザ機器が受信する段階を備え、前記ブロードキャストメッセージは、オンデマンドシステム情報のインジケーション情報を含み、前記インジケーション情報は前記第１のシステム情報のインジケーション情報を含み、
前記インジケーション情報は前記システム情報のインデックスを含むか、又は前記インジケーション情報は前記システム情報のインデックス及びバリュータグを含むか、又は前記インジケーション情報は前記システム情報のインデックス及びバリュータグ並びに少なくとも２つのシステム情報の共通バリュータグを含み、前記バリュータグは、前記システム情報の内容が変わったかどうかを前記ユーザ機器が判定するのに用いられる、又は、
前記インジケーション情報はビットマップを含み、前記ユーザ機器がシステム情報要求を送信することによって各ビットに対応するシステム情報を取得する必要があるかどうかを示すのに、前記ビットマップ内の各ビットの値が用いられる、請求項１に記載の方法。
【請求項３】
前記方法は、前記ネットワーク側デバイスにより送信されるブロードキャストメッセージを前記ユーザ機器が受信する段階を備え、前記ブロードキャストメッセージはオンデマンドシステム情報のインジケーション情報を含み、前記インジケーション情報は前記第１のシステム情報のインジケーション情報を含み、前記インジケーション情報は、前記ユーザ機器がシステム情報要求を送信してシステム情報を取得する必要があるかどうかを示すのに用いられる、請求項１に記載の方法。
【請求項４】
前記インジケーション情報はビットマップを含み、前記ビットマップは少なくとも１つのビットを含み、前記ビットマップ内の各ビットの値が、前記ユーザ機器がシステム情報要求を送信することによって各ビットに対応するシステム情報を取得する必要があるかどうかを示す、請求項３に記載の方法。
【請求項５】
前記ブロードキャストメッセージはさらに、システム情報の１つ若しくは複数の時間−周波数リソース又は１つ若しくは複数の送信機会を含み、
前記ネットワーク側デバイスによりブロードキャストされる前記第１のシステム情報を前記ユーザ機器が受信する前記段階は、
前記１つ若しくは複数の時間−周波数リソース又は前記１つ若しくは複数の送信機会に基づいて、前記ネットワーク側デバイスによりブロードキャストされる前記第１のシステム情報を前記ユーザ機器が受信する段階を有する、請求項２から４のいずれか一項に記載の方法。
【請求項６】
前記ブロードキャストメッセージはさらに、前記システム情報の監視期間を含み、
前記方法はさらに、
前記ユーザ機器が前記第１のシステム情報を前記監視期間内に受信しなかった場合、前記システム情報要求を前記ネットワーク側デバイスに前記ユーザ機器が送信する段階を備える、請求項２から５のいずれか一項に記載の方法。
【請求項７】
前記システム情報要求はビットマップを含み、前記ビットマップ内の１つのビットが、前記第１のシステム情報を要求する必要があることを示す、請求項１に記載の方法。
【請求項８】
前記システム情報要求を送信した後に、前記ユーザ機器は、前記第１のシステム情報の１つ若しくは複数の周期的な時間−周波数リソース又は１つ若しくは複数の周期的な送信機会のうち最も近い時間−周波数リソース又は最も近い送信機会において、前記第１のシステム情報を受信する、請求項１から７のいずれか一項に記載の方法。
【請求項９】
前記第１のシステム情報は前記第１のシステム情報に適用される有効時間を含む、請求項１から８のいずれか一項に記載の方法。
【請求項１０】
システム情報要求をネットワーク側デバイスにユーザ機器が送信する前記段階の前に、前記ユーザ機器が、次に受信される前記第１のシステム情報の時間−周波数リソース又は次に受信される前記第１のシステム情報の送信機会において、前記第１のシステム情報を受信しない段階をさらに備える、請求項１から９のいずれか一項に記載の方法。
【請求項１１】
システム情報を送信するための方法であって、
ユーザ機器により送信されるシステム情報要求をネットワーク側デバイスが受信する段階であって、前記システム情報要求は、第１のシステム情報を前記ネットワーク側デバイスから取得するよう要求するのに用いられる、段階と、
前記第１のシステム情報を前記ネットワーク側デバイスがブロードキャストする段階と
を備える、方法。
【請求項１２】
前記方法は、ブロードキャストメッセージを前記ネットワーク側デバイスが送信する段階であって、前記ブロードキャストメッセージはオンデマンドシステム情報のインジケーション情報を含み、前記インジケーション情報は前記第１のシステム情報のインジケーション情報を含む、段階を備え、
前記インジケーション情報は前記システム情報のインデックスを含むか、又は前記インジケーション情報は前記システム情報のインデックス及びバリュータグを含むか、又は前記インジケーション情報は前記システム情報のインデックス及びバリュータグ並びに少なくとも２つのシステム情報の共通バリュータグを含み、前記バリュータグは、前記システム情報の内容が変わったかどうかを前記ユーザ機器が判定するのに用いられる、又は、
前記インジケーション情報はビットマップを含み、前記ユーザ機器がシステム情報要求を送信することによって各ビットに対応するシステム情報を取得する必要があるかどうかを示すのに、前記ビットマップ内の各ビットの値が用いられる、請求項１１に記載の方法。
【請求項１３】
前記方法は、ブロードキャストメッセージを前記ネットワーク側デバイスが送信する段階を備え、前記ブロードキャストメッセージはオンデマンドシステム情報のインジケーション情報を含み、前記インジケーション情報は前記第１のシステム情報のインジケーション情報を含み、前記インジケーション情報は、前記ユーザ機器がシステム情報要求を送信して前記システム情報を取得する必要があるかどうかを示すのに用いられる、請求項１１に記載の方法。
【請求項１４】
前記インジケーション情報はビットマップを含み、前記ビットマップは少なくとも１つのビットを含み、前記ビットマップ内の各ビットの値が、前記ユーザ機器がシステム情報要求を送信することによって各ビットに対応するシステム情報を取得する必要があるかどうかを示す、請求項１３に記載の方法。
【請求項１５】
前記ブロードキャストメッセージは、システム情報の１つ若しくは複数の時間−周波数リソース又は１つ若しくは複数の送信機会を含み、前記１つ若しくは複数の時間−周波数リソース又は前記１つ若しくは複数の送信機会において前記システム情報を取得するよう前記ユーザ機器に指示するのに用いられる、請求項１１から１４のいずれか一項に記載の方法。
【請求項１６】
前記ブロードキャストメッセージは前記システム情報の監視期間を含み、
１つのケースとして、前記ユーザ機器が前記システム情報を前記監視期間内に受信した場合、前記ユーザ機器は前記システム情報を保存する、又は、
別のケースとして、前記ユーザ機器が前記システム情報を前記監視期間内に受信しなかった場合、前記ユーザ機器は、前記システム情報をブロードキャストするよう前記ネットワーク側デバイスに要求する、請求項１１から１４のいずれか一項に記載の方法。
【請求項１７】
ブロードキャストされた１つ若しくは複数の周期的な時間−周波数リソース又はブロードキャストされた１つ若しくは複数の周期的な送信機会から最も近い時間−周波数リソース又は最も近い送信機会を前記ネットワーク側デバイスが選択して、前記第１のシステム情報をブロードキャストする段階を備える、請求項１１から１６のいずれか一項に記載の方法。
【請求項１８】
前記第１のシステム情報は前記第１のシステム情報に適用される有効時間を含む、請求項１１から１７のいずれか一項に記載の方法。
【請求項１９】
メモリと、送受信機と少なくとも１つのプロセッサとを備えるユーザ機器であって、
前記メモリは命令を格納し、前記メモリと、前記送受信機と、前記少なくとも１つのプロセッサとは回路を用いて相互接続され、前記送受信機は、請求項１から１０のいずれか一項に記載の方法における、前記ユーザ機器による情報の送受信のオペレーションを行うように構成され、
前記少なくとも１つのプロセッサは、前記メモリに格納された前記命令を呼び出し、請求項１から１０のいずれか一項に記載の方法における、前記ユーザ機器により行われる処理オペレーションを実行する、ユーザ機器。
【請求項２０】
メモリと、送受信機と少なくとも１つのプロセッサとを備えるネットワーク側デバイスであって、
前記メモリは命令を格納し、前記メモリと、前記送受信機と、前記少なくとも１つのプロセッサとはケーブルを用いて相互接続され、前記送受信機は、請求項１１から１８のいずれか一項に記載の方法における、前記ネットワーク側デバイスによる情報の送受信のオペレーションを行うように構成され、
前記少なくとも１つのプロセッサは、前記メモリに格納された前記命令を呼び出し、請求項１１から１８のいずれか一項に記載の方法における、前記ネットワーク側デバイスにより行われる処理オペレーションを実行する、ネットワーク側デバイス。
【請求項２１】
ユーザ機器に適用され、少なくとも１つのプロセッサと、メモリと、インタフェース回路とを備えるチップシステムであって、
前記インタフェース回路は前記チップシステムと外部システムとの間の情報交換を担当し、前記メモリと、前記インタフェース回路と、前記少なくとも１つのプロセッサとはケーブルを用いて相互接続され、前記少なくとも１つのメモリは命令を格納し、前記命令は、前記少なくとも１つのプロセッサによって実行され、請求項１から１０のいずれか一項に記載の方法における前記ユーザ機器のオペレーションを行う、チップシステム。
【請求項２２】
ネットワーク側デバイスに適用され、少なくとも１つのプロセッサと、メモリと、インタフェース回路とを備えるチップシステムであって、
前記インタフェース回路は前記チップシステムと外部システムとの間の情報交換を担当し、前記メモリと、前記インタフェース回路と、前記少なくとも１つのプロセッサとはケーブルを用いて相互接続され、前記少なくとも１つのメモリは命令を格納し、前記命令は、前記少なくとも１つのプロセッサによって実行され、請求項１１から１８のいずれか一項に記載の方法における前記ネットワーク側デバイスのオペレーションを行う、チップシステム。
【請求項２３】
ユーザ機器に適用されるコンピュータ可読記憶媒体であって、前記コンピュータ可読記憶媒体は命令を格納し、前記命令は、演算処理デバイス上で実行され、請求項１から１０のいずれか一項に記載の方法における前記ユーザ機器のオペレーションを行う、コンピュータ可読記憶媒体。
【請求項２４】
ネットワーク側デバイスに適用されるコンピュータ可読記憶媒体であって、前記コンピュータ可読記憶媒体は命令を格納し、前記命令は、演算処理デバイス上で実行され、請求項１から１８のいずれか一項に記載の方法における前記ネットワーク側デバイスのオペレーションを行う、コンピュータ可読記憶媒体。
【請求項２５】
ネットワーク側デバイス及び／又はユーザ機器を備える通信システムであって、
前記ネットワーク側デバイスは請求項２０に記載のネットワーク側デバイスであり、前記ユーザ機器は請求項１９に記載のユーザ機器である、通信システム。
【請求項２６】
ユーザ機器に適用されるコンピュータプログラム製品であって、
前記コンピュータプログラム製品は一連の命令を含み、前記命令は、請求項１から１０のいずれか一項に記載の方法における前記ユーザ機器のオペレーションを行うように実行される、コンピュータプログラム製品。
【請求項２７】
ネットワーク側デバイスに適用されるコンピュータプログラム製品であって、
前記コンピュータプログラム製品は一連の命令を含み、前記命令は、請求項１１から１８のいずれか一項に記載の方法における前記ネットワーク側デバイスのオペレーションを行うように実行される、コンピュータプログラム製品。
【発明の詳細な説明】
【技術分野】
【０００１】
本出願は、２０１６年８月９日に中国特許庁に出願された「システム情報を送信するための方法及びデバイス（ＭＥＴＨＯＤ  ＡＮＤ  ＤＥＶＩＣＥ  ＦＯＲ  ＳＥＮＤＩＮＧ  ＳＹＳＴＥＭ  ＩＮＦＯＲＭＡＴＩＯＮ）」と題する中国特許出願第２０１６１０６４９５８７．８号の優先権を主張し、当該中国特許出願はその全体が参照により本明細書に組み込まれる。
【０００２】
本発明は通信分野に関し、具体的には、システム情報を送信するための方法及びデバイスに関する。
【背景技術】
【０００３】
ユーザ機器（Ｕｓｅｒ  Ｅｑｕｉｐｍｅｎｔ、ＵＥ）がセルサーチを行った後に、ＵＥはダウンリンクにおいてセルと同期し、セルの物理セルＩＤ（Ｐｈｙｓｉｃａｌ  Ｃｅｌｌ  ＩＤ、ＰＣＩ）を取得し、フレームのタイムスロットを検出し得る。ＵＥは次に、セルにアクセスしてセル内で適切に機能するために、セルのシステム情報（Ｓｙｓｔｅｍ  Ｉｎｆｏｒｍａｔｉｏｎ）を取得する必要がある。システム情報はセルレベルの情報である。言い換えれば、システム情報はセルにアクセスする全てのＵＥに適用される。
【０００４】
一般に、システム情報は２つのタイプに分類され得る。一方は、ｉｍｐｏｒｔａｎｔ（重要）システム情報（Ｓｙｓｔｅｍ  Ｉｎｆｏｒｍａｔｉｏｎ、ＳＩ）であり、もう一方は要求に応じて送信されるシステム情報（Ｏｎ−ｄｅｍａｎｄ  ＳＩ）である。重要システム情報は、ネットワーク側によって周期的にブロードキャストされ得る。このタイプのシステム情報は、マスター情報ブロック（Ｍａｓｔｅｒ  Ｉｎｆｏｒｍａｔｉｏｎ  Ｂｌｏｃｋ、ＭＩＢ）、アクセス情報、及び禁止情報、又はキャンプセルに関連した情報などであり、ＵＥがアイドルモードで取得しなければならず、又はＵＥがセルにアクセスするときに用いる必要がある。Ｏｎ−ｄｅｍａｎｄ  ＳＩは、ネットワーク側によって比較的長い周期でブロードキャストされてよく、又は周期的にブロードキャストされなくてもよいがＵＥの要求に応じて送信される。このタイプのシステム情報は、例えば、ブロードキャストマルチキャストサービス（Ｂｒｏａｄｃａｓｔ  Ｍｕｌｔｉｃａｓｔ  Ｓｅｒｖｉｃｅ、ＭＢＭＳ）に関連したシステム情報であり、具体的には、専用シグナリングを用いてＵＥに送信され得る。
【０００５】
言い換えれば、ネットワーク側は、ｉｍｐｏｒｔａｎｔ  ＳＩだけを積極的にブロードキャストする。ＵＥがＯｎ−ｄｅｍａｎｄ  ＳＩを取得する必要がある場合、ＵＥは、必要なＳＩ情報を搬送する要求をネットワーク側に送信する。その後、ネットワーク側は、専用シグナリングを用いてＯｎ−ｄｅｍａｎｄ  ＳＩをＵＥに通知する。このようにして、ネットワーク側は、ＵＥの要求に従ってＯｎ−ｄｅｍａｎｄ  ＳＩをブロードキャストする。こうして、共通リソースの利用率が改善され、ＵＥ側の電力消費が削減され得る。しかしながら、複数のＵＥが同じＯｎ−ｄｅｍａｎｄ  ＳＩを同時に要求し、必要なＯｎ−ｄｅｍａｎｄ  ＳＩを複数のＵＥのそれぞれに搬送する専用シグナリングを送信するためにネットワーク側がネットワークのより多くの時間−周波数リソースを占有すると、ネットワークの時間−周波数リソースの浪費が生じる。
【発明の概要】
【０００６】
複数の専用シグナリングを用いてシステム情報を送信することで生じるネットワークの時間−周波数リソースの浪費という問題を解決するために、本発明の実施形態がシステム情報を送信するための方法及びデバイスを提供する。
【０００７】
第１の態様が、システム情報を送信するための方法を提供する。本方法は、ユーザ機器ＵＥにより送信されるシステム情報要求をネットワーク側デバイスが受信する段階であって、システム情報要求は第１のシステム情報をネットワーク側デバイスから取得するよう要求するのに用いられる、段階と、グループ識別子をＵＥにネットワーク側デバイスが送信するか、又はグループ識別子と第１のシステム情報の時間−周波数リソースとをＵＥにネットワーク側デバイスが送信する段階と、第１のシステム情報をＵＥにネットワーク側デバイスが送信する段階とを含む。ネットワーク側デバイスは基地局であってよい。ＵＥが基地局により送信されるグループ識別子（Ｇｒｏｕｐ  ＩＤ）又はＧｒｏｕｐ  ＩＤ及び時間−周波数リソースを受信した場合、ＵＥはＧｒｏｕｐ  ＩＤを用いて時間−周波数リソースのスクランブルを解除し得る。基地局は、第１のシステム情報を要求するＵＥに第１のシステム情報をマルチキャスト方式で送信し得る。このようにして、複数のＵＥが第１のシステム情報を要求した場合、基地局は専用シグナリングを用いて第１のシステム情報を各ＵＥに送信する必要はなく、マルチキャスト方式で第１のシステム情報を送信し得る。専用シグナリングを用いて第１のシステム情報を送信する方式と比較すると、マルチキャスト方式はネットワークの時間−周波数リソースを節約し得る。
【０００８】
実行可能な設計において、本方法はさらに、第１のブロードキャストメッセージをネットワーク側デバイスが送信する段階を含む。第１のブロードキャストメッセージは、オンデマンドシステム情報のインジケーション情報を含み、インジケーション情報は第１のシステム情報のインジケーション情報を含む。例えば、基地局は第１のブロードキャストメッセージを周期的に送信し得るので、基地局の対象セルに新たに加わったＵＥがＯｎ−ｄｅｍａｎｄ  ＳＩのインジケーション情報を遅滞なく受信し、ＵＥがＯｎ−ｄｅｍａｎｄ  ＳＩを必要とするときに、任意のＯｎ−ｄｅｍａｎｄ  ＳＩを基地局にさらに要求することができる。
【０００９】
実行可能な設計において、インジケーション情報はシステム情報のインデックスを含むか、又はインジケーション情報はシステム情報のインデックス及びバリュータグ（Ｖａｌｕｅ  Ｔａｇ、ＶＴ）を含むか、又はインジケーション情報はシステム情報のインデックス及びバリュータグ並びに少なくとも２つのシステム情報の共通バリュータグを含む。バリュータグは、システム情報の内容が変わったかどうかをＵＥが判定するのに用いられる。言い換えれば、ＵＥは、基地局により送信されるシステム情報内のＶＴをＵＥが保存しているシステム情報のＶＴと比較して、システム情報の内容を更新するかどうかを判定し得る。
【００１０】
実行可能な設計において、インジケーション情報はビットマップ（ｂｉｔｍａｐ）を含み、ＵＥがシステム情報要求を送信することによって各ビットに対応するシステム情報を取得する必要があるかどうかを示すのに、ビットマップ内の各ビットの値が用いられる。例えば、ビットマップ内の各ビットに対応する値が００１１であり、ＵＥがシステム情報要求を送信して対応するＳＩを基地局から取得する必要はないことを０が示しており、ＵＥがシステム情報要求を送信して対応するＳＩを基地局から取得する必要があることを１が示している。
【００１１】
実行可能な設計において、システム情報要求は第１のシステム情報のインデックスを含むか、又はシステム情報要求は第１のシステム情報のインデックス及びバリュータグを含む。システム情報要求がＶＴを含む場合、基地局は、受信したシステム情報要求内のＶＴを基地局側に保存された第１のシステム情報のＶＴと比較して、第１のシステム情報をＵＥに送信するかどうかを判定し得る。
【００１２】
実行可能な設計において、システム情報要求が第１のシステム情報のインデックス及びバリュータグを含む場合、グループ識別子をＵＥにネットワーク側デバイスが送信するか、又はグループ識別子と第１のシステム情報の時間−周波数リソースとをＵＥにネットワーク側デバイスが送信する段階の前に、本方法はさらに、ＵＥにより送信される第１のシステム情報のバリュータグとネットワーク側デバイスが保存している第１のシステム情報のバリュータグとが同じであるかどうかをネットワーク側デバイスが判定する段階と、これらのバリュータグが異なると判定された場合、第１のシステム情報の内容が更新されていることをネットワーク側デバイスが判定する段階とを含む。こうして、ネットワークリソースを節約することができ、システム情報は繰り返し送信されない。
【００１３】
実行可能な設計において、本方法はさらに、これらのバリュータグが同じであると判定された場合、ＵＥが保存している第１のシステム情報を引き続き用いるようＵＥに指示するために、確認応答ＡＣＫメッセージをＵＥにネットワーク側デバイスが送信する段階を含む。
【００１４】
実行可能な設計において、グループ識別子をＵＥにネットワーク側デバイスが送信する段階は、グループ識別子と時間−周波数リソースとの間の対応関係をＵＥのためにネットワーク側デバイスが事前設定する段階と、第１のシステム情報を要求するＵＥに専用シグナリングをネットワーク側デバイスが送信する段階とを含む。専用シグナリングは、グループ識別子に対応する時間−周波数リソースを対応関係に従って取得し、次いで第１のシステム情報を受信するようＵＥに指示するために、グループ識別子を含む。グループ識別子と第１のシステム情報の時間−周波数リソースとをＵＥにネットワーク側デバイスが送信する段階は、第１のシステム情報を要求するＵＥに専用シグナリングをネットワーク側デバイスが送信する段階であって、専用シグナリングは、グループ識別子及び時間−周波数リソースを用いて第１のシステム情報を受信するようＵＥに指示するために、グループ識別子と第１のシステム情報の時間−周波数リソースとを含む、段階か、又は第１のシステム情報を要求するＵＥにグループ識別子を含む専用シグナリングをネットワーク側デバイスが送信し、第２のブロードキャストメッセージをＵＥに送信する段階であって、第２のブロードキャストメッセージは、グループ識別子及び時間−周波数リソースを用いて第１のシステム情報を受信するようＵＥに指示するために、第１のシステム情報の時間−周波数リソースを含む、段階を含む。言い換えれば、基地局は専用シグナリングを用いてＧｒｏｕｐ  ＩＤをＵＥに送信し、専用シグナリングを用いて又はブロードキャスト方式で時間−周波数リソースをＵＥに送信してよく、又はＵＥはＧｒｏｕｐ  ＩＤと時間−周波数リソースとの間の対応関係に従って時間−周波数リソースを取得してよい。
【００１５】
実行可能な設計において、要求に応じて送信される各システム情報は１つのグループ識別子に対応するか、又は要求に応じて送信される少なくとも２つのシステム情報は同じ共通クループ識別子に対応する。第１のシステム情報は第１のシステム情報のインデックスを含むか、又は第１のシステム情報のインデックス及びバリュータグを含むか、又は第１のシステム情報のインデックス及びバリュータグ並びに少なくとも２つのシステム情報の共通バリュータグを含む。第１のシステム情報はさらに、第１のシステム情報に適用される有効時間を含み得る。有効時間は、第１のシステム情報を取得する有効時間が終了した場合、第１のシステム情報の内容をネットワーク側デバイスから再取得するようＵＥに指示するのに用いられる。
【００１６】
実行可能な設計において、本方法はさらに、ページング周期に基づいてページングメッセージをＵＥにネットワーク側デバイスが送信する段階を含む。ページングメッセージは、最後に更新された第１のシステム情報をページングメッセージに基づいて取得するようＵＥに指示するのに用いられる。ページングメッセージは、ネットワーク側デバイスによって最後に更新された第１のシステム情報の内容、第１のシステム情報のバリュータグ、又は第１のシステム情報の時間−周波数リソースのうちの少なくとも１つを含む。ページングメッセージは、第１のシステム情報が共通バリュータグに対応する場合、さらに共通バリュータグを含む。Ｇｒｏｕｐ  ＩＤとページング周期の間の対応関係が、ＵＥに設定されてよい。ＵＥは、ページングメッセージに基づいて第１のシステム情報又は第１のシステム情報の時間−周波数リソースを更新するために、ページング周期に到達すると起動し、基地局により送信されるページングメッセージを受信する。
【００１７】
第２の態様が、システム情報を送信するための方法を提供する。本方法は、システム情報要求をネットワーク側デバイスにユーザ機器ＵＥが送信する段階であって、システム情報要求は第１のシステム情報をネットワーク側デバイスから取得するよう要求するのに用いられる、段階と、ネットワーク側デバイスにより送信されるグループ識別子をＵＥが受信するか、又はネットワーク側デバイスにより送信されるグループ識別子と第１のシステム情報の時間−周波数リソースとをＵＥが受信する段階と、グループ識別子と取得された第１のシステム情報の時間−周波数リソースとに基づいて、ネットワーク側デバイスにより送信される第１のシステム情報をＵＥが受信する段階とを含む。
【００１８】
実行可能な設計において、システム情報要求をＵＥが送信する段階の前に、本方法はさらに、ネットワーク側デバイスにより送信される第１のブロードキャストメッセージをＵＥが受信する段階を含む。第１のブロードキャストメッセージはオンデマンドシステム情報のインジケーション情報を含み、インジケーション情報は第１のシステム情報のインジケーション情報を含む。
【００１９】
実行可能な設計において、インジケーション情報はシステム情報のインデックスを含むか、又はインジケーション情報はシステム情報のインデックス及びバリュータグを含むか、又はインジケーション情報はシステム情報のインデックス及びバリュータグ並びに少なくとも２つのシステム情報の共通バリュータグを含む。バリュータグは、システム情報の内容が変わったかどうかをＵＥが判定するのに用いられる。
【００２０】
実行可能な設計において、インジケーション情報はビットマップを含み、ＵＥがシステム情報要求を送信することによって各ビットに対応するシステム情報を取得する必要があるかどうかを示すのに、ビットマップ内の各ビットの値が用いられる。
【００２１】
実行可能な設計において、システム情報要求は第１のシステム情報のインデックスを含むか、又はシステム情報要求は第１のシステム情報のインデックス及びバリュータグを含む。
【００２２】
実行可能な設計において、ネットワーク側デバイスにより送信されるグループ識別子をＵＥが受信する段階は、ネットワーク側デバイスにより送信される専用シグナリングをＵＥが受信する段階を含み、専用シグナリングはグループ識別子を含む。グループ識別子と取得された第１のシステム情報の時間−周波数リソースとに基づいて、ネットワーク側デバイスにより送信される第１のシステム情報をＵＥが受信する段階は、グループ識別子と事前設定された時間−周波数リソースとの間の対応関係に従って、第１のシステム情報の時間−周波数リソースをＵＥが取得する段階と、第１のシステム情報の時間−周波数リソースに基づいて、ネットワーク側デバイスにより送信される第１のシステム情報をＵＥが受信する段階とを含む。
【００２３】
実行可能な設計において、ネットワーク側デバイスにより送信されるグループ識別子と第１のシステム情報の時間−周波数リソースとをＵＥが受信する段階は、ネットワーク側デバイスにより送信される専用シグナリングをＵＥが受信する段階であって、専用シグナリングはグループ識別子と第１のシステム情報の時間周波数リソースとを含む、段階、又はネットワーク側デバイスにより送信される専用シグナリングをＵＥが受信し、且つネットワーク側デバイスにより送信される第２のブロードキャストメッセージを受信する段階であって、専用シグナリングはグループ識別子を含み、第２のブロードキャストメッセージは第１のシステム情報の時間周波数リソースを含む、段階を含む。
【００２４】
実行可能な設計において、システム要求メッセージが第１のシステム情報のインデックス及びバリュータグを含む場合、本方法はさらに、ＵＥが保存している第１のシステム情報を引き続き用いるようＵＥに指示するために、ネットワーク側デバイスにより送信される確認応答メッセージをＵＥが受信する段階を含む。
【００２５】
実行可能な設計において、要求に応じて送信される各システム情報は１つのグループ識別子に対応するか、又は要求に応じて送信される少なくとも２つのシステム情報は同じ共通クループ識別子に対応する。第１のシステム情報は第１のシステム情報のインデックスを含むか、又は第１のシステム情報のインデックス及びバリュータグを含むか、又は第１のシステム情報のインデックス及びバリュータグ並びに少なくとも２つのシステム情報の共通バリュータグを含む。第１のシステム情報はさらに、第１のシステム情報に適用される有効時間を含み得る。有効時間は、第１のシステム情報を取得する有効時間が終了した場合、第１のシステム情報の内容をネットワーク側デバイスから再取得するようＵＥに指示するのに用いられる。
【００２６】
実行可能な設計において、本方法はさらに、ページング周期に到達すると、ネットワーク側デバイスにより送信されるページングメッセージをＵＥが受信する段階であって、ページングメッセージはネットワーク側デバイスにより最後に更新された第１のシステム情報の内容、第１のシステム情報のバリュータグ、又は第１のシステム情報の時間−周波数リソースのうちの少なくとも１つを含む、段階と、ページングメッセージに基づいて、最後に更新された第１のシステム情報をＵＥが取得する段階とを含む。
【００２７】
第３の態様が、システム情報を送信するための方法を提供する。本方法は、ユーザ機器ＵＥにより送信されるシステム情報要求をネットワーク側デバイスが受信する段階であって、システム情報要求は第１のシステム情報をネットワーク側デバイスから取得するよう要求するのに用いられる、段階と、第１のシステム情報をネットワーク側デバイスがブロードキャストする段階とを含む。このようにして、複数のＵＥがＯｎ−ｄｅｍａｎｄ  ＳＩを基地局に同時に要求した場合、基地局は専用シグナリングを用いてＳＩをＵＥに送信せず、ブロードキャスト方式でＳＩをＵＥに送信する。これで、ネットワークリソースが節約される。
【００２８】
実行可能な設計において、本方法はさらに、ブロードキャストメッセージをネットワーク側デバイスが送信する段階を含む。ブロードキャストメッセージは、オンデマンドシステム情報のインジケーション情報を含み、インジケーション情報は第１のシステム情報のインジケーション情報を含む。基地局は、ブロードキャストメッセージを周期的に送信し得るので、基地局の対象セルに新たに加わったＵＥは、Ｏｎ−ｄｅｍａｎｄ  ＳＩのインジケーション情報を遅滞なく受信する。
【００２９】
実行可能な設計において、インジケーション情報はシステム情報のインデックスを含むか、又はインジケーション情報はシステム情報のインデックス及びバリュータグを含むか、又はインジケーション情報はシステム情報のインデックス及びバリュータグ並びに少なくとも２つのシステム情報の共通バリュータグを含む。バリュータグは、システム情報の内容が変わったかどうかをＵＥが判定するのに用いられる。例えば、ＵＥは、基地局から受信したシステム情報内のＶＴをＵＥが現在保存しているシステム情報のＶＴと比較し、システム情報の内容を更新するかどうかを判定する。
【００３０】
実行可能な設計において、インジケーション情報はビットマップを含み、ＵＥがシステム情報要求を送信することによって各ビットに対応するシステム情報を取得する必要があるかどうかを示すのに、ビットマップ内の各ビットの値が用いられる。例えば、ビットマップ内の各ビットに対応する値が００１１である場合、ＵＥが対応するシステム情報を基地局から取得するよう積極的に要求する必要はないことを０が示しており、対応するシステム情報を基地局から取得するようＵＥが要求する必要があることを１が示している。
【００３１】
実行可能な設計において、ブロードキャストメッセージはさらに、システム情報の時間−周波数リソース又は送信機会を含む。時間−周波数リソース又は送信機会は、時間−周波数リソース又は送信機会においてＵＥがシステム情報を取得するのに用いられる。あるいは、ブロードキャストメッセージはさらにシステム情報の監視期間を含む。監視期間は、ＵＥが監視期間内にシステム情報を受信した場合、システム情報を保存するようＵＥに指示するのに用いられ、ＵＥが監視期間内にシステム情報を受信しなかった場合、システム情報をブロードキャストするようネットワーク側デバイスに要求するようＵＥに指示するのに用いられる。監視期間は、タイマーで実現され得る。監視期間が設定されているのは、別のＵＥが基地局にシステム情報を要求し得るからである。タイマーを始動させるＵＥが監視期間内にシステム情報を受信した場合、ＵＥはシステム情報要求を基地局に送信する必要はない。
【００３２】
実行可能な設計において、システム情報要求は第１のシステム情報のインデックスを含むか、又はシステム情報要求は第１のシステム情報のインデックス及びバリュータグを含む。システム情報要求が第１のシステム情報のインデックス及びバリュータグを含む場合、ブロードキャストメッセージをネットワーク側デバイスが送信する段階の前に、本方法はさらに、ＵＥにより送信される第１のシステム情報のバリュータグとネットワーク側デバイスが保存している第１のシステム情報のバリュータグとが同じであるかどうかをネットワーク側デバイスが判定する段階と、これらのバリュータグが異なると判定された場合、第１のシステム情報の内容が更新されているとネットワーク側デバイスが判定する段階とを含む。このようにして、ＶＴが同じである場合、基地局はシステム情報をＵＥにブロードキャストする必要はない。こうして、ネットワークリソースがさらに節約される。
【００３３】
実行可能な設計において、本方法はさらに、これらのバリュータグが同じであると判定された場合、ＵＥが保存している第１のシステム情報を引き続き用いるようＵＥに指示するために、確認応答メッセージをＵＥにネットワーク側デバイスが送信する段階を含む。
【００３４】
実行可能な設計において、第１のシステム情報は第１のシステム情報のインデックスを含むか、又は第１のシステム情報のインデックス及びバリュータグを含むか、又は第１のシステム情報のインデックス及びバリュータグ並びに少なくとも２つのシステム情報の共通バリュータグを含む。このようにして、ＵＥは、受信した第１のシステム情報内のＶＴとＵＥが現在保存している第１のシステム情報のＶＴとが同じであるかどうかを判定し、ＵＥが現在保存している第１のシステム情報を更新するかどうかを判定し得る。
【００３５】
実行可能な設計において、ブロードキャストメッセージをネットワーク側デバイスが送信する段階の前に、本方法はさらに、無線ネットワーク一時識別子ＲＮＴＩを用いて第１のシステム情報にネットワーク側デバイスがスクランブルをかける段階を含む。第１のシステム情報はＯｎ−ｄｅｍａｎｄ  ＳＩであり、対応するスクランブル情報ＲＮＴＩは、ｉｍｐｏｒｔａｎｔ  ＳＩに対応するスクランブル情報とは異なり得る。
【００３６】
第４の態様が、システム情報を送信するための方法を提供する。本方法は、システム情報要求をネットワーク側デバイスのユーザ機器ＵＥが送信する段階であって、システム情報要求は第１のシステム情報をネットワーク側デバイスから取得するよう要求するのに用いられる、段階と、ネットワーク側デバイスにより送信される第１のブロードキャストメッセージをＵＥが受信する段階であって、第１のブロードキャストメッセージは第１のシステム情報を含む、段階とを含む。
【００３７】
実行可能な設計において、本方法はさらに、ネットワーク側デバイスにより送信される第２のブロードキャストメッセージをＵＥが受信する段階を含む。第２のブロードキャストメッセージはオンデマンドシステム情報のインジケーション情報を含み、インジケーション情報は第１のシステム情報のインジケーション情報を含む。
【００３８】
実行可能な設計において、インジケーション情報はシステム情報のインデックスを含むか、又はインジケーション情報はシステム情報のインデックス及びバリュータグを含むか、又はインジケーション情報はシステム情報のインデックス及びバリュータグ並びに少なくとも２つのシステム情報の共通バリュータグを含む。バリュータグは、システム情報の内容が変わったかどうかをＵＥが判定するのに用いられる。
【００３９】
実行可能な設計において、インジケーション情報はビットマップを含み、ＵＥがシステム情報要求を送信することによって各ビットに対応するシステム情報を取得する必要があるかどうかを示すのに、ビットマップ内の各ビットの値が用いられる。
【００４０】
実行可能な設計において、第２のブロードキャストメッセージはさらに、システム情報の時間−周波数リソース又は送信機会を含む。ネットワーク側デバイスにより送信される第１のブロードキャストメッセージをＵＥが受信する段階は、時間−周波数リソース又は送信機会に基づいて、ネットワーク側デバイスにより送信される第１のブロードキャストメッセージをＵＥが受信する段階を含む。
【００４１】
実行可能な設計において、第２のブロードキャストメッセージはさらに、システム情報の監視期間を含む。システム情報要求をネットワーク側デバイスにＵＥが送信する前に、本方法はさらに、ＵＥが第１のシステム情報を取得する必要があるとＵＥが判定した場合、ＵＥがタイマーを始動させる段階であって、タイマーの長さは第１のシステム情報の監視期間である、段階と、ＵＥが第１のシステム情報を監視期間内に受信したかどうかをＵＥが判定する段階とを含み、ＵＥが第１のシステム情報を監視期間内に受信しなかったと判定された場合、ＵＥは、ＵＥがシステム情報要求をネットワーク側デバイスに送信する必要があると判定する。
【００４２】
実行可能な設計において、本方法はさらに、ＵＥが第１のシステム情報を監視期間内に受信したと判定された場合、ＵＥが第１のシステム情報を保存してタイマーの時間計測を停止させる段階を含む。
【００４３】
実行可能な設計において、第１のブロードキャストメッセージはさらに、第１のシステム情報のインデックス及びバリュータグを含む。本方法はさらに、第１のブロードキャストメッセージを受信する段階の後に、ネットワーク側デバイスにより送信される第３のブロードキャストメッセージをＵＥが受信する段階であって、第３のブロードキャストメッセージは、最後に更新された第１のシステム情報のインデックス及びバリュータグを含む、段階と、第１のブロードキャストメッセージ内の保存された第１のシステム情報のバリュータグが、第３のブロードキャストメッセージ内の最後に更新された第１のシステム情報のバリュータグと同じであるかどうかをＵＥが判定する段階と、これらのバリュータグが異なると判定された場合、第３のブロードキャストメッセージに基づいて第１のシステム情報の内容をＵＥが更新して、第３のブロードキャストメッセージ内の第１のシステム情報のバリュータグを保存する段階とを含む。
【００４４】
第５の態様が、ネットワーク側デバイスを提供する。ネットワーク側デバイスは、ユーザ機器ＵＥにより送信されるシステム情報要求を受信するように構成された受信部であって、システム情報要求は第１のシステム情報をネットワーク側デバイスから取得するように要求するのに用いられる、受信部と、グループ識別子をＵＥに送信するように構成された送信部とを含む。又はネットワーク側デバイスはグループ識別子と第１のシステム情報の時間−周波数リソースとをＵＥに送信する。送信部はさらに、第１のシステム情報をＵＥに送信するように構成される。
【００４５】
実行可能な設計において、送信部はさらに、第１のブロードキャストメッセージを送信するように構成される。第１のブロードキャストメッセージは、オンデマンドシステム情報のインジケーション情報を含み、インジケーション情報は第１のシステム情報のインジケーション情報を含む。
【００４６】
実行可能な設計において、インジケーション情報はシステム情報のインデックスを含むか、又はインジケーション情報はシステム情報のインデックス及びバリュータグを含むか、又はインジケーション情報はシステム情報のインデックス及びバリュータグ並びに少なくとも２つのシステム情報の共通バリュータグを含む。バリュータグは、システム情報の内容が変わったかどうかをＵＥが判定するのに用いられる。
【００４７】
実行可能な設計において、インジケーション情報はビットマップを含み、ＵＥがシステム情報要求を送信することによって各ビットに対応するシステム情報を取得する必要があるかどうかを示すのに、ビットマップ内の各ビットの値が用いられる。
【００４８】
実行可能な設計において、システム情報要求は第１のシステム情報のインデックスを含むか、又はシステム情報要求は第１のシステム情報のインデックス及びバリュータグを含む。
【００４９】
実行可能な設計において、システム情報要求は、第１のシステム情報のインデックス及びバリュータグを含み、ネットワーク側デバイスはさらに、ＵＥにより送信される第１のシステム情報のバリュータグとネットワーク側デバイスが保存している第１のシステム情報のバリュータグとが同じであるかどうかを判定するように構成された判定部を含み、これらのバリュータグが異なると判定された場合、判定部は第１のシステム情報の内容が更新されていると判定する。
【００５０】
実行可能な設計において、送信部はさらに、これらのバリュータグが同じであると判定された場合、ＵＥが保存している第１のシステム情報を引き続き用いるようＵＥに指示するために、確認応答ＡＣＫメッセージをＵＥに送信するように構成される。
【００５１】
実行可能な設計において、送信部は、グループ識別子と時間−周波数リソースとの間の対応関係をＵＥのために事前設定するように構成される。ネットワーク側デバイスは、第１のシステム情報を要求するＵＥに専用シグナリングを送信する。専用シグナリングは、グループ識別子に対応する時間−周波数リソースを対応関係に従って取得して第１のシステム情報を受信するようＵＥに指示するために、グループ識別子を含む。あるいは、送信部は、第１のシステム情報を要求するＵＥに専用シグナリングを送信するように構成され、専用シグナリングは、グループ識別子及び時間−周波数リソースを用いて第１のシステム情報を受信するようＵＥに指示するために、グループ識別子と第１のシステム情報の時間−周波数リソースとを含む。あるいは、送信部は、第１のシステム情報を要求するＵＥに専用シグナリングを送信することであって、専用シグナリングはグループ識別子を含む、送信することと、第２のブロードキャストメッセージをＵＥに送信することであって、第２のブロードキャストメッセージは、グループ識別子及び時間−周波数リソースを用いて第１のシステム情報を受信するようＵＥに指示するために、第１のシステム情報の時間−周波数リソースを含む、送信することとを行うように構成される。
【００５２】
実行可能な設計において、要求に応じて送信される各システム情報は１つのグループ識別子に対応するか、又は要求に応じて送信される少なくとも２つのシステム情報は同じ共通クループ識別子に対応する。第１のシステム情報は第１のシステム情報のインデックスを含むか、又は第１のシステム情報のインデックス及びバリュータグを含むか、又は第１のシステム情報のインデックス及びバリュータグ並びに少なくとも２つのシステム情報の共通バリュータグを含む。第１のシステム情報はさらに、第１のシステム情報に適用される有効時間を含み得る。有効時間は、第１のシステム情報を取得する有効時間が終了した場合、第１のシステム情報の内容をネットワーク側デバイスから再取得するようＵＥに指示するのに用いられる。
【００５３】
実行可能な設計において、送信部はさらに、ページング周期に基づいてページングメッセージをＵＥに送信するように構成される。ページングメッセージは、最後に更新された第１のシステム情報をページングメッセージに基づいて取得するようＵＥに指示するのに用いられる。ページングメッセージは、ネットワーク側デバイスによって最後に更新された第１のシステム情報の内容、第１のシステム情報のバリュータグ、又は第１のシステム情報の時間−周波数リソースのうちの少なくとも１つを含む。ページングメッセージは、第１のシステム情報が共通バリュータグに対応する場合、さらに共通バリュータグを含む。
【００５４】
第６の態様がユーザ機器ＵＥを提供する。ＵＥは、システム情報要求をネットワーク側デバイスに送信するように構成された送信部であって、システム情報要求は第１のシステム情報をネットワーク側デバイスから取得するよう要求するのに用いられる、送信部と、ネットワーク側デバイスにより送信されるグループ識別子を受信するように構成された受信部とを含む。又はＵＥは、ネットワーク側デバイスにより送信される、グループ識別子と第１のシステム情報の時間−周波数リソースとを受信する。受信部はさらに、グループ識別子と取得された第１のシステム情報の時間−周波数リソースとに基づいて、ネットワーク側デバイスにより送信される第１のシステム情報を受信するように構成される。
【００５５】
実行可能な設計において、受信部はさらに、ネットワーク側デバイスにより送信される第１のブロードキャストメッセージを受信するように構成される。第１のブロードキャストメッセージはオンデマンドシステム情報のインジケーション情報を含み、インジケーション情報は第１のシステム情報のインジケーション情報を含む。
【００５６】
実行可能な設計において、インジケーション情報はシステム情報のインデックスを含むか、又はインジケーション情報はシステム情報のインデックス及びバリュータグを含むか、又はインジケーション情報はシステム情報のインデックス及びバリュータグ並びに少なくとも２つのシステム情報の共通バリュータグを含む。バリュータグは、システム情報の内容が変わったかどうかをＵＥが判定するのに用いられる。
【００５７】
実行可能な設計において、インジケーション情報はビットマップを含み、ＵＥがシステム情報要求を送信することによって各ビットに対応するシステム情報を取得する必要があるかどうかを示すのに、ビットマップ内の各ビットの値が用いられる。
【００５８】
実行可能な設計において、システム情報要求は第１のシステム情報のインデックスを含むか、又はシステム情報要求は第１のシステム情報のインデックス及びバリュータグを含む。
【００５９】
実行可能な設計において、受信部は、ネットワーク側デバイスにより送信される専用シグナリングを受信するように構成され、専用シグナリングはグループ識別子を含む。あるいは、ＵＥはさらに、グループ識別子と事前設定された時間−周波数リソースとの間の対応関係に従って、第１のシステム情報の時間−周波数リソースを取得するように構成された取得部を含む。受信部は、グループ識別子と事前設定された時間−周波数リソースとの間の対応関係に従って、第１のシステム情報の時間−周波数リソースを取得するように構成される。
【００６０】
実行可能な設計において、受信部は、ネットワーク側デバイスにより送信される専用シグナリングを受信するように構成される。専用シグナリングは、グループ識別子と第１のシステム情報の時間周波数リソースとを含む。あるいは、受信部は、ネットワーク側デバイスにより送信される専用シグナリングを受信し、ネットワーク側デバイスにより送信される第２のブロードキャストメッセージを受信するように構成される。専用シグナリングはグループ識別子を含み、第２のブロードキャストメッセージは第１のシステム情報の時間周波数リソースを含む。
【００６１】
実行可能な設計において、システム要求メッセージが第１のシステム情報のインデックス及びバリュータグを含む場合、受信部はさらに、ＵＥが保存している第１のシステム情報を引き続き用いるようＵＥに指示するために、ネットワーク側デバイスにより送信される確認応答メッセージを受信するように構成される。
【００６２】
実行可能な設計において、要求に応じて送信される各システム情報は１つのグループ識別子に対応するか、又は要求に応じて送信される少なくとも２つのシステム情報は同じ共通クループ識別子に対応する。第１のシステム情報は第１のシステム情報のインデックスを含むか、又は第１のシステム情報のインデックス及びバリュータグを含むか、又は第１のシステム情報のインデックス及びバリュータグ並びに少なくとも２つのシステム情報の共通バリュータグを含む。第１のシステム情報はさらに、第１のシステム情報に適用される有効時間を含み得る。有効時間は、第１のシステム情報を取得する有効時間が終了した場合、第１のシステム情報の内容をネットワーク側デバイスから再取得するようＵＥに指示するのに用いられる。
【００６３】
実行可能な設計において、受信部はさらに、ページング周期に到達すると、ネットワーク側デバイスにより送信されるページングメッセージを受信するように構成される。ページングメッセージは、ネットワーク側デバイスにより最後に更新された第１のシステム情報の内容、第１のシステム情報のバリュータグ、又は第１のシステム情報の時間−周波数リソースのうちの少なくとも１つを含む。ＵＥはさらに、最後に更新された第１のシステム情報をページングメッセージに基づいて取得するように構成された取得部を含む。
【００６４】
第７の態様がネットワーク側デバイスを提供する。ネットワーク側デバイスは、ユーザ機器ＵＥにより送信されるシステム情報要求を受信するように構成された受信部であって、システム情報要求は第１のシステム情報をネットワーク側デバイスから取得するよう要求するのに用いられる、受信部と、第１のシステム情報をブロードキャストするように構成されたブロードキャスト部とを含む。
【００６５】
実行可能な設計において、ブロードキャスト部はさらに、ブロードキャストメッセージを送信するように構成される。ブロードキャストメッセージは、オンデマンドシステム情報のインジケーション情報を含み、インジケーション情報は第１のシステム情報のインジケーション情報を含む。
【００６６】
実行可能な設計において、インジケーション情報はシステム情報のインデックスを含むか、又はインジケーション情報はシステム情報のインデックス及びバリュータグを含むか、又はインジケーション情報はシステム情報のインデックス及びバリュータグ並びに少なくとも２つのシステム情報の共通バリュータグを含む。バリュータグは、システム情報の内容が変わったかどうかをＵＥが判定するのに用いられる。
【００６７】
実行可能な設計において、インジケーション情報はビットマップを含み、ＵＥがシステム情報要求を送信することによって各ビットに対応するシステム情報を取得する必要があるかどうかを示すのに、ビットマップ内の各ビットの値が用いられる。
【００６８】
実行可能な設計において、ブロードキャストメッセージはさらに、システム情報の時間−周波数リソース又は送信機会を含む。時間−周波数リソース又は送信機会は、時間−周波数リソース又は送信機会においてＵＥがシステム情報を取得するのに用いられる。あるいは、ブロードキャストメッセージはさらにシステム情報の監視期間を含む。監視期間は、ＵＥが監視期間内にシステム情報を受信した場合、システム情報を保存するようＵＥに指示するのに用いられ、ＵＥが監視期間内にシステム情報を受信しなかった場合、システム情報をブロードキャストするようネットワーク側デバイスに要求するようＵＥに指示するのに用いられる。
【００６９】
実行可能な設計において、システム情報要求は第１のシステム情報のインデックスを含むか、又はシステム情報要求は第１のシステム情報のインデックス及びバリュータグを含む。システム情報要求が第１のシステム情報のインデックス及びバリュータグを含む場合、ネットワーク側デバイスはさらに、ＵＥにより送信される第１のシステム情報のバリュータグとネットワーク側デバイスが保存している第１のシステム情報のバリュータグとが同じであるかどうかを判定し、これらのバリュータグが異なると判定された場合、第１のシステム情報の内容が更新されていると判定するように構成された判定部を含む。
【００７０】
実行可能な設計において、送信部は、これらのバリュータグが同じであると判定された場合、ＵＥが保存している第１のシステム情報を引き続き用いるようＵＥに指示するために、確認応答メッセージをＵＥに送信するように構成される。
【００７１】
実行可能な設計において、第１のシステム情報は第１のシステム情報のインデックスを含むか、又は第１のシステム情報のインデックス及びバリュータグを含むか、又は第１のシステム情報のインデックス及びバリュータグ並びに少なくとも２つのシステム情報の共通バリュータグを含む。
【００７２】
実行可能な設計において、ネットワーク側デバイスはさらに、無線ネットワーク一時識別子ＲＮＴＩを用いて第１のシステム情報にスクランブルをかけるように構成されたスクランブリング部を含む。
【００７３】
第８の態様がユーザ機器ＵＥを提供する。ＵＥは、システム情報要求をネットワーク側デバイスに送信するように構成された送信部であって、システム情報要求は第１のシステム情報をネットワーク側デバイスから取得するよう要求するのに用いられる、送信部と、ネットワーク側デバイスにより送信される第１のブロードキャストメッセージを受信するように構成された受信部であって、第１のブロードキャストメッセージは第１のシステム情報を含む、受信部とを含む。
【００７４】
実行可能な設計において、受信部はさらに、ネットワーク側デバイスにより送信される第２のブロードキャストメッセージを受信するように構成される。第２のブロードキャストメッセージはオンデマンドシステム情報のインジケーション情報を含み、インジケーション情報は第１のシステム情報のインジケーション情報を含む。
【００７５】
実行可能な設計において、インジケーション情報はシステム情報のインデックスを含むか、又はインジケーション情報はシステム情報のインデックス及びバリュータグを含むか、又はインジケーション情報はシステム情報のインデックス及びバリュータグ並びに少なくとも２つのシステム情報の共通バリュータグを含む。バリュータグは、システム情報の内容が変わったかどうかをＵＥが判定するのに用いられる。
【００７６】
実行可能な設計において、インジケーション情報はビットマップを含み、ＵＥがシステム情報要求を送信することによって各ビットに対応するシステム情報を取得する必要があるかどうかを示すのに、ビットマップ内の各ビットの値が用いられる。
【００７７】
実行可能な設計において、第２のブロードキャストメッセージはさらに、システム情報の時間−周波数リソース又は送信機会を含む。受信部は、時間−周波数リソース又は送信機会に基づいて、ネットワーク側デバイスにより送信される第１のブロードキャストメッセージを受信するように構成される。
【００７８】
実行可能な設計において、第２のブロードキャストメッセージはさらに、システム情報の監視期間を含む。ＵＥはさらに、システム情報要求をネットワーク側デバイスに送信する前に、ＵＥが第１のシステム情報を取得する必要があるとＵＥが判定した場合、タイマーを始動させるように構成された時間計測部であって、タイマーの長さは第１のシステム情報の監視期間である、時間計測部と、ＵＥが第１のシステム情報を監視期間内に受信したかどうかを判定し、ＵＥが第１のシステム情報を監視期間内に受信しなかったと判定された場合、ＵＥがシステム情報要求をネットワーク側デバイスに送信する必要があると判定するように構成された判定部とを含む。
【００７９】
実行可能な設計において、時間計測部はさらに、ＵＥが第１のシステム情報を監視期間内に受信したと判定された場合、第１のシステム情報を保存してタイマーの時間計測を停止させるように構成される。
【００８０】
実行可能な設計において、第１のブロードキャストメッセージはさらに、第１のシステム情報のインデックス及びバリュータグを含む。受信部はさらに、第１のブロードキャストメッセージを受信した後に、ネットワーク側デバイスにより送信される第３のブロードキャストメッセージを受信するように構成され、第３のブロードキャストメッセージは、最後に更新された第１のシステム情報のインデックス及びバリュータグを含む。ＵＥはさらに、第１のブロードキャストメッセージ内の保存された第１のシステム情報のバリュータグが第３のブロードキャストメッセージ内の最後に更新された第１のシステム情報のバリュータグと同じであるかどうかを判定し、これらのバリュータグが異なると判定された場合、第３のブロードキャストメッセージに基づいて第１のシステム情報の内容を更新し、第３のブロードキャストメッセージ内の第１のシステム情報のバリュータグを保存するように構成された判定部を含む。
【００８１】
第９の態様がネットワーク側デバイスを提供する。ネットワーク側デバイスは、ユーザ機器ＵＥにより送信されるシステム情報要求を受信するように構成された受信機であって、システム情報要求は第１のシステム情報をネットワーク側デバイスから取得するよう要求するのに用いられる、受信機と、ユーザ機器ＵＥにより送信されるシステム情報要求を受信するように構成された送信機であって、システム情報要求は第１のシステム情報をネットワーク側デバイスに要求するのに用いられる、送信機とを含む。送信機はさらに、第１のシステム情報をＵＥに送信するように構成される。
【００８２】
実行可能な設計において、送信機はさらに、第１のブロードキャストメッセージを送信するように構成される。第１のブロードキャストメッセージは、オンデマンドシステム情報のインジケーション情報を含み、インジケーション情報は第１のシステム情報のインジケーション情報を含む。インジケーション情報はシステム情報のインデックスを含むか、又はインジケーション情報はシステム情報のインデックス及びバリュータグを含むか、又はインジケーション情報はシステム情報のインデックス及びバリュータグ並びに少なくとも２つのシステム情報の共通バリュータグを含む。バリュータグは、システム情報の内容が変わったかどうかをＵＥが判定するのに用いられる。あるいは、インジケーション情報はビットマップを含み、ＵＥがシステム情報要求を送信することによって各ビットに対応するシステム情報を取得する必要があるかどうかを示すのに、ビットマップ内の各ビットの値が用いられる。
【００８３】
実行可能な設計において、送信機は、グループ識別子と時間−周波数リソースとの間の対応関係をＵＥのために事前設定するように構成される。ネットワーク側デバイスは、第１のシステム情報を要求するＵＥに専用シグナリングを送信する。専用シグナリングは、グループ識別子に対応する時間−周波数リソースを対応関係に従って取得して第１のシステム情報を受信するようＵＥに指示するために、グループ識別子を含む。あるいは、送信機は、第１のシステム情報を要求するＵＥに専用シグナリングを送信するように構成され、専用シグナリングは、グループ識別子及び時間−周波数リソースを用いて第１のシステム情報を受信するようＵＥに指示するために、グループ識別子と第１のシステム情報の時間−周波数リソースとを含む。あるいは、送信機は、第１のシステム情報を要求するＵＥに専用シグナリングを送信することであって、専用シグナリングはグループ識別子を含む、送信することと、第２のブロードキャストメッセージをＵＥに送信することであって、第２のブロードキャストメッセージは、グループ識別子及び時間−周波数リソースを用いて第１のシステム情報を受信するようＵＥに指示するために、第１のシステム情報の時間−周波数リソースを含む、送信することとを行うように構成される。
【００８４】
実行可能な設計において、要求に応じて送信される各システム情報は１つのグループ識別子に対応するか、又は要求に応じて送信される少なくとも２つのシステム情報は同じ共通クループ識別子に対応する。第１のシステム情報は第１のシステム情報のインデックスを含むか、又は第１のシステム情報のインデックス及びバリュータグを含むか、又は第１のシステム情報のインデックス及びバリュータグ並びに少なくとも２つのシステム情報の共通バリュータグを含む。第１のシステム情報はさらに、第１のシステム情報に適用される有効時間を含み得る。有効時間は、第１のシステム情報を取得する有効時間が終了した場合、第１のシステム情報の内容をネットワーク側デバイスから再取得するようＵＥに指示するのに用いられる。
【００８５】
第１０の態様がユーザ機器ＵＥを提供する。ＵＥは、システム情報要求をネットワーク側デバイスに送信するように構成された送信機であって、システム情報要求は第１のシステム情報をネットワーク側デバイスから取得するよう要求するのに用いられる、送信機と、ネットワーク側デバイスにより送信されるグループ識別子を受信するように構成された受信機とを含む。又はＵＥは、ネットワーク側デバイスにより送信される、グループ識別子と第１のシステム情報の時間−周波数リソースとを受信する。受信機はさらに、グループ識別子と取得された第１のシステム情報の時間−周波数リソースとに基づいて、ネットワーク側デバイスにより送信される第１のシステム情報を受信するように構成される。
【００８６】
実行可能な設計において、受信機はさらに、ネットワーク側デバイスにより送信される第１のブロードキャストメッセージを受信するように構成される。第１のブロードキャストメッセージはオンデマンドシステム情報のインジケーション情報を含み、インジケーション情報は第１のシステム情報のインジケーション情報を含む。インジケーション情報はシステム情報のインデックスを含むか、又はインジケーション情報はシステム情報のインデックス及びバリュータグを含むか、又はインジケーション情報はシステム情報のインデックス及びバリュータグ並びに少なくとも２つのシステム情報の共通バリュータグを含む。バリュータグは、システム情報の内容が変わったかどうかをＵＥが判定するのに用いられる。あるいは、インジケーション情報はビットマップを含み、ＵＥがシステム情報要求を送信することによって各ビットに対応するシステム情報を取得する必要があるかどうかを示すのに、ビットマップ内の各ビットの値が用いられる。
【００８７】
実行可能な設計において、受信機は、ネットワーク側デバイスにより送信される専用シグナリングを受信するように構成され、専用シグナリングはグループ識別子を含む。あるいは、ＵＥはさらに、グループ識別子と事前設定された時間−周波数リソースとの間の対応関係に従って、第１のシステム情報の時間−周波数リソースを取得するように構成されたプロセッサを含む。受信機は、第１のシステム情報の時間−周波数リソースに従って第１のシステム情報を受信するように構成される。
【００８８】
実行可能な設計において、受信機は、ネットワーク側デバイスにより送信される専用シグナリングを受信するように構成される。専用シグナリングは、グループ識別子と第１のシステム情報の時間周波数リソースとを含む。あるいは、受信機は、ネットワーク側デバイスにより送信される専用シグナリングを受信し、ネットワーク側デバイスにより送信される第２のブロードキャストメッセージを受信するように構成される。専用シグナリングはグループ識別子を含み、第２のブロードキャストメッセージは第１のシステム情報の時間周波数リソースを含む。
【００８９】
実行可能な設計において、要求に応じて送信される各システム情報は１つのグループ識別子に対応するか、又は要求に応じて送信される少なくとも２つのシステム情報は同じ共通クループ識別子に対応する。第１のシステム情報は第１のシステム情報のインデックスを含むか、又は第１のシステム情報のインデックス及びバリュータグを含むか、又は第１のシステム情報のインデックス及びバリュータグ並びに少なくとも２つのシステム情報の共通バリュータグを含む。第１のシステム情報はさらに、第１のシステム情報に適用される有効時間を含み得る。有効時間は、第１のシステム情報を取得する有効時間が終了した場合、第１のシステム情報の内容をネットワーク側デバイスから再取得するようＵＥに指示するのに用いられる。
【００９０】
第１１の態様がネットワーク側デバイスを提供する。ネットワーク側デバイスは、ユーザ機器ＵＥにより送信されるシステム情報要求を受信するように構成された受信機であって、システム情報要求は第１のシステム情報をネットワーク側デバイスから取得するよう要求するのに用いられる、受信機と、第１のシステム情報をブロードキャストするように構成された送信機とを含む。
【００９１】
実行可能な設計において、送信機はさらに、ブロードキャストメッセージを送信するように構成される。ブロードキャストメッセージは、オンデマンドシステム情報のインジケーション情報を含み、インジケーション情報は第１のシステム情報のインジケーション情報を含む。インジケーション情報はシステム情報のインデックスを含むか、又はインジケーション情報はシステム情報のインデックス及びバリュータグを含むか、又はインジケーション情報はシステム情報のインデックス及びバリュータグ並びに少なくとも２つのシステム情報の共通バリュータグを含む。バリュータグは、システム情報の内容が変わったかどうかをＵＥが判定するのに用いられる。あるいは、インジケーション情報はビットマップを含み、ＵＥがシステム情報要求を送信することによって各ビットに対応するシステム情報を取得する必要があるかどうかを示すのに、ビットマップ内の各ビットの値が用いられる。
【００９２】
実行可能な設計において、ブロードキャストメッセージはさらに、システム情報の時間−周波数リソース又は送信機会を含む。時間−周波数リソース又は送信機会は、時間−周波数リソース又は送信機会においてＵＥがシステム情報を取得するのに用いられる。あるいは、ブロードキャストメッセージはさらにシステム情報の監視期間を含む。監視期間は、ＵＥが監視期間内にシステム情報を受信した場合、システム情報を保存するようＵＥに指示するのに用いられ、ＵＥが監視期間内にシステム情報を受信しなかった場合、システム情報をブロードキャストするようネットワーク側デバイスに要求するようＵＥに指示するのに用いられる。
【００９３】
第１２の態様がユーザ機器ＵＥを提供する。ＵＥは、システム情報要求をネットワーク側デバイスに送信するように構成された送信機であって、システム情報要求は第１のシステム情報をネットワーク側デバイスから取得するよう要求するのに用いられる、送信機と、ネットワーク側デバイスにより送信される第１のブロードキャストメッセージを受信するように構成された受信機であって、第１のブロードキャストメッセージは第１のシステム情報を含む、受信機とを含む。
【００９４】
実行可能な設計において、受信機はさらに、ネットワーク側デバイスにより送信される第２のブロードキャストメッセージを受信するように構成される。第２のブロードキャストメッセージはオンデマンドシステム情報のインジケーション情報を含み、インジケーション情報は第１のシステム情報のインジケーション情報を含む。インジケーション情報はシステム情報のインデックスを含むか、又はインジケーション情報はシステム情報のインデックス及びバリュータグを含むか、又はインジケーション情報はシステム情報のインデックス及びバリュータグ並びに少なくとも２つのシステム情報の共通バリュータグを含む。バリュータグは、システム情報の内容が変わったかどうかをＵＥが判定するのに用いられる。あるいは、インジケーション情報はビットマップを含み、ＵＥがシステム情報要求を送信することによって各ビットに対応するシステム情報を取得する必要があるかどうかを示すのに、ビットマップ内の各ビットの値が用いられる。
【００９５】
実行可能な設計において、第２のブロードキャストメッセージはさらに、システム情報の時間−周波数リソース又は送信機会を含む。受信機は、時間−周波数リソース又は送信機会に基づいて、ネットワーク側デバイスにより送信される第１のブロードキャストメッセージを受信するように構成される。
【００９６】
実行可能な設計において、第２のブロードキャストメッセージはさらに、システム情報の監視期間を含む。ＵＥはさらに、ＵＥが第１のシステム情報を取得する必要があるとＵＥが判定した場合、タイマーを始動させ、ＵＥが第１のシステム情報を監視期間内に受信したかどうかを判定し、ＵＥが第１のシステム情報を監視期間内に受信しなかったと判定された場合、ＵＥがシステム情報要求をネットワーク側デバイスに送信する必要があると判定するように構成されたプロセッサを含み、タイマーの長さは第１のシステム情報の監視期間である。
【００９７】
第１３の態様が通信システムを提供する。この通信システムは、第９の態様において提供されたネットワーク側デバイスと、第１０の態様において提供されたＵＥとを含む。
【００９８】
第１４の態様が通信システムを提供する。この通信システムは、第１１の態様において提供されたネットワーク側デバイスと、第１２の態様において提供されたＵＥとを含む。
【００９９】
第１５の態様が通信システムを提供する。この通信システムは、第９の態様において提供されたネットワーク側デバイスを含む。
【０１００】
第１６の態様が通信システムを提供する。この通信システムは、第１１の態様において提供されたネットワーク側デバイスを含む。
【０１０１】
第１７の態様がシステムチップを提供する。このシステムチップは、入出力インタフェースと、少なくとも１つのプロセッサと、メモリと、バスとを含む。入出力インタフェースは、ユーザ機器ＵＥにより送信されるシステム情報要求を受信するように構成され、システム情報要求は第１のシステム情報をネットワーク側デバイスから取得するよう要求するのに用いられる。入出力インタフェースはさらに、グループ識別子をＵＥに送信するように構成される。又はネットワーク側デバイスはグループ識別子と第１のシステム情報の時間−周波数リソースとをＵＥに送信する。入出力インタフェースはさらに、第１のシステム情報をＵＥに送信するように構成される。
【０１０２】
第１８の態様がシステムチップを提供する。このシステムチップは、入出力インタフェースと、少なくとも１つのプロセッサと、メモリと、バスとを含む。入出力インタフェースは、システム情報要求をネットワーク側デバイスに送信するように構成され、システム情報要求は第１のシステム情報をネットワーク側デバイスから取得するよう要求するのに用いられる。入出力インタフェースはさらに、ネットワーク側デバイスにより送信されるグループ識別子を受信するように構成される。又はＵＥが、ネットワーク側デバイスにより送信されるグループ識別子と第１のシステム情報の時間−周波数リソースとを受信する。入出力インタフェースはさらに、グループ識別子と取得された第１のシステム情報の時間−周波数リソースとに基づいて、ネットワーク側デバイスにより送信される第１のシステム情報を受信するように構成される。
【０１０３】
第１９の態様がシステムチップを提供する。このシステムチップは、入出力インタフェースと、少なくとも１つのプロセッサと、メモリと、バスとを含む。入出力インタフェースは、ユーザ機器ＵＥにより送信されるシステム情報要求を受信するように構成され、システム情報要求は第１のシステム情報をネットワーク側デバイスから取得するよう要求するのに用いられる。入出力インタフェースはさらに、第１のシステム情報をブロードキャストするように構成される。
【０１０４】
第２０の態様がシステムチップを提供する。このシステムチップは、入出力インタフェースと、少なくとも１つのプロセッサと、メモリと、バスとを含む。入出力インタフェースは、システム情報要求をネットワーク側デバイスに送信するように構成され、システム情報要求は第１のシステム情報をネットワーク側デバイスから取得するよう要求するのに用いられる。入出力インタフェースはさらに、ネットワーク側デバイスにより送信される第１のブロードキャストメッセージを受信するように構成され、第１のブロードキャストメッセージは第１のシステム情報を含む。
【０１０５】
第２１の態様によれば、本発明の一実施形態が、上述のネットワーク側デバイスにより用いられるコンピュータソフトウェア命令を格納するように構成されたコンピュータ記憶媒体を提供する。コンピュータソフトウェア命令は、上述の第１の態様を実行するように設計されたプログラムを含む。
【０１０６】
第２２の態様によれば、本発明の一実施形態が、上述のＵＥにより用いられるコンピュータソフトウェア命令を格納するように構成されたコンピュータ記憶媒体を提供する。コンピュータソフトウェア命令は、上述の第３の態様を実行するように設計されたプログラムを含む。
【０１０７】
第２３の態様によれば、本発明の一実施形態が、上述のネットワーク側デバイスにより用いられるコンピュータソフトウェア命令を格納するように構成されたコンピュータ記憶媒体を提供する。コンピュータソフトウェア命令は、上述の第５の態様を実行するように設計されたプログラムを含む。
【０１０８】
第２４の態様によれば、本発明の一実施形態が、上述のＵＥにより用いられるコンピュータソフトウェア命令を格納するように構成されたコンピュータ記憶媒体を提供する。コンピュータソフトウェア命令は、上述の第７の態様を実行するように設計されたプログラムを含む。
【０１０９】
第２５の態様によれば、本発明の一実施形態がシステム情報を送信するための方法を提供する。本方法は、システム情報要求をネットワーク側デバイスにユーザ機器が送信する段階であって、システム情報要求は第１のシステム情報をネットワーク側デバイスから取得するよう要求するのに用いられる、段階と、ネットワーク側デバイスによりブロードキャストされる第１のシステム情報をユーザ機器が受信する段階とを含む。
【０１１０】
実現可能な設計において、ユーザ機器は、ネットワーク側デバイスにより送信されるブロードキャストメッセージを受信する。ブロードキャストメッセージはオンデマンドシステム情報のインジケーション情報を含み、インジケーション情報は第１のシステム情報のインジケーション情報を含む。インジケーション情報はシステム情報のインデックスを含むか、又はインジケーション情報はシステム情報のインデックス及びバリュータグを含むか、又はインジケーション情報はシステム情報のインデックス及びバリュータグ並びに少なくとも２つのシステム情報の共通バリュータグを含む。バリュータグは、システム情報の内容が変わったかどうかをユーザ機器が判定するのに用いられる。あるいは、インジケーション情報はビットマップを含み、ユーザ機器がシステム情報要求を送信することによって各ビットに対応するシステム情報を取得する必要があるかどうかを示すのに、ビットマップ内の各ビットの値が用いられる。
【０１１１】
実現可能な設計において、ユーザ機器はネットワーク側デバイスにより送信されるブロードキャストメッセージを受信する。ブロードキャストメッセージはオンデマンドシステム情報のインジケーション情報を含み、インジケーション情報は第１のシステム情報のインジケーション情報を含む。インジケーション情報は、ユーザ機器がシステム情報要求を送信してシステム情報を取得する必要があるかどうかを示すのに用いられる。
【０１１２】
実現可能な設計において、インジケーション情報はビットマップを含み、ビットマップは少なくとも１つのビットを含み、ユーザ機器がシステム情報要求を送信することによって各ビットに対応するシステム情報を取得する必要があるかどうかを示すのに、ビットマップ内の各ビットの値が用いられる。
【０１１３】
実現可能な設計において、ブロードキャストメッセージはさらに、システム情報の時間−周波数リソース又は送信機会を含む。ネットワーク側デバイスによりブロードキャストされる第１のシステム情報をユーザ機器が受信する段階は、時間−周波数リソース又は送信機会に基づいて、ネットワーク側デバイスによりブロードキャストされる第１のシステム情報をユーザ機器が受信する段階を含む。
【０１１４】
実現可能な設計において、ブロードキャストメッセージはさらにシステム情報の監視期間を含み、本方法はさらに、ユーザ機器が第１のシステム情報を監視期間内に受信しなかった場合、システム情報要求をネットワーク側デバイスにユーザ機器が送信する段階を含む。
【０１１５】
実現可能な設計において、システム情報要求はビットマップを含み、ビットマップ内の１つのビットが、第１のシステム情報を要求する必要があることを示す。
【０１１６】
実現可能な設計において、システム情報要求を送信した後に、ユーザ機器は、第１のシステム情報の周期的な時間−周波数リソース、第１のシステム情報の送信時間の最も近い時間−周波数リソース、又は第１のシステム情報の送信時間の最も近い送信機会において、第１のシステム情報を受信する。
【０１１７】
実現可能な設計において、第１のシステム情報は、第１のシステム情報に適用される有効時間を含む。
【０１１８】
実現可能な設計において、システム情報要求をネットワーク側デバイスにユーザ機器ＵＥが送信する段階の前に、本方法はさらに、ＵＥが最新のインジケーション情報を読み出し、ＵＥがシステム情報要求を送信して第１のシステム情報を取得する必要があるかどうかを判定する段階を含む。
【０１１９】
実現可能な設計において、システム情報要求をネットワーク側デバイスにユーザ機器が送信する段階の前に、本方法はさらに、次に受信される第１のシステム情報の時間−周波数リソース又は次に受信される第１のシステム情報の送信機会において、第１のシステム情報をユーザ機器が受信しない段階を含む。ユーザ機器はまず、次に受信される第１のシステム情報の時間−周波数リソース又は次に受信される第１のシステム情報の送信機会において、ユーザ機器が第１のシステム情報を受信するかどうかを判定する。
【０１２０】
第２６の態様によれば、本発明の一実施形態がシステム情報を送信するための方法を提供する。本方法は、ユーザ機器により送信されるシステム情報要求をネットワーク側デバイスが受信する段階であって、システム情報要求は第１のシステム情報をネットワーク側デバイスから取得するよう要求するのに用いられる、段階と、第１のシステム情報をネットワーク側デバイスがブロードキャストする段階とを含む。
【０１２１】
実現可能な設計において、ネットワーク側デバイスはブロードキャストメッセージを送信する。ブロードキャストメッセージはオンデマンドシステム情報のインジケーション情報を含み、インジケーション情報は第１のシステム情報のインジケーション情報を含む。インジケーション情報はシステム情報のインデックスを含むか、又はインジケーション情報はシステム情報のインデックス及びバリュータグを含むか、又はインジケーション情報はシステム情報のインデックス及びバリュータグ並びに少なくとも２つのシステム情報の共通バリュータグを含む。バリュータグは、システム情報の内容が変わったかどうかをＵＥが判定するのに用いられる。あるいは、インジケーション情報はビットマップを含み、ＵＥがシステム情報要求を送信することによって各ビットに対応するシステム情報を取得する必要があるかどうかを示すのに、ビットマップ内の各ビットの値が用いられる。
【０１２２】
実現可能な設計において、ネットワーク側デバイスはブロードキャストメッセージを送信する。ブロードキャストメッセージは、要求に応じてシステム情報を送信するように命令するインジケーション情報を含み、インジケーション情報は第１のシステム情報のインジケーション情報を含む。インジケーション情報は、ユーザ機器がシステム情報要求を送信してシステム情報を取得する必要があるかどうかを示すのに用いられる。
【０１２３】
実現可能な設計において、インジケーション情報はビットマップを含み、ビットマップは少なくとも１つのビットを含み、ユーザ機器がシステム情報要求を送信することによって各ビットに対応するシステム情報を取得する必要があるかどうかを示すのに、ビットマップ内の各ビットの値が用いられる。
【０１２４】
実行可能な設計において、ブロードキャストメッセージは、システム情報の時間−周波数リソース又は送信機会を含む。時間−周波数リソース又は送信機会は、時間−周波数リソース又は送信機会においてユーザ機器がシステム情報を取得するのに用いられる。
【０１２５】
実行可能な設計において、ブロードキャストメッセージはシステム情報の監視期間を含む。１つのケースとして、ユーザ機器がシステム情報を監視期間内に受信した場合、ユーザ機器はシステム情報を保存する。又は別のケースとして、ユーザ機器がシステム情報を監視期間内に受信しなかった場合、ユーザ機器はシステム情報をブロードキャストするようネットワーク側デバイスに要求する。
【０１２６】
実行可能な設計において、ネットワーク側デバイスは、ブロードキャストされた周期的な時間−周波数リソース又はブロードキャストされた送信機会から最も近い時間−周波数リソース又は最も近い送信機会を選択して、第１のシステム情報をブロードキャストする。
【０１２７】
実現可能な設計において、第１のシステム情報は、第１のシステム情報に適用される有効時間を含む。
【０１２８】
第２７の態様によれば、本発明の一実施形態が、メモリ、送受信機、及び少なくとも１つのプロセッサを含むユーザ機器を提供する。メモリは命令を格納する。メモリ、送受信機、及び少なくとも１つのプロセッサは、ケーブルを用いて相互接続される。送受信機は、第２５の態様において提供された方法における、ユーザ機器が情報を送受信するオペレーションを行うように構成される。少なくとも１つのプロセッサは、メモリに格納された命令を呼び出し、第２５の態様において提供された方法におけるユーザ機器により行われる処理オペレーションを実行する。
【０１２９】
第２８の態様によれば、本発明の一実施形態が、メモリ、送受信機、及び少なくとも１つのプロセッサを含むネットワーク側デバイスを提供する。メモリは命令を格納する。メモリ、送受信機、及び少なくとも１つのプロセッサは、ケーブルを用いて相互接続される。送受信機は、第２６の態様において提供された方法における、ネットワーク側デバイスが情報を送受信するオペレーションを行うように構成される。少なくとも１つのプロセッサは、メモリに格納された命令を呼び出し、第２６の態様において提供された方法における、ネットワーク側デバイスによって行われる処理オペレーションを実行する。
【０１３０】
第２９の態様によれば、本発明の一実施形態が、ユーザ機器に適用されるチップシステムを提供する。このチップシステムは、少なくとも１つのプロセッサ、メモリ、及びインタフェース回路を含む。インタフェース回路は、チップシステムと外部システムとの間の情報交換を担当する。メモリ、インタフェース回路、及び少なくとも１つのプロセッサは、ケーブルを用いて相互接続される。少なくとも１つのメモリは命令を格納する。命令は、少なくとも１つのプロセッサによって実行され、第２５の態様において提供された方法におけるユーザ機器のオペレーションを行う。
【０１３１】
第３０の態様によれば、本発明の一実施形態がネットワーク側デバイスに適用されるチップシステムを提供する。このチップシステムは、少なくとも１つのプロセッサ、メモリ、及びインタフェース回路を含む。インタフェース回路は、チップシステムと外部システムとの間の情報交換を担当する。メモリ、インタフェース回路、及び少なくとも１つのプロセッサは、ケーブルを用いて相互接続される。少なくとも１つのメモリは命令を格納する。命令は、少なくとも１つのプロセッサによって実行され、第２６の態様において提供された方法におけるネットワーク側デバイスのオペレーションを行う。
【０１３２】
第３１の態様によれば、本発明の一実施形態がユーザ機器に適用されるコンピュータ可読記憶媒体を提供する。このコンピュータ可読記憶媒体は命令を格納し、命令は演算処理デバイス上で実行され、第２５の態様において提供された方法におけるユーザ機器のオペレーションを行う。
【０１３３】
第３２の態様によれば、本発明の一実施形態がネットワーク側デバイスに適用されるコンピュータ可読記憶媒体を提供する。このコンピュータ可読記憶媒体は命令を格納し、命令は演算処理デバイス上で実行され、第２６の態様において提供された方法におけるネットワーク側デバイスのオペレーションを行う。
【０１３４】
第３３の態様によれば、本発明の一実施形態が、ネットワーク側デバイス及び／又はユーザ機器を含む通信システムを提供する。ネットワーク側デバイスは第２８の態様において提供されたネットワーク側デバイスであり、ユーザ機器は第２７の態様において提供されたユーザ機器である。
【０１３５】
第３４の態様によれば、本発明の一実施形態が、ユーザ機器に適用されるコンピュータプログラム製品を提供する。このコンピュータプログラム製品は一連の命令を含み、これらの命令は、第２５の態様において提供された方法におけるユーザ機器のオペレーションを行うように実行される。
【０１３６】
第３５の態様によれば、本発明の一実施形態が、ネットワーク側デバイスに適用されるコンピュータプログラム製品を提供する。このコンピュータプログラム製品は一連の命令を含み、これらの命令は、第２６の態様において提供された方法におけるネットワーク側デバイスのオペレーションを行うように実行される。
【０１３７】
上述したように、ＵＥにより送信されるシステム情報要求を受信した場合、ネットワーク側デバイスは、グループ識別子、又はグループ識別子及び時間−周波数リソースをＵＥに送信し得るので、ＵＥは、グループ識別子に基づいて時間−周波数リソースのスクランブルを解除し、ネットワーク側デバイスにより送信される第１のシステム情報を受信する。複数のＵＥが同じシステム情報を要求する場合には、ネットワーク側デバイスは、システム情報を伝送するために専用シグナリングを各ＵＥに送信する必要はないが、マルチキャスト方式でシステム情報を送信する。専用シグナリングを用いてシステム情報を送信する場合と比較すると、マルチキャスト方式はネットワークの時間−周波数リソースを節約する。あるいは、ＵＥにより送信されるシステム情報要求を受信した場合、ネットワーク側デバイスは、システム情報要求で要求された第１のシステム情報をブロードキャストしてよい。複数のＵＥが同じシステム情報を要求する場合には、基地局は専用シグナリングを用いて第１のシステム情報を各ＵＥに伝送することはないが、ブロードキャスト方式で第１のシステム情報をブロードキャストする。これにより、第１のシステム情報を現在必要とするＵＥが第１のシステム情報を受信できるようになるだけでなく、第１のシステム情報に関係している他のＵＥも、第１のシステム情報を基地局から取得するように要求することなく、第１のシステム情報を事前に受信できるようになる。ネットワークの比較的多数の時間−周波数リソースを占有する専用シグナリングを用いて第１のシステム情報を伝送する場合と比較すると、ブロードキャスト方式はネットワークの時間−周波数リソースを節約する。
【図面の簡単な説明】
【０１３８】
本発明の実施形態における技術的解決手段をより明確に説明するために、以下では、各実施形態又は従来技術を説明するのに必要な添付図面を簡潔に説明する。以下の説明における添付図面は、単に本発明の一部の実施形態を示すに過ぎず、当業者であれば、創造的努力をすることなく、これらの添付図面から他の図面を導き出し得ることは明らかである。
【０１３９】
【図１】本発明の一実施形態による通信システムの概略図である。
【０１４０】
【図２】本発明の一実施形態によるＵＥの構造の概略図である。
【０１４１】
【図３】本発明の一実施形態による、システム情報を送信するための方法に関する概略フローチャートである。
【０１４２】
【図４】本発明の一実施形態による、システム情報を送信するための方法に関する概略フローチャートである。
【０１４３】
【図５】本発明の一実施形態による、システム情報を送信するための方法に関する概略フローチャートである。
【０１４４】
【図６】本発明の一実施形態による、システム情報を送信するための方法に関する概略フローチャートである。
【０１４５】
【図７】本発明の一実施形態による、システム情報を送信するための方法に関する概略フローチャートである。
【０１４６】
【図７ａ】本発明の一実施形態による、システム情報をＵＥが取得する時間−周波数リソース又は送信機会の概略図である。
【０１４７】
【図８】本発明の一実施形態による、システム情報を送信するための方法に関する概略フローチャートである。
【０１４８】
【図９】本発明の一実施形態によるネットワーク側デバイスの構造の概略図である。
【０１４９】
【図１０】本発明の一実施形態によるＵＥの構造の概略図である。
【０１５０】
【図１１】本発明の一実施形態によるネットワーク側デバイスの構造の概略図である。
【０１５１】
【図１２】本発明の一実施形態によるＵＥの構造の概略図である。
【０１５２】
【図１３】本発明の一実施形態によるネットワーク側デバイスの構造の概略図である。
【０１５３】
【図１４】本発明の一実施形態によるネットワーク側デバイスの構造の概略図である。
【０１５４】
【図１５】本発明の一実施形態によるＵＥの構造の概略図である。
【０１５５】
【図１６】本発明の一実施形態によるＵＥの構造の概略図である。
【発明を実施するための形態】
【０１５６】
以下では、本発明の実施形態における添付図面を参照して、本発明の実施形態における技術的解決手段を明確且つ十分に説明する。説明される実施形態は、本発明の実施形態の全てではなく、単に一部の実施形態に過ぎないことは明らかである。当業者が本発明の実施形態に基づいて創造的努力をすることなく取得する他の全ての実施形態は、本発明の保護範囲に含まれることになる。
【０１５７】
本発明の実施形態は、ＵＥがＯｎ−ｄｅｍａｎｄ  ＳＩをネットワーク（Ｎｅｔｗｏｒｋ、ＮＷ）に要求する、言い換えれば、ＵＥがＳＩを必要とするときに、ＳＩがＮＷによりＵＥに送信されるというシナリオに適用されてよい。
【０１５８】
本発明の一実施形態が通信システムを提供する。図１に示すように、通信システムは少なくとも１つのＵＥとネットワーク側デバイスとを含む。ネットワーク側デバイスは基地局であってよい。ＵＥは、基地局のセルカバレッジエリア内にある。ＵＥは、システム情報要求をネットワーク側デバイスに送信するように構成され、ネットワーク側デバイスは、システム情報要求に従って、ＵＥにより要求されたシステム情報をマルチキャスト方式又はブロードキャスト方式でＵＥに送信するように構成される。
【０１５９】
本発明の実施形態において、ＵＥは以下に挙げるもののうちのいずれか１つであってよく、ＵＥは固定式又は移動式であってよい。ＵＥは、限定されるものではないが、ステーション（Ｓｔａｔｉｏｎ）、移動局（Ｍｏｂｉｌｅ  Ｓｔａｔｉｏｎ）、加入者ユニット（Ｓｕｂｓｃｒｉｂｅｒ  Ｕｎｉｔ）、パーソナルコンピュータ（Ｐｅｒｓｏｎａｌ  Ｃｏｍｐｕｔｅｒ）、ラップトップコンピュータ（Ｌａｐｔｏｐ  Ｃｏｍｐｕｔｅｒ）、タブレットコンピュータ（Ｔａｂｌｅｔ  Ｃｏｍｐｕｔｅｒ）、ネットブック（Ｎｅｔｂｏｏｋ）、端末（Ｔｅｒｍｉｎａｌ）、携帯電話（Ｃｅｌｌｕｌａｒ  Ｐｈｏｎｅ）、ハンドヘルド（Ｈａｎｄｈｅｌｄ）デバイス、コードレス電話（Ｃｏｒｄｌｅｓｓ  Ｐｈｏｎｅ）、携帯情報端末（Ｐｅｒｓｏｎａｌ  Ｄｉｇｉｔａｌ  Ａｓｓｉｓｔａｎｔ、略してＰＤＡ）、データカード（Ｄａｔａ  Ｃａｒｄ）、ユニバーサルシリアルバス（Ｕｎｉｖｅｒｓａｌ  Ｓｅｒｉａｌ  Ｂｕｓ、略してＵＳＢ）挿入デバイス、携帯型ＷｉＦｉホットスポットデバイス（ＭｉＦｉ  Ｄｅｖｉｃｅ）、スマートウォッチ、スマートグラス、無線モデム（英文：Ｍｏｄｅｍ）、無線ルータ、又は無線ローカルループ（Ｗｉｒｅｌｅｓｓ  Ｌｏｃａｌ  Ｌｏｏｐ、略してＷＬＬ）ステーションなどを含んでよい。基地局（ＮｏｄｅＢ）は、ロングタームエボリューション（Ｌｏｎｇ  Ｔｅｒｍ  Ｅｖｏｌｕｔｉｏｎ、ＬＴＥ）ネットワークの基地局、進化型汎用地上波無線アクセスネットワーク（ＵＭＴＳ  Ｔｅｒｒｅｓｔｒｉａｌ  Ｒａｄｉｏ  Ａｃｃｅｓｓ  Ｎｅｔｗｏｒｋ、ＵＴＲＡＮ）の基地局、又は、新無線ネットワークの基地局などであってよい。
【０１６０】
携帯電話であるＵＥが一例として用いられる。図２は、本発明のこの実施形態に関連した携帯電話の部分構造のブロック図を示す。図２を参照すると、携帯電話は、無線周波数（Ｒａｄｉｏ  Ｆｒｅｑｕｅｎｃｙ、ＲＦ）回路２１０、電源２２０、プロセッサ２３０、メモリ２４０、入力部２５０、表示部２６０、センサ２７０、及びオーディオ回路２８０などを含む。当業者であれば、図２に示す携帯電話の構造は携帯電話に対する限定にはならないことを理解するであろう。携帯電話は、図に示す構成要素より多い又は少ない構成要素を含んでよく、又はいくつかの構成要素を組み合わせてもよく、又は、異なる構成要素配置を有してもよい。
【０１６１】
基地局（ｂａｓｅ  ｓｔａｔｉｏｎ、ＢＳ）デバイスは、基地局とも呼ばれることがあり、無線通信機能を提供するために無線アクセスネットワークにデプロイされた装置である。例えば、２Ｇネットワークでは、基地局機能を提供するデバイスがベーストランシーバ基地局（ｂａｓｅ  ｔｒａｎｓｃｅｉｖｅｒ  ｓｔａｔｉｏｎ、ＢＴＳ）及び基地局コントローラ（ｂａｓｅ  ｓｔａｔｉｏｎ  ｃｏｎｔｒｏｌｌｅｒ、ＢＳＣ）を含み、３Ｇネットワークでは、基地局機能を提供するデバイスがノードＢ（ＮｏｄｅＢ）及び無線ネットワークコントローラ（ｒａｄｉｏ  ｎｅｔｗｏｒｋ  ｃｏｎｔｒｏｌｌｅｒ、ＲＮＣ）を含み、４Ｇネットワークでは、基地局機能を提供するデバイスがＥ−ＵＴＲＡＮ  ＮｏｄｅＢ（進化型ＮｏｄｅＢ、ｅＮＢ）を含み、５Ｇネットワークでは、基地局機能を提供するデバイスが新無線ノードＢ（Ｎｅｗ  Ｒａｄｉｏ  ＮｏｄｅＢ、ｇＮＢ）、集中型ユニット（Ｃｅｎｔｒａｌｉｚｅｄ  Ｕｎｉｔ、ＣＵ）、分散型ユニット（Ｄｉｓｔｒｉｂｕｔｅｄ  Ｕｎｉｔ）、及び新無線コントローラを含み、ＷＬＡＮでは、基地局機能を提供するデバイスがアクセスポイント（ａｃｃｅｓｓ  ｐｏｉｎｔ、ＡＰ）である。
【０１６２】
本発明の実施形態は、システム情報を送信するための方法、ＵＥ、及びネットワーク側デバイスを提供する。ネットワーク側デバイスは、上述の基地局又は任意の他のネットワーク側デバイスであってよい。ＵＥがシステム情報を取得する必要があり、システム情報要求を基地局に送信した場合、基地局は、システム情報を要求するのに用いられるシステム情報要求に従って、システム情報を要求する現在の要求数量を判定し得る。要求が少数しかない場合、基地局は専用シグナリングを用いてシステム情報を各ＵＥに送信してよい。要求が多数ある場合、基地局は、同じシステム情報を要求した複数のＵＥにグループ識別子（Ｇｒｏｕｐ  ＩＤ）、時間−周波数リソース、及びシステム情報をマルチキャスト方式で送信してよい。さらに多数の要求がある場合、基地局はシステム情報をＵＥにブロードキャスト方式で送信してよい。このようにして、複数のＵＥが同じシステム情報を要求した場合、基地局は、システム情報を複数のＵＥにマルチキャスト方式又はブロードキャスト方式で送信してよく、システム情報を要求した複数のＵＥのそれぞれに専用シグナリングを用いてシステム情報を送信する必要はない。これにより、複数の専用シグナリングで占有される、ネットワークの時間−周波数リソースが削減される。
【０１６３】
本発明の一実施形態が、システム情報を送信するための方法を提供する。以下では、システム情報要求を送信するＵＥにＮＷ側がシステム情報をマルチキャスト方式で送信する一例を説明する。ネットワーク側デバイスの場合、図３に示すように、本方法は以下の段階を含む。
【０１６４】
３０１：ネットワーク側デバイスは、ユーザ機器ＵＥにより送信されるシステム情報要求を受信する。システム情報要求は、第１のシステム情報をネットワーク側デバイスから取得するよう要求するのに用いられる。
【０１６５】
ネットワーク側デバイスは上述の基地局であってよく、第１のシステム情報は任意のＯｎ−ｄｅｍａｎｄ  ＳＩであってよい。
【０１６６】
３０２：ネットワーク側デバイスは、グループ識別子をＵＥに送信するか、又はグループ識別子と第１のシステム情報の時間−周波数リソースとをＵＥに送信する。
【０１６７】
ＵＥは、ネットワーク側デバイスがシステム情報をマルチキャスト方式で送信した場合、Ｇｒｏｕｐ  ＩＤに基づいて、受信したシステム情報の時間−周波数リソースのスクランブルを解除する。
【０１６８】
グループ識別子は、プロトコルで予め規定されてよく、又はプロトコルで予め規定されたルールに従って取得されてもよいことが理解されるであろう。
【０１６９】
例えば、基地局が、第１のシステム情報を要求する要求数量に基づいて、第１のシステム情報をマルチキャスト方式で送信すると判定した場合、基地局は、第１のシステム情報を要求するＵＥにＧｒｏｕｐ  ＩＤを送信してよい。この場合、Ｇｒｏｕｐ  ＩＤと時間−周波数リソースとの間の対応関係が、ＵＥのために事前設定されてよい。あるいは、基地局は、第１のシステム情報を要求するＵＥにＧｒｏｕｐ  ＩＤと第１のシステム情報の時間−周波数リソースとを送信してよい。
【０１７０】
３０３：ネットワーク側デバイスは第１のシステム情報をＵＥに送信する。
【０１７１】
ＵＥは、Ｇｒｏｕｐ  ＩＤに基づいて時間−周波数リソースのスクランブルを解除し、基地局により送信される第１のシステム情報を時間−周波数リソースに基づいて受信してよい。基地局は、専用シグナリングを用いて、第１のシステム情報を要求する各ＵＥに第１のシステム情報を伝送する必要はなく、第１のシステム情報をマルチキャスト方式で送信する。これにより、第１のシステム情報を送信するための、ネットワークの時間−周波数リソースが節約される。
【０１７２】
あるいは、段階３０２で、ネットワーク側デバイスは、Ｇｒｏｕｐ  ＩＤと第１のシステム情報の受信時間インジケーション情報とをＵＥに送信してよい。受信時間インジケーション情報は、ある時間範囲内で、ある時点で、又はある時間ウィンドウ内で、第１のシステム情報を受信するようＵＥに指示するのに用いられてよい。同様に、ＵＥは段階３０３で、受信時間インジケーション情報によって示されるある時点で、Ｇｒｏｕｐ  ＩＤに基づいて時間周波数リソースのスクランブルを解除し、ネットワーク側デバイスにより送信される第１のシステム情報を受信する。以下では、システム情報要求を送信するＵＥにＮＷ側がシステム情報をマルチキャスト方式で送信する一例を説明する。ＵＥについては、図４に示すように、本方法は以下の段階を含む。
【０１７３】
４０１：ＵＥはシステム情報要求をネットワーク側デバイスに送信する。システム情報要求は、第１のシステム情報をネットワーク側デバイスから取得するよう要求するのに用いられる。
【０１７４】
４０２：ＵＥは、ネットワーク側デバイスにより送信されるグループ識別子を受信するか、又はネットワーク側デバイスにより送信されるグループ識別子と第１のシステム情報の時間−周波数リソースとを受信する。
【０１７５】
あるいは、ＵＥは、ネットワーク側デバイスにより送信されるＧｒｏｕｐ  ＩＤと第１のシステム情報の受信時間インジケーション情報とを受信してよい。受信時間インジケーション情報は、ある時間範囲内で、ある時点で、又はある時間ウィンドウ内で、第１のシステム情報を受信するようＵＥに指示するのに用いられてよい。
【０１７６】
あるいは、グループ識別子は、プロトコルで予め規定されてよく、又はプロトコルで予め規定されたルールに従ってＵＥにより取得されてもよい。
【０１７７】
４０３：ＵＥは、グループ識別子と取得された第１のシステム情報の時間−周波数リソースとに基づいて、ネットワーク側デバイスにより送信される第１のシステム情報を受信する。
【０１７８】
あるいは、ＵＥは、受信時間インジケーション情報によって示される時点で、Ｇｒｏｕｐ  ＩＤに基づいて時間−周波数リソースのスクランブルを解除し、ネットワーク側デバイスにより送信される第１のシステム情報を受信してよい。
【０１７９】
以下では、本発明の実施形態をさらに説明する。
【０１８０】
本発明の一実施形態が、システム情報を送信するための方法を提供する。以下では、システム情報要求を送信するＵＥにＮＷ側がシステム情報をマルチキャスト方式で送信する一例を説明する。ネットワーク側デバイスが基地局であるという一例を用いて、図５に示すように、本方法は以下の段階を含む。
【０１８１】
５０１：ネットワーク側デバイスは第１のブロードキャストメッセージを送信する。第１のブロードキャストメッセージはオンデマンドシステム情報のインジケーション情報を含む。
【０１８２】
ネットワーク側デバイスは、以下の説明における基地局である。
【０１８３】
基地局は、ｉｍｐｏｒｔａｎｔ  ＳＩをブロードキャストによってＵＥに送信してよい。Ｏｎ−ｄｅｍａｎｄ  ＳＩの場合、基地局は、システム情報要求を送信してＯｎ−ｄｅｍａｎｄ  ＳＩを取得するようＵＥに指示するために、Ｏｎ−ｄｅｍａｎｄ  ＳＩのインジケーション情報をＵＥにブロードキャストしてよい。特に指定しない限り、以下の実施形態で言及されるＳＩはＯｎ−ｄｅｍａｎｄ  ＳＩのことを指している。
【０１８４】
インジケーション情報は、リスト又はビットマップの形であってよい。
【０１８５】
第１のブロードキャストメッセージは、リスト（Ｏｎ−ｄｅｍａｎｄ  ＳＩ  ｌｉｓｔ）又はＳＩを示すためのビットマップ（ｂｉｔｍａｐ）を含んでよい。
【０１８６】
インジケーション情報がリストを含む場合、このリストは、システム情報のインデックス（ｎｕｍｂｅｒ）を含むか、又はシステム情報のインデックス及びバリュータグ（Ｖａｌｕｅ  Ｔａｇ、ＶＴ）を含むか、又はシステム情報のインデックス及びバリュータグ並びに少なくとも２つのシステム情報の共通バリュータグ（ｃｏｍｍｏｎ  ＶＴ）を含んでよい。バリュータグは、システム情報の内容が変わったかどうかをＵＥが判定するのに用いられる。
【０１８７】
例えば、表１に示すように、リストがＳＩのインデックス及びバリュータグを含む場合、インジケーション情報は以下の通りになり得る。
［表１］
【表１】
2019525616.tif 000003
【０１８８】
表１のＯｎ−ｄｅｍａｎｄ  ＳＩ  ｎｕｍは、ＳＩのインデックスを表しており、例えば、これらのインデックスはＳＩ１及びＳＩ２である。ＶＴはＳＩに対応するバリュータグを表しており、例えば、１及び３である。リストはＶＴを含まなくてもよい。リストを受信した場合、ＵＥは、システム情報要求を送信することによってどのＳＩを取得する必要があるかをインデックスに基づいて判定し得る。具体的には、ＳＩのインデックスとＳＩとの間の対応関係がＵＥのために設定される。ＵＥは、受信リスト内のＳＩのインデックスと対応関係とに従って、システム情報要求を送信することによってどのＳＩを取得する必要があるかを認識し得る。この対応関係は、ＵＥのために基地局によって事前設定されてよい。
【０１８９】
リストが、ＳＩのインデックス、バリュータグ、及び共通バリュータグを含む場合、ＳＩのインデックスはＳＩ１、ＳＩ２、ＳＩ３、及びＳＩ４を含み、これらのインデックスは、ＳＩ  ｇｒｏｕｐ１及びＳＩ  ｇｒｏｕｐ２という２つのグループに分割されることが想定されている。ＳＩ  ｇｒｏｕｐ１はＳＩ１及びＳＩ２を含み、ＳＩ  ｇｒｏｕｐ２はＳＩ３及びＳＩ４を含む。ＳＩ  ｇｒｏｕｐ１のｃｏｍｍｏｎ  ＶＴは０であり、ＳＩ  ｇｒｏｕｐ２のｃｏｍｍｏｎ  ＶＴは１である。表２に示すように、インジケーション情報は以下の通りであってよい。
［表２−１］
【表２】
2019525616.tif 000004
［表２−２］
【表３】
2019525616.tif 000005
【０１９０】
ＳＩ１のＶＴが１である場合、ＳＩ２のＶＴは３であり、対応するＳＩ  ｇｒｏｕｐ１のｃｏｍｍｏｎ  ＶＴは１であることが表２−２から分かる。ＳＩ１及びＳＩ２のいずれかの情報内容が変わった場合、ＳＩに対応するＶＴも変わり、ＳＩ１及びＳＩ２に対応するＳＩ  ｇｒｏｕｐ１のｃｏｍｍｏｎ  ＶＴもこれに応じて変わる。例えば、ＳＩに対応するＶＴが１だけ増加した場合、ＳＩ  ｇｒｏｕｐ１のｃｏｍｍｏｎ  ＶＴの値が１だけ増加する。同様に、ＳＩ３及びＳＩ４のいずれかの情報内容が変わった場合、ＳＩに対応するＶＴも変わり、ＳＩ３及びＳＩ４に対応するＳＩ  ｇｒｏｕｐ２のｃｏｍｍｏｎ  ＶＴもこれに応じて変わる。ＳＩの情報内容が変わり、対応するＶＴが引き続いて増加する場合、ＶＴの値が特定の値範囲内に制限され得ることに留意されたい。例えば、ＶＴの値範囲は１〜１６である。ＳＩの内容が頻繁に変わる場合、ＶＴに対応する値が最大値１６に変わった後に、ＳＩの内容が再度変わるならば、ＶＴに対応する値は１６からＶＴの最小値１に更新され得る。
【０１９１】
第１のブロードキャストメッセージがＯｎ−ｄｅｍａｎｄ  ＳＩを示すためのビットマップを含む場合、ビットマップ内の各ビットの値は、ＵＥがシステム情報要求を送信することによって各ビットに対応するＳＩを取得する必要があるかどうかを示すためのものである。例えば、ビットマップは００１１かもしれない。これらのビットは、順にＳＩ１、ＳＩ２、ＳＩ３、及びＳＩ４に対応する。０のビット値は、対応するＳＩがブロードキャストされていないことを示すので、ＵＥは、システム情報要求を送信することによって、対応するＳＩを取得する必要がある。１のビット値は、対応するＳＩがブロードキャストされていることを示すので、ＵＥは、ブロードキャスト内のスケジューリング情報に従って、ＳＩの時間−周波数リソースを取得し、ＳＩを受信することができる。
【０１９２】
第１のブロードキャストメッセージは周期的にブロードキャストされ得るので、基地局の対象セルに新たに加わったＵＥは、システム情報要求を送信することによってＳＩのインジケーション情報を遅滞なく受信することに留意されたい。
【０１９３】
５０２：ＵＥはシステム情報要求をネットワーク側デバイスに送信する。システム情報要求は、第１のシステム情報をネットワーク側デバイスから取得するよう要求するのに用いられる。
【０１９４】
インジケーション情報を受信した後に、インジケーション情報によって示された１つのＳＩをＵＥが取得する必要がある場合、ＵＥはシステム情報要求を基地局に送信する。システム情報要求は、ＳＩのインデックスを含んでよい。システム情報要求は、ビットマップを含んでよい。ビットマップは、第１のシステム情報をネットワーク側デバイスから取得するよう要求するのに用いられてよい。ビットマップは、少なくとも１つのビットを含む。各ビットは、異なるシステム情報に対応してよく、各ビットに対応する第１のシステム情報を取得するよう要求するかどうかを示すのに用いられてよい。例えば、１つのビットの値が１である場合、このビットに対応するシステム情報を取得するようＵＥが要求することを示している。ビットの値が０である場合、このビットに対応するシステム情報を取得するようＵＥが要求しないことを示している。ビットの値が１である場合、このビットに対応するシステム情報を取得するようＵＥが要求しないことを示しており、ビットの値が０である場合、このビットに対応するシステム情報を取得するようＵＥが要求することを示していることが理解されるであろう。ＵＥがＳＩの情報内容を保存しており、ＳＩの更新された情報内容を基地局から取得するために現時点でシステム情報を送信する場合、システム情報要求はＳＩのインデックス及びＶＴを含んでよい。
【０１９５】
例えば、ＵＥが取得するよう要求するシステム情報がＳＩ１及びＳＩ３を含む場合、ＵＥにより送信されるシステム情報要求（Ｒｅｑｕｅｓｔ）の情報内容を表３−１が示す。
［表３−１］
【表４】
2019525616.tif 000006
【０１９６】
例えば、ＵＥが取得するよう要求するシステム情報はＳＩ１及びＳＩ３を含む。要求に基づいてネットワーク側デバイスにより送信されるシステム情報がＳＩ１、ＳＩ２、ＳＩ３、及びＳＩ４を含み得る場合、ビットマップ内の右端のビットがＳＩ１に対応し、左端のビットがＳＩ４に対応するという例示的な対応方式において、表３−２はＵＥにより送信されるシステム情報要求（Ｒｅｑｕｅｓｔ）の情報内容を示す。
［表３−２］
【表５】
2019525616.tif 000007
【０１９７】
ビットマップがシステム情報にどのように対応するかを表す方式が、代替的に、ビットマップ内の右端のビットがＳＩ４に対応し、左端のビットがＳＩ１に対応するというものであってもよいことが理解されるであろう。
【０１９８】
システム情報要求がＳＩのインデックス及びＶＴを含む場合、表４が、ＵＥにより送信されるシステム情報要求の情報内容を示す。
［表４］
【表６】
2019525616.tif 000008
【０１９９】
システム情報要求が、ＳＩのインデックスを搬送するがＳＩのＶＴを搬送しない場合、段階５０５が段階５０２の直後に行われてもよい。システム情報要求がＳＩのインデックス及びＶＴを搬送する場合、段階５０３が段階５０２の後に行われてよい。
【０２００】
５０３：ネットワーク側デバイスは、第１のシステム情報をＵＥに送信するかどうかを判定する。ネットワーク側デバイスが第１のシステム情報をＵＥに送信すると判定した場合、ネットワーク側デバイスは段階５０５を行う。ネットワーク側デバイスが第１のシステム情報をＵＥに送信しないと判定した場合、ネットワーク側デバイスは段階５０４を行う。
【０２０１】
システム情報要求がＵＥにより要求される第１のシステム情報ＳＩのインデックス及びＶＴを含む場合、基地局はまず、ＵＥにより送信される第１のシステム情報ＳＩのＶＴと基地局が保存しているＳＩのＶＴとが同じであるかどうかを判定してよい。これらのＶＴが同じである場合、ＵＥが現在保存している第１のシステム情報の内容が利用可能であることを示しており、段階５０４がすぐ次に行われてよい。これらのＶＴが異なる場合、基地局は、基地局側にある第１のシステム情報の内容が更新されていると判定し、基地局は、新たな第１のシステム情報の内容をＵＥに送信する必要がある。例えば、ＵＥにより送信されるシステム情報要求内のＳＩのインデックスがＳＩ３であり、ＶＴが３であるならば、基地局は、システム情報要求を受信する場合、基地局が現在保存しているＳＩ３のＶＴをＳＩのインデックスＳＩ３に基づいて取得する。基地局が保存しているＳＩ３のＶＴが３である場合、基地局は、ＵＥが現在保存しているＳＩ３の内容が有効であることを示すために、確認応答（Ａｃｋｎｏｗｌｅｄｇｅｍｅｎｔ、ＡＣＫ）メッセージをＵＥに送信すると判定する。基地局が保存しているＳＩ３のＶＴが４である場合、基地局側のＳＩ３の内容が更新されていることを示しており、基地局は更新されたＳＩ３をＵＥに送信する必要がある。
【０２０２】
５０４：ネットワーク側デバイスは、ＵＥが保存している第１のシステム情報を引き続き用いるようＵＥに指示するために、確認応答ＡＣＫメッセージをＵＥに送信する。
【０２０３】
ＵＥのシステム情報要求がＳＩの複数のインデックス及びＶＴを含む場合、ネットワーク側デバイスにより送信されるＡＣＫメッセージは、対応するＳＩのインデックスを示す必要があるので、ＵＥは、どのＳＩの内容が更新の必要がないかを認識することが理解されるであろう。
【０２０４】
５０５：ネットワーク側デバイスは、グループ識別子をＵＥに送信するか、又はグループ識別子と第１のシステム情報の時間−周波数リソースとをＵＥに送信する。
【０２０５】
あるいは、ネットワーク側デバイスは、Ｇｒｏｕｐ  ＩＤと第１のシステム情報の受信時間インジケーション情報とをＵＥに送信してよい。受信時間インジケーション情報は、ある時間範囲内で、ある時点で、又はある時間ウィンドウ内で、第１のシステム情報を受信するようＵＥに指示するのに用いられてよい。
【０２０６】
グループ識別子が、プロトコルで予め規定されるか、又はプロトコルで予め規定されたルールに従って取得され得る場合、段階５０５を行う必要はないことが理解されるであろう。この実施形態は、ネットワーク側デバイスがグループ識別子をＵＥに送信するという一例を用いるが、グループ識別子を取得する他の方式に制限を設けない。
【０２０７】
ＵＥは、ネットワーク側デバイスがシステム情報をマルチキャスト方式で送信した場合、Ｇｒｏｕｐ  ＩＤに基づいて、受信したシステム情報の時間−周波数リソースのスクランブルを解除する。
【０２０８】
第１の実施例において、基地局は、少なくとも１つのＧｒｏｕｐ  ＩＤとＵＥの時間−周波数リソースとの間の対応関係を事前設定してよい。ＵＥが第１のシステム情報を要求した場合、基地局は、第１のシステム情報を要求するＵＥに専用シグナリングを送信してよい。専用シグナリングは、Ｇｒｏｕｐ  ＩＤに対応する第１のシステム情報の時間−周波数リソースを対応関係に従って取得し、さらに時間−周波数リソースに基づいて第１のシステム情報を受信するようＵＥに指示するために、第１のシステム情報を要求するＵＥに割り当てられるＧｒｏｕｐ  ＩＤを含む。具体的には、基地局は、ある時間−周波数リソースをＯｎ−ｄｅｍａｎｄ  ＳＩの時間−周波数リソースとして事前設定し、Ｇｒｏｕｐ  ＩＤと時間−周波数リソースとの間の対応関係を確立してよい。Ｇｒｏｕｐ  ＩＤを受信した後に、ＵＥは、事前設定された時間−周波数リソースを読み出し、事前設定された時間−周波数リソースを復調して第１のシステム情報を取得しようとする。あるいは、基地局は、少なくとも１つのＧｒｏｕｐ  ＩＤとＵＥの受信時間インジケーション情報との間の対応関係を事前設定してよい。ＵＥが第１のシステム情報を要求した場合、基地局は、第１のシステム情報を要求するＵＥに専用シグナリングを送信してよい。専用シグナリングは、Ｇｒｏｕｐ  ＩＤと受信時間インジケーション情報との間の対応関係に従って第１のシステム情報のＧｒｏｕｐ  ＩＤに対応する受信時間を取得し、さらにこの受信時間に基づいて第１のシステム情報を受信するようＵＥに指示するために、第１のシステム情報を要求するＵＥに割り当てられるＧｒｏｕｐ  ＩＤを含む。言い換えれば、基地局は特定の受信時間インジケーション情報をＯｎ−ｄｅｍａｎｄ  ＳＩの受信時間として事前設定し、Ｇｒｏｕｐ  ＩＤと受信時間との間の対応関係を確立してよい。Ｇｒｏｕｐ  ＩＤを受信した後に、ＵＥは、事前設定された受信時間を読み出し、事前設定された受信時間を復調して第１のシステム情報を取得しようとする。
【０２０９】
第２の実施例において、基地局は、第１のシステム情報を要求するＵＥに専用シグナリングを送信してよい。専用シグナリングは、基地局により送信される第１のシステム情報をＧｒｏｕｐ  ＩＤ及び時間−周波数リソースを用いて受信するようＵＥに指示するために、Ｇｒｏｕｐ  ＩＤと第１のシステム情報の時間−周波数リソースとを含む。
【０２１０】
第３の実施例において、基地局は、第１のシステム情報を要求するＵＥに専用シグナリングを送信してよい。専用シグナリングはＧｒｏｕｐ  ＩＤを含む。基地局は、第１のシステム情報を要求するＵＥに第２のブロードキャストメッセージを送信してよい。第２のブロードキャストメッセージは、Ｇｒｏｕｐ  ＩＤ及び時間−周波数リソースを用いて第１のシステム情報を受信するようＵＥに指示するために、第１のシステム情報の時間−周波数リソースを含む。例えば、基地局はマスター情報ブロック（Ｍａｓｔｅｒ  Ｉｎｆｏｒｍａｔｉｏｎ  Ｂｌｏｃｋ、ＭＩＢ）又はスケジューリングブロック（ｓｃｈｅｄｕｌｉｎｇ  ｂｌｏｃｋ、ＳＢ）を用いて、第１のシステム情報の時間−周波数リソースを搬送してよい。言い換えれば、第２のブロードキャストメッセージはＭＩＢ若しくはＳＢであってよく、又は別のメッセージ形式であってもよい。このことは、本出願において限定されるものではない。
【０２１１】
第４の実施例において、基地局は、第１のシステム情報を要求するＵＥに専用シグナリングを送信してよい。専用シグナリングは、Ｇｒｏｕｐ  ＩＤと第１のシステム情報の受信時間インジケーション情報とを含む。受信時間インジケーション情報は、ある時間範囲内で、ある時点で、又はある時間ウィンドウ内で、第１のシステム情報を受信するようＵＥに指示するのに用いられ得るので、ＵＥは、Ｇｒｏｕｐ  ＩＤ及び受信時間インジケーション情報を用いて、基地局により送信される第１のシステム情報を受信する。
【０２１２】
第５の実施例において、基地局は、第１のシステム情報を要求するＵＥに専用シグナリングを送信してよい。専用シグナリングはＧｒｏｕｐ  ＩＤを含む。基地局は、第１のシステム情報を要求するＵＥに第２のブロードキャストメッセージを送信してよい。第２のブロードキャストメッセージは、Ｇｒｏｕｐ  ＩＤ及び受信時間インジケーション情報を用いて第１のシステム情報を受信するようＵＥに指示するために、第１のシステム情報の受信時間インジケーション情報を含む。例えば、基地局はマスター情報ブロックＭＩＢ又はスケジューリングブロックＳＢを用いて、第１のシステム情報の受信時間インジケーション情報を搬送してよい。言い換えれば、第２のブロードキャストメッセージはＭＩＢ若しくはＳＢであってよく、又は別のメッセージ形式であってもよい。本出願は、そのことに限定されるものではない。
【０２１３】
任意選択的に、基地局がＧｒｏｕｐ  ＩＤをＵＥに送信するか、又はＧｒｏｕｐ  ＩＤ及び時間−周波数リソースをＵＥに送信する場合、第１のシステム情報は時間−周波数リソースを送信するためのメッセージで搬送されてよい。言い換えれば、第１の実施例において基地局がＧｒｏｕｐ  ＩＤを送信する場合、専用シグナリングはＧｒｏｕｐ  ＩＤ及び第１のシステム情報を含んでよい。第２の実施例において基地局が専用シグナリングを送信する場合、専用シグナリングはＧｒｏｕｐ  ＩＤ、時間−周波数リソース、及び第１のシステム情報を含む。第３の実施例において基地局が第２のブロードキャストメッセージを送信する場合、第２のブロードキャストメッセージは時間−周波数リソース及び第１のシステム情報を含む。
【０２１４】
５０６：ネットワーク側デバイスは第１のシステム情報をＵＥに送信する。
【０２１５】
基地局は、Ｇｒｏｕｐ  ＩＤ、又はＧｒｏｕｐ  ＩＤ及び時間−周波数リソース、又はＧｒｏｕｐ  ＩＤ及び受信時間インジケーション情報を、第１のシステム情報を要求するＵＥに送信するか、又はＵＥは、Ｇｒｏｕｐ  ＩＤをプロトコルで予め規定されたように、若しくはプロトコルで予め規定されたルールに従って取得してよく、したがって、基地局は第１のシステム情報を要求するＵＥに第１のシステム情報をマルチキャスト方式で送信してよい。
【０２１６】
要求に応じて送信される各システム情報は、１つのＧｒｏｕｐ  ＩＤに対応してよく、又は要求に応じて送信される少なくとも２つのシステム情報が同じｃｏｍｍｏｎ  Ｇｒｏｕｐ  ＩＤに対応する。
【０２１７】
ネットワーク側デバイスにより送信される第１のシステム情報は、第１のシステム情報のインデックスを含んでよく、又は第１のシステム情報のインデックス及びＶＴを含んでよく、又は、第１のシステム情報のインデックス及びＶＴ並びに少なくとも２つのシステム情報のｃｏｍｍｏｎ  ＶＴを含んでよい。
【０２１８】
任意選択的に、ネットワーク側デバイスにより送信される第１のシステム情報はさらに、第１のシステム情報に適用される有効時間を含んでよい。有効時間は、有効時間が終了してＵＥが第１のシステム情報を取得する必要がある場合、第１のシステム情報の内容をネットワーク側デバイスから再取得するようＵＥに指示するのに用いられる。有効時間はさらに、第１のシステム情報の時間−周波数リソースの有効時間を示すのに用いられてよい。例えば、有効時間が終了して、ＵＥが第１のシステム情報を取得する必要がある場合、ＵＥは、時間−周波数リソースを取得する事前設定された方式に基づいて、更新された時間−周波数リソースを取得してよい。例えば、更新された時間−周波数リソースは、システム情報要求が送信された後の、ｋ番目のサブフレームから（ｋ＋ｎ）番目のサブフレームにある時間−周波数リソースである。あるいは、ＵＥは、有効時間が終了する前に、新たな時間−周波数リソースを基地局から取得してもよい。
【０２１９】
５０７：ＵＥは、グループ識別子と取得された第１のシステム情報の時間−周波数リソースとに基づいて、ネットワーク側デバイスにより送信される第１のシステム情報を受信する。
【０２２０】
この実施形態は、ネットワーク側デバイスがＧｒｏｕｐ  ＩＤをＵＥに搬送するために専用シグナリングを用いるという一例を用いるが、グループ識別子を取得する他の方式に制限を設けない。
【０２２１】
第１の実施例が段階５０５に適用される場合、言い換えれば、専用シグナリングがＧｒｏｕｐ  ＩＤを搬送する場合、ＵＥは、Ｇｒｏｕｐ  ＩＤと時間−周波数リソースとの間の対応関係に従って、時間−周波数リソースを取得してよい。例えば、Ｇｒｏｕｐ  ＩＤに対応する時間−周波数リソースは、ＵＥがシステム情報要求を送信した後に、若しくはＵＥが専用シグナリングを受信した後に、ｋ番目（ｋは正の整数）のサブフレームに配置される。又は時間−周波数リソースは、ＵＥがシステム情報要求を送信した後に、若しくはＵＥが専用シグナリングを受信した後に、ｋ番目のサブフレームウィンドウから（ｋ＋ｎ）番目（ｎは正の整数）のサブフレームウィンドウに配置される。ＵＥが第１のシステム情報の時間−周波数リソースを受信すると判定した場合、ＵＥは、時間−周波数リソースに対応する時間領域及び周波数領域で第１のシステム情報を受信する。
【０２２２】
第２の実施例が段階５０５に適用される場合、言い換えれば、専用シグナリングがＧｒｏｕｐ  ＩＤと第１のシステム情報の時間−周波数リソースとを搬送する場合、ＵＥは、受信したＧｒｏｕｐ  ＩＤに基づいて時間−周波数リソースのスクランブルを解除し、スクランブルを解除した時間−周波数リソースに基づいて、基地局により送信される第１のシステム情報を受信する。
【０２２３】
第３の実施例が段階５０５に適用される場合、言い換えれば、専用シグナリングがＧｒｏｕｐ  ＩＤを搬送する場合、ＭＩＢ又はＳＢは第１のシステム情報の時間−周波数リソースを搬送し、ＵＥはまず、ＭＩＢ又はＳＢで搬送される時間−周波数リソースを読み出し、さらに、基地局により送信される第１のシステム情報を時間−周波数リソースに基づいて受信してよい。Ｇｒｏｕｐ  ＩＤは、第１のシステム情報を要求するＵＥに基地局により送信される第１のシステム情報のスクランブルを解除するのに用いられる。
【０２２４】
任意選択的に、時間−周波数リソースは受信時間インジケーション情報に置き換えられてよい。言い換えれば、基地局は周波数領域情報をＵＥに送信することはない。第１のシステム情報を受信した場合、ＵＥはまず、受信時間インジケーション情報に従って、ある時間範囲、ある時点、又はある時間ウィンドウを取得し、Ｇｒｏｕｐ  ＩＤ及び受信時間インジケーション情報に従って第１のシステム情報を受信する。
【０２２５】
第４の実施例が段階５０５に適用される場合、言い換えれば、専用シグナリングがＧｒｏｕｐ  ＩＤと第１のシステム情報の受信時間インジケーション情報とを搬送する場合、ＵＥは、受信したＧｒｏｕｐ  ＩＤに基づいて、受信時間インジケーション情報で示される時間−周波数リソースのスクランブルを解除し、スクランブルを解除した時間−周波数リソースに基づいて、基地局により送信される第１のシステム情報を受信する。第５の実施例が段階５０５に適用される場合、言い換えれば、専用シグナリングがＧｒｏｕｐ  ＩＤを搬送し、ＭＩＢ又はＳＢが第１のシステム情報の受信時間インジケーション情報を搬送する場合、ＵＥはまず、ＭＩＢ又はＳＢで搬送される受信時間インジケーション情報を取得してよく、さらに、基地局により送信される第１のシステム情報を時間−周波数リソースに基づいて受信する。
【０２２６】
システム情報要求で要求される第１のシステム情報が少なくとも２つのシステム情報、例えば、ＳＩ１及びＳＩ２を含み、且つ第１のシステム情報がＳＩ１及びＳＩ２のｃｏｍｍｏｎ  Ｇｒｏｕｐ  ＩＤを搬送する場合、ＵＥはｃｏｍｍｏｎ  Ｇｒｏｕｐ  ＩＤを用いて、第１のシステム情報に対応する時間−周波数リソースのスクランブルを解除してよい。もちろん、ＳＩ１及びＳＩ２はそれぞれ１つのＧｒｏｕｐ  ＩＤに対応してもよく、このことは本出願において限定されるものではない。
【０２２７】
さらに、Ｇｒｏｕｐ  ＩＤとページング周期（ｐａｇｉｎｇ）との間の対応関係がＵＥのために事前設定されてもよい。ＵＥがＧｒｏｕｐ  ＩＤを受信した場合、ＵＥは対応するページング周期を対応関係に従って取得してよい。具体的には、ページング周期に到達すると、ＵＥは基地局により送信されるページングメッセージを受信し、Ｇｒｏｕｐ  ＩＤを用いて、受信したページングメッセージのスクランブルを解除する。
【０２２８】
ネットワーク側デバイスはさらに、ページングメッセージをページング周期に基づいてＵＥに送信してよい。ページングメッセージは、最後に更新された第１のシステム情報をページングメッセージに基づいて取得するようＵＥに指示するのに用いられる。ページングメッセージは、ネットワーク側デバイスによって最後に更新された第１のシステム情報のインデックス、第１のシステム情報の内容、第１のシステム情報のＶＴ、又は第１のシステム情報の時間−周波数リソースのうちの少なくとも１つを含む。ページングメッセージが第１のシステム情報の内容を搬送する場合、ＵＥは、現在保存されている第１のシステム情報を直接更新する。ページングメッセージが第１のシステム情報のＶＴを搬送する場合、ＵＥは、受信したＶＴをＵＥが現在保存している第１のシステム情報のＶＴと比較してよい。これらのＶＴが異なる場合、ＵＥは、第１のシステム情報の内容は更新されていると判定し、ＵＥは、現在保存されている第１のシステム情報の内容を消去する。ＵＥが第１のシステム情報を必要とする場合、ＵＥは、新たなシステム情報をネットワーク側デバイスに要求するシステム情報要求を開始する。ページングメッセージが第１のシステム情報の時間−周波数リソースを搬送する場合、ＵＥは、ページングメッセージ内の第１のシステム情報の時間−周波数リソースを取得し得るので、ＵＥは、新たな時間−周波数リソースに基づいて新たな第１のシステム情報を受信する。
【０２２９】
任意選択的に、ページングメッセージはさらに、第１のシステム情報に対応するｃｏｍｍｏｎ  ＶＴを搬送してよい。例えば、第１のシステム情報はＳＩ３及びＳＩ４を含む。ページングメッセージを受信した場合、ＵＥは、ｃｏｍｍｏｎ  ＶＴが変わったことを比較して判定し、ＳＩ３及び／又はＳＩ４の情報内容が変わったことを認識する。ＵＥはさらに、ネットワーク側デバイスにより送信されるＭＩＢ又はＳＢ内のスケジューリング情報に基づいて、ＳＩ３及び／又はＳＩ４の情報内容が変わったかどうかを判定してよい。スケジューリング情報はＳＩ３及びＳＩ４のＶＴを含む。ＵＥは、ＳＩ３及びＳＩ４のＶＴを現在保存されているＳＩ３及び／又はＳＩ４のＶＴと比較して、ＳＩ３及び／又はＳＩ４の情報内容が変わったかどうかを判定し、変化後のシステム情報を基地局から取得するように要求してよい。
【０２３０】
任意選択的に、第１のシステム情報を受信した場合、ＵＥは第１のシステム情報に対応するＧｒｏｕｐ  ＩＤを削除してよい。ＵＥが第１のシステム情報を次に必要とする場合、ＵＥは、システム情報要求を基地局に再度送信して、更新された第１のシステム情報の情報内容を取得する。
【０２３１】
上述したように、本発明のこの実施形態で提供されたシステム情報送信方法では、ＵＥが任意のＯｎ−ｄｅｍａｎｄ  ＳＩ、すなわち、第１のシステム情報を取得する必要がある場合、ＵＥは、システム情報要求をネットワーク側デバイスに送信し、ＵＥに割り当てられるグループ識別子、又はグループ識別子及び時間−周波数リソース、又はグループ識別子及び受信時間インジケーション情報をネットワーク側デバイスから受信するので、ＵＥは、グループ識別子及び取得された時間−周波数リソース又は受信時間インジケーション情報に基づいて、第１のシステム情報をネットワーク側デバイスから受信する。ネットワーク側デバイスは、第１のシステム情報を要求するＵＥにグループ識別子を割り当てる。第１のシステム情報を要求するＵＥが多数ある場合、ネットワーク側デバイスは、従来技術でネットワーク側デバイスが行うように、第１のシステム情報を要求する各ＵＥに専用シグナリングを送信することはない。本出願において、ネットワーク側デバイスは、グループ識別子、又はグループ識別子及び時間−周波数リソース、又はグループ識別子及び受信時間インジケーション情報をＵＥに送信するので、ネットワーク側デバイスは、第１のシステム情報をマルチキャスト方式でＵＥに送信してよく、ＵＥは、グループ識別子及び取得された時間−周波数リソースに基づいて第１のシステム情報をネットワーク側デバイスから受信してよい。これにより、システム情報を搬送する専用シグナリングをネットワーク側デバイスが各ＵＥに送信する場合に占有されるネットワークの時間−周波数リソースが削減される。
【０２３２】
本発明の一実施形態がさらに、システム情報を送信するための方法を提供する。以下では、ＮＷ側がシステム情報をブロードキャスト方式で送信する一例を説明する。ネットワーク側デバイスの場合、図６に示すように、本方法は以下の段階を含む。
【０２３３】
６０１：ネットワーク側デバイスは、ユーザ機器ＵＥにより送信されるシステム情報要求を受信する。システム情報要求は、第１のシステム情報をネットワーク側デバイスから取得するよう要求するのに用いられる。
【０２３４】
ネットワーク側デバイスは基地局であってよく、第１のシステム情報は任意のＯｎ−ｄｅｍａｎｄ  ＳＩであってよい。
【０２３５】
６０２：ネットワーク側デバイスは第１のシステム情報をブロードキャストする。
【０２３６】
例えば、ネットワーク側デバイスが、第１のシステム情報をある期間内に要求する要求数量に基づいて、第１のシステム情報をブロードキャストすると判定した場合、ネットワーク側デバイスは第１のシステム情報をブロードキャストする。次に、第１のシステム情報を要求するＵＥは、第１のシステム情報を受信し且つ保存してよく、第１のシステム情報に関係しているＵＥも、後で使用するために、第１のシステム情報を受信し且つ保存してよい。ネットワーク側デバイスは、従来技術でネットワーク側デバイスが行うように、第１のシステム情報を要求する各ＵＥに第１のシステム情報を伝送するための専用シグナリングを送信する必要はないが、第１のシステム情報をブロードキャスト方式で送信する。これにより、ネットワークの時間−周波数リソースが節約される。
【０２３７】
あるいは、ネットワーク側デバイスが、第１のシステム情報をある期間内に要求する要求数量に基づいて、第１のシステム情報をブロードキャストすると判定した場合、ネットワーク側デバイスは最初に、第１のシステム情報の時間−周波数リソースをブロードキャストし、次いで、ブロードキャストされた時間−周波数リソースで第１のシステム情報をブロードキャストし得るので、第１のシステム情報を要求するＵＥは、ネットワーク側デバイスによりブロードキャストされた第１のシステム情報の時間−周波数リソースで第１のシステム情報を受信し且つ保存する。
【０２３８】
あるいは、ネットワーク側デバイスは、第１のシステム情報の時間−周波数リソース又は送信機会を周期的にブロードキャストしてよい。ネットワーク側デバイスが、第１のシステム情報をある期間内に要求する要求数量に基づいて、第１のシステム情報をブロードキャストすると判定した場合、ネットワーク側デバイスは、ブロードキャストされる周期的な時間−周波数リソース又はブロードキャストされる送信機会から、最も近い時間−周波数リソース又は最も近い送信機会を選択して、第１のシステム情報をブロードキャストする。第１のシステム情報を要求するＵＥは、ネットワーク側デバイスによりブロードキャストされる第１のシステム情報の周期的な時間−周波数リソース又は送信機会から、最も近い時間−周波数リソース又は最も近い送信機会を選択して、第１のシステム情報を受信し且つ保存してよい。
【０２３９】
以下では、ＮＷ側がシステム情報をブロードキャスト方式で送信する一例を説明する。ＵＥの場合、図７に示すように、本方法は以下の段階を含む。
【０２４０】
７０１：ＵＥはシステム情報要求をネットワーク側デバイスに送信する。システム情報要求は、第１のシステム情報をネットワーク側デバイスから取得するよう要求するのに用いられる。
【０２４１】
７０２：ＵＥは、ネットワーク側デバイスにより送信される第１のブロードキャストメッセージを受信する。第１のブロードキャストメッセージは第１のシステム情報を含む。
【０２４２】
あるいは、ネットワーク側デバイスによりブロードキャストされる第１のシステム情報の時間−周波数リソースを受信した後に、ＵＥは、ネットワーク側デバイスによりブロードキャストされる第１のシステム情報を時間−周波数リソースで受信する。
【０２４３】
あるいは、ネットワーク側デバイスにより周期的にブロードキャストされる第１のシステム情報の時間−周波数リソース又は送信機会をＵＥが受信する場合において、ＵＥが第１のシステム情報を取得する必要があるならば、ＵＥはシステム情報要求をネットワーク側デバイスに送信し、ネットワーク側デバイスによりブロードキャストされる第１のシステム情報の周期的な時間−周波数リソース又は送信機会から、最も近い時間−周波数リソース又は最も近い送信機会を選択し、第１のシステム情報を受信し且つ保存する。図７ａのパートＡに示すように、Ｔ０、Ｔ３、及びＴ６が、第１のシステム情報の周期的な時間−周波数リソース又は送信機会を示す。ＵＥが第１のシステム情報をＴ０とＴ３との間の期間内に取得する必要がある場合、ＵＥはシステム情報要求を基地局に送信する。ＵＥは、次の周期的な時間−周波数リソース又は次の送信機会Ｔ３で、基地局により送信される第１のシステム情報ＳＩを受信してよい。
【０２４４】
あるいは、ネットワーク側デバイスにより周期的にブロードキャストされる第１のシステム情報の時間−周波数リソース又は送信機会をＵＥが受信する場合において、ＵＥが第１のシステム情報を取得する必要があるならば、ＵＥはまず、次に受信される第１のシステム情報の時間−周波数リソース又は次に受信される第１のシステム情報の送信機会においてＵＥが第１のシステム情報を受信するかどうかを判定する。ＵＥが第１のシステム情報を受信した場合、ＵＥは第１のシステム情報を保存する。ＵＥが第１のシステム情報を受信しなかった場合、ＵＥはシステム情報要求をネットワーク側デバイスに送信し、次の次にネットワーク側デバイスにより周期的に送信される第１のシステム情報の時間周波数リソース又は送信機会において第１のシステム情報を受信し且つ保存する。図７ａのパートＢに示すように、Ｔ０、Ｔ３、及びＴ６が、第１のシステム情報の周期的な時間−周波数リソース又は送信機会を示す。ＵＥが、Ｔ０とＴ３との間の期間内に第１のシステム情報を取得する必要がある場合、ＵＥはまず、ある期間（図７ａのパートＢに破線で表される）待って、次の期間に受信される時間−周波数リソース又は送信機会においてＵＥが第１のシステム情報ＳＩを受信するかどうかを判定してよい。ＵＥが第１のシステム情報ＳＩを受信した場合、ＵＥは第１のシステム情報ＳＩを保存する。ＵＥが第１のシステム情報ＳＩを受信しなかった場合、ＵＥはｂで示される時点でシステム情報要求を送信し、基地局の次の期間Ｔ６で示される時間−周波数リソース又は送信機会において第１のシステム情報ＳＩを受信する。
【０２４５】
以下ではさらに、ＮＷ側がシステム情報をブロードキャスト方式でどのように送信するかを説明する。
【０２４６】
本発明の一実施形態がさらに、システム情報を送信するための方法を提供する。以下では、ＮＷ側がシステム情報をブロードキャスト方式で送信する一例を説明する。図８に示すように、本方法は以下の段階を含む。
【０２４７】
８０１：ネットワーク側デバイスがブロードキャストメッセージを送信する。ブロードキャストメッセージはオンデマンドシステム情報のインジケーション情報を含む。
【０２４８】
段階８０１を実現する方式は、段階５０１の方式と同様であるので、再度ここで詳細は説明しない。段階５０１の第１のブロードキャストメッセージは、段階８０１のブロードキャストメッセージに相当する。
【０２４９】
段階５０１との違いは、段階８０１のブロードキャストメッセージがＳＩの時間−周波数リソース又は送信機会をさらに含み得るという点にあり、これは、時間−周波数リソース又は送信機会に基づいてＳＩを取得するようＵＥに指示するのに用いられる。任意選択的に、ＳＩの時間−周波数リソース又は送信機会は、ネットワーク側デバイスにより周期的にブロードキャストされてよい。時間−周波数リソースは、ＳＩを送信するためのシステム情報ウィンドウであってよく、送信機会は送信周期であってよい。
【０２５０】
あるいは、段階８０１のブロードキャストメッセージはＳＩの監視期間をさらに含んでよく、これは、ＵＥが監視期間内にＳＩを受信した場合、ＳＩを保存するようＵＥに指示するのに用いられる。ＵＥがＳＩを監視期間内に受信しなかった場合、ＵＥは、ＳＩをブロードキャストするようネットワーク側デバイスに要求する。
【０２５１】
８０２：ＵＥはシステム情報要求をネットワーク側デバイスに送信する。システム情報要求は、第１のシステム情報をネットワーク側デバイスから取得するよう要求するのに用いられる。
【０２５２】
段階８０２のネットワーク側デバイスにＵＥがシステム情報要求を送信する方式は、段階５０２の方式と同様であり得るので、再度ここで詳細は説明しない。
【０２５３】
段階８０１のブロードキャストメッセージが、ネットワーク側デバイスによって周期的にブロードキャストされた受信済みの時間−周波数リソース又は受信済みの送信機会を含む場合、ＵＥは、第１のシステム情報を要求するためにシステム情報要求をネットワーク側デバイスに送信し、ネットワーク側デバイスにより送信される第１のシステム情報を、最後に受信される時間−周波数リソース又は最後に受信される送信機会において受信する。
【０２５４】
あるいは、段階８０１のブロードキャストメッセージが、ネットワーク側デバイスによって周期的にブロードキャストされた受信済みの時間−周波数リソース又は受信済みの送信機会を含む場合、ＵＥはまず、最後に受信される時間−周波数リソース又は最後に受信される送信機会において、ネットワーク側デバイスにより送信される第１のシステム情報をＵＥが受信するかどうかを判定する。ＵＥが第１のシステム情報を受信した場合、ＵＥは第１のシステム情報を保存する。ＵＥが第１のシステム情報を受信しなかった場合、ＵＥは、第１のシステム情報を要求するために、システム情報要求をネットワーク側デバイスに送信する。
【０２５５】
ブロードキャストメッセージがＯｎ−ｄｅｍａｎｄ  ＳＩの監視期間を含み、ＵＥが任意のＯｎ−ｄｅｍａｎｄ  ＳＩ、すなわち、第１のシステム情報を取得する必要がある場合、ＵＥはまず、タイマーを始動させてよい。タイマーの長さは、取得する必要があるＳＩの監視期間である。タイマーが終了する前に、ＵＥは、ネットワーク側デバイスにより送信されるＳＩをＵＥが受信したかどうかを監視する。任意選択的に、ネットワーク側デバイスによりブロードキャストされ且つＵＥにより受信される時間−周波数リソース又は送信機会は、ＳＩを受信するのに用いられてよい。ＵＥがＳＩを受信した場合、ＵＥはＳＩを保存して、タイマーの時間計測を停止させる。ＵＥがＳＩを受信しなかった場合、ＵＥはシステム情報要求をネットワーク側デバイスに送信する。システム情報要求は、第１のシステム情報のインデックスを含むか、又は第１のシステム情報のインデックス及びＶＴを含んでよい。任意選択方式で、ＵＥがシステム情報要求を送信した後に、ＵＥは任意のＯｎ−ｄｅｍａｎｄ  ＳＩ、すなわち、第１のシステム情報を取得する必要があることが理解されるであろう。任意選択方式で、タイマーを始動させる前に、ＵＥはまず、ネットワーク側デバイスによりブロードキャストされるインジケーション情報を用いて、第１のシステム情報がブロードキャスト方式で送信されるかどうかを判定してよく、第１のシステム情報がブロードキャスト方式で送信されると判定した場合、ＵＥはタイマーを始動させることが理解されるであろう。
【０２５６】
８０３：ネットワーク側デバイスは、第１のシステム情報をブロードキャストするかどうかを判定する。ネットワーク側デバイスが第１のシステム情報をブロードキャストすると判定した場合、ネットワーク側デバイスは段階８０５を行う。ネットワーク側デバイスが第１のシステム情報をブロードキャストしないと判定した場合、ネットワーク側デバイスは段階８０４を行う。
【０２５７】
システム情報要求がＵＥにより要求される第１のシステム情報ＳＩのインデックス及びＶＴを含む場合、基地局はまず、ＵＥにより送信される第１のシステム情報ＳＩのＶＴと基地局が保存しているＳＩのＶＴとが同じであるかどうかを判定してよい。これらのＶＴが同じである場合、ＵＥが現在保存している第１のシステム情報の内容が利用可能であることを示しており、段階８０４がすぐ次に行われてよい。これらのＶＴが異なる場合、基地局は、基地局側に関する第１のシステム情報の内容が更新されていると判定し、基地局は、新たな第１のシステム情報の内容をＵＥに送信する必要がある。例えば、ＵＥにより送信されるシステム情報要求内のＳＩのインデックスがＳＩ３であり、ＶＴが３であるならば、基地局は、システム情報要求を受信する場合、基地局が現在保存しているＳＩ３のＶＴをＳＩのインデックスＳＩ３に基づいて判定する。基地局が保存しているＳＩ３のＶＴが３である場合、基地局は、ＵＥが現在保存しているＳＩ３の内容が有効であることを示すために、ＡＣＫメッセージをＵＥに送信すると判定する。基地局が保存しているＳＩ３のＶＴが４である場合、基地局側のＳＩ３の内容が更新されていることを示しており、基地局は更新されたＳＩ３をＵＥに送信する必要がある。
【０２５８】
８０４：ネットワーク側デバイスは、ＵＥが保存している第１のシステム情報を引き続き用いるようＵＥに指示するために、確認応答メッセージをＵＥに送信する。
【０２５９】
確認応答メッセージは、ＡＣＫメッセージであってよい。ＵＥにより送信されるシステム情報要求が、ＳＩの複数のインデックス及びＶＴを含む場合、ネットワーク側デバイスにより送信されるＡＣＫメッセージは対応するＳＩのインデックスを示す必要があるので、ＵＥは、どのシステム情報が更新の必要がないかを判定することが理解されるであろう。
【０２６０】
８０５：ネットワーク側デバイスは第１のシステム情報をブロードキャストする。
【０２６１】
一実施例において、ネットワーク側デバイスが第１のシステム情報をブロードキャストすると判定した場合、ネットワーク側デバイスは第１のシステム情報をブロードキャストする。
【０２６２】
別の実施例において、ネットワーク側デバイスは第１のシステム情報をブロードキャストすると判定した場合、ネットワーク側デバイスはまず、第１のシステム情報の時間−周波数リソース又は送信機会をブロードキャストし、次に、第１のシステム情報をブロードキャストするので、ＵＥは、受信した時間−周波数リソース又は受信した送信機会に基づいて、ネットワーク側デバイスにより送信される第１のシステム情報を受信する。
【０２６３】
さらに別の実施例において、段階８０２に従って、ネットワーク側デバイスが第１のシステム情報の時間−周波数リソース又は送信機会を周期的にブロードキャストし、ＵＥが第１のシステム情報を取得する必要がある場合、ＵＥは第１のシステム情報を送信するようネットワーク側デバイスに要求する。この場合、ネットワーク側デバイスは第１のシステム情報をブロードキャストし、ＵＥは、ＵＥが第１のシステム情報を要求した後に、最も近い時間−周波数リソース又は最も近い送信機会において、ネットワーク側デバイスによりブロードキャストされる第１のシステム情報を受信する。
【０２６４】
さらに別の実施例において、段階８０２に従って、ネットワーク側デバイスが第１のシステム情報の時間−周波数リソース又は送信機会を周期的にブロードキャストし、ＵＥが第１のシステム情報を取得する必要がある場合に、最後に受信した時間−周波数リソース又は最後に受信した送信機会においてＵＥが第１のシステム情報を受信しなかったならば、ＵＥは第１のシステム情報を送信するようネットワーク側デバイスに要求する。この場合、ネットワーク側デバイスは第１のシステム情報をブロードキャストし、ＵＥは、ＵＥが第１のシステム情報を要求した後に受信される時間−周波数リソース又は送信機会において、ネットワーク側デバイスによりブロードキャストされる第１のシステム情報を受信する。
【０２６５】
第１のシステム情報は第１のシステム情報のインデックスを含んでよく、又は第１のシステム情報のインデックス及びＶＴを含んでよく、又は第１のシステム情報のインデックス及びＶＴ並びに少なくとも２つのシステム情報のｃｏｍｍｏｎ  ＶＴを含んでよい。
【０２６６】
第１のシステム情報をブロードキャストする前に、基地局は、無線ネットワーク一時識別子（Ｒａｄｉｏ  Ｎｅｔｗｏｒｋ  Ｔｅｍｐｏｒａｒｙ  Ｉｄｅｎｔｉｆｉｅｒ、ＲＮＴＩ）を用いて第１のシステム情報にスクランブルをかけてよい。あるＲＮＴＩを、周期的に送信されるＳＩ、すなわち、ｉｍｐｏｒｔａｎｔ  ＳＩによって用いられるＲＮＴＩと区別するために、Ｏｎ−ｄｅｍａｎｄ  ＳＩ及びｉｍｐｏｒｔａｎｔ  ＳＩは異なるＲＮＴＩを用いてよい。Ｏｎ−ｄｅｍａｎｄ  ＳＩのＲＮＴＩは、もともとはＵＥ側に存在し得るか、又は基地局によってＵＥにブロードキャストされ得る。このことは、本出願において限定されるものではない。
【０２６７】
ＵＥがＯｎ−ｄｅｍａｎｄ  ＳＩを必要とする場合、ＵＥは、基地局によりブロードキャストされるインジケーション情報に基づいて、基地局がブロードキャスト方式でＳＩをブロードキャストすることを認識する。ＳＩを保存していないがＳＩを取得する必要があるＵＥでは、ＵＥがタイマーを始動させているが、タイマーが終了していない場合、ＵＥはＳＩを受信し且つ保存して、タイマーの時間計測を停止させる。ＳＩを保存していない又はＳＩを必要としないＵＥ（すなわち、ＵＥはタイマーを一時的に始動させないが、ＳＩに関係している）では、ＵＥがＳＩを受信するならば、ＵＥは、後で使用するためにＳＩを受信し且つ保存してよい。
【０２６８】
基地局により送信されるＳＩを受信した場合、ＵＥは、ＳＩで搬送されているＶＴに基づいて、ＵＥが現在保存しているＳＩの内容を更新する必要があるかどうかを判定してよい。具体的には、ＵＥは、受信したＳＩのＶＴを、ＵＥが現在保存しているＳＩに対応するＶＴと比較してよい。これらのＶＴが同じである場合、更新の必要はなく、ＵＥは現在保存しているＳＩを引き続き用いる。これらのＶＴが異なる場合、ＳＩの内容は、基地局から受信したＳＩの内容に更新される。
【０２６９】
さらに、基地局が第１のシステム情報をブロードキャストした後に、基地局は、段階８０１でブロードキャストされたインジケーション情報を更新する必要がある。例えば、基地局は、ブロードキャストされた第１のシステム情報に基づいて、ブロードキャストされたインジケーション情報を更新する。
【０２７０】
インジケーション情報がリストである場合、基地局は、第１のシステム情報のインジケーション情報をリストから削除してよい。例えば、基地局が第１のシステム情報をブロードキャストする前に、リストが、表５に示すように、ＳＩ１及びＳＩ２のインデックス及びＶＴを含む場合、インジケーション情報は以下の通りである。
［表５］
【表７】
2019525616.tif 000009
【０２７１】
基地局が第１のシステム情報ＳＩ２をブロードキャストする場合、基地局は新たなインジケーション情報をＵＥにブロードキャストする必要がある。ブロードキャストされた第１のシステム情報ＳＩ２のインデックス及びＶＴはインジケーション情報から削除され、更新されたインジケーション情報が表６に示される。
［表６］
【表８】
2019525616.tif 000010
【０２７２】
同様に、基地局が第１のシステム情報ＳＩ２のブロードキャストをキャンセルする必要がある場合、言い換えれば、ＳＩ２の情報内容が変わっていない場合、基地局は、表７に示すインジケーション情報を再送信してよい。
［表７］
【表９】
2019525616.tif 000011
【０２７３】
ブロードキャストメッセージのインジケーション情報がビットマップである場合、言い換えれば、Ｏｎ−ｄｅｍａｎｄ  ＳＩを示すのにビットマップが用いられる場合、ＵＥがシステム情報要求を送信することによって各ビットに対応するＳＩを取得する必要があるかどうかを示すのに、ビットマップ内の各ビットの値が用いられる。例えば、ビットマップは００１１かもしれない。これらのビットは、順にＳＩ１、ＳＩ２、ＳＩ３、及びＳＩ４に対応する。０のビット値は、対応するＳＩがブロードキャストされていないことを示すので、ＵＥは、システム情報要求を送信することによって、ＳＩを取得する必要がある。１のビット値は、対応するＳＩがブロードキャストされていることを示すので、ＵＥは、ブロードキャスト内のスケジューリング情報に基づいて、ＳＩの時間−周波数リソースを直接取得し、ＳＩを受信することができる。基地局が第１のシステム情報ＳＩ２をブロードキャストした場合、基地局はブロードキャストされたビットマップを０１１１に更新する必要がある。同様に、基地局が第１のシステム情報ＳＩ２のブロードキャストをキャンセルした場合、基地局はブロードキャストされるビットマップを再度００１１に更新する必要がある。
【０２７４】
ＵＥがシステム情報を取得する必要がある場合、ＵＥは、最新のビットマップを読み出して、ＵＥがシステム情報要求を送信することによって各ビットに対応するＳＩを取得する必要があるかどうかを示すのに、ビットマップ内の各ビットの値が用いられると判定する必要がある。各ビットに対応するＳＩをＵＥがシステム情報要求を送信することによって取得する必要があるとＵＥが判定した場合、ＵＥはシステム情報要求を開始する。具体的な段階に関する詳細については、上述の説明を参照されたい。
【０２７５】
ビットマップの変化は、ページングメッセージを用いてＵＥに通知されなくてもよく、またＵＥは、システム情報を取得する必要がある場合にだけ最新のビットマップを読み出すことが理解されるであろう。
【０２７６】
本出願の一実施形態がさらに、ネットワーク側デバイスがページングメッセージをＵＥに送信する段階を含む技術的解決手段を提供する。ページングメッセージは、最後に更新された第１のシステム情報をページングメッセージに基づいて取得するようＵＥに指示するのに用いられ、ページングメッセージは、ネットワーク側デバイスによって最後に更新された第１のシステム情報のインデックス、第１のシステム情報の内容、第１のシステム情報のバリュータグ値、又は第１のシステム情報の時間−周波数リソースのうちの少なくとも１つを含む。具体的には、実現可能な設計において、ネットワーク側デバイスはページング周期に基づいてページングメッセージをＵＥに送信してよい。ページングメッセージは、最後に更新された第１のシステム情報をページングメッセージに基づいて取得するようＵＥに指示するのに用いられる。ページングメッセージは、ネットワーク側デバイスによって最後に更新された第１のシステム情報のインデックス、第１のシステム情報の内容、第１のシステム情報のＶＴ、又は第１のシステム情報の時間−周波数リソースのうちの少なくとも１つを含む。具体的には、第１のシステム情報のインデックスは、リストで示されてもよく、又はビットマップ内の対応するビットで示されてもよい。ページングメッセージが第１のシステム情報の内容を搬送する場合、ＵＥは、現在保存されている第１のシステム情報を直接更新する。ページングメッセージが第１のシステム情報のＶＴを搬送する場合、ＵＥは、受信したＶＴをＵＥが現在保存している第１のシステム情報のＶＴと比較してよい。これらのＶＴが異なる場合、ＵＥは、第１のシステム情報の内容は更新されていると判定し、ＵＥは、現在保存されている第１のシステム情報の内容を消去する。ＵＥが第１のシステム情報を必要とする場合、ＵＥは、新たなシステム情報をネットワーク側デバイスに要求するシステム情報要求を開始する。ページングメッセージが第１のシステム情報の時間−周波数リソースを搬送する場合、ＵＥは、ページングメッセージ内の第１のシステム情報の時間−周波数リソースを取得し得るので、ＵＥは、新たな時間−周波数リソースに基づいて新たな第１のシステム情報を受信する。
【０２７７】
任意選択的に、ページングメッセージはさらに、第１のシステム情報に対応するｃｏｍｍｏｎ  ＶＴを搬送してよい。例えば、第１のシステム情報はＳＩ３及びＳＩ４を含む。ページングメッセージを受信した場合、ＵＥは、ｃｏｍｍｏｎ  ＶＴが変わったことを比較して判定し、ＳＩ３及び／又はＳＩ４の情報内容が変わったことを認識する。ＵＥはさらに、ネットワーク側デバイスにより送信されるＭＩＢ又はＳＢ内のスケジューリング情報に基づいて、ＳＩ３及び／又はＳＩ４の情報内容が変わったかどうかを判定してよい。スケジューリング情報はＳＩ３及びＳＩ４のＶＴを含む。ＵＥは、ＳＩ３及びＳＩ４のＶＴを現在保存されているＳＩ３及び／又はＳＩ４のＶＴと比較して、ＳＩ３及び／又はＳＩ４の情報内容が変わったかどうかを判定し、変化後のシステム情報を基地局から取得するように要求してよい。
【０２７８】
本出願はさらに、以下の実施形態を提供する。
【０２７９】
実施形態１：システム情報を送信するための方法が提供される。本方法は、ユーザ機器ＵＥによって送信されるシステム情報要求をネットワーク側デバイスが受信する段階であって、システム情報要求は第１のシステム情報をネットワーク側デバイスから取得するよう要求するのに用いられる、段階と、グループ識別子をＵＥにネットワーク側デバイスが送信するか、又はグループ識別子と第１のシステム情報の時間−周波数リソースとをＵＥにネットワーク側デバイスが送信する段階と、第１のシステム情報をＵＥにネットワーク側デバイスが送信する段階とを含む。
【０２８０】
実施形態２：実施形態１の方法によれば、本方法はさらに、第１のブロードキャストメッセージをネットワーク側デバイスが送信する段階を含む。第１のブロードキャストメッセージは、オンデマンドシステム情報のインジケーション情報を含み、インジケーション情報は第１のシステム情報のインジケーション情報を含む。インジケーション情報はシステム情報のインデックスを含むか、又はインジケーション情報はシステム情報のインデックス及びバリュータグを含むか、又はインジケーション情報はシステム情報のインデックス及びバリュータグ並びに少なくとも２つのシステム情報の共通バリュータグを含む。バリュータグは、システム情報の内容が変わったかどうかをＵＥが判定するのに用いられる。あるいは、インジケーション情報はビットマップを含み、ＵＥがシステム情報要求を送信することによって各ビットに対応するシステム情報を取得する必要があることを示すのに、ビットマップ内の各ビットの値が用いられる。
【０２８１】
実施形態３：実施形態１又は２の方法によれば、グループ識別子をＵＥにネットワーク側デバイスが送信する段階は、グループ識別子と時間−周波数リソースとの間の対応関係をＵＥのためにネットワーク側デバイスが事前設定する段階と、第１のシステム情報を要求するＵＥに専用シグナリングをネットワーク側デバイスが送信する段階とを含む。専用シグナリングは、グループ識別子に対応する時間−周波数リソースを対応関係に従って取得し、次いで第１のシステム情報を受信するようＵＥに指示するために、グループ識別子を含む。グループ識別子と第１のシステム情報の時間−周波数リソースとをＵＥにネットワーク側デバイスが送信する段階は、第１のシステム情報を要求するＵＥに専用シグナリングをネットワーク側デバイスが送信する段階であって、専用シグナリングは、グループ識別子及び時間−周波数リソースを用いて第１のシステム情報を受信するようＵＥに指示するために、グループ識別子と第１のシステム情報の時間−周波数リソースとを含む、段階か、又は第１のシステム情報を要求するＵＥにグループ識別子を含む専用シグナリングをネットワーク側デバイスが送信し、第２のブロードキャストメッセージをＵＥに送信する段階であって、第２のブロードキャストメッセージは、グループ識別子及び時間−周波数リソースを用いて第１のシステム情報を受信するようＵＥに指示するために、第１のシステム情報の時間−周波数リソースを含む、段階を含む。
【０２８２】
実施形態４：実施形態１から３のいずれか１つのネットワーク側デバイスによれば、要求に応じて送信される各システム情報は１つのグループ識別子に対応するか、又は要求に応じて送信される少なくとも２つのシステム情報は同じ共通クループ識別子に対応する。第１のシステム情報は第１のシステム情報のインデックスを含むか、又は第１のシステム情報のインデックス及びバリュータグを含むか、又は第１のシステム情報のインデックス及びバリュータグ並びに少なくとも２つのシステム情報の共通バリュータグを含む。第１のシステム情報はさらに、第１のシステム情報に適用される有効時間を含み得る。有効時間は、第１のシステム情報を取得する有効時間が終了した場合、第１のシステム情報の内容をネットワーク側デバイスから再取得するようＵＥに指示するのに用いられる。
【０２８３】
実施形態５：ネットワーク側デバイスが提供される。ネットワーク側デバイスは、ユーザ機器ＵＥにより送信されるシステム情報要求を受信するように構成された受信部であって、システム情報要求は第１のシステム情報をネットワーク側デバイスから取得するよう要求するのに用いられる、受信部と、グループ識別子をＵＥに送信するように構成された送信部とを含む。又はネットワーク側デバイスはグループ識別子と第１のシステム情報の時間−周波数リソースとをＵＥに送信する。送信部はさらに、第１のシステム情報をＵＥに送信するように構成される。
【０２８４】
実施形態６：実施形態５のネットワーク側デバイスによれば、送信部はさらに、第１のブロードキャストメッセージを送信するように構成される。第１のブロードキャストメッセージは、オンデマンドシステム情報のインジケーション情報を含み、インジケーション情報は第１のシステム情報のインジケーション情報を含む。インジケーション情報はシステム情報のインデックスを含むか、又はインジケーション情報はシステム情報のインデックス及びバリュータグを含むか、又はインジケーション情報はシステム情報のインデックス及びバリュータグ並びに少なくとも２つのシステム情報の共通バリュータグを含む。バリュータグは、システム情報の内容が変わったかどうかをＵＥが判定するのに用いられる。あるいは、インジケーション情報はビットマップを含み、ＵＥがシステム情報要求を送信することによって各ビットに対応するシステム情報を取得する必要があることを示すのに、ビットマップ内の各ビットの値が用いられる。
【０２８５】
実施形態７：実施形態５又は６のネットワーク側デバイスによれば、送信部は、グループ識別子と時間−周波数リソースとの間の対応関係をＵＥのために事前設定するように構成される。ネットワーク側デバイスは、第１のシステム情報を要求するＵＥに専用シグナリングを送信する。専用シグナリングは、グループ識別子に対応する時間−周波数リソースを対応関係に従って取得し、次に第１のシステム情報を受信するようＵＥに指示するために、グループ識別子を含む。あるいは、送信部は、第１のシステム情報を要求するＵＥに専用シグナリングを送信するように構成され、専用シグナリングは、グループ識別子及び時間−周波数リソースを用いて第１のシステム情報を受信するようＵＥに指示するために、グループ識別子と第１のシステム情報の時間−周波数リソースとを含む。あるいは、送信部は、第１のシステム情報を要求するＵＥに専用シグナリングを送信することであって、専用シグナリングはグループ識別子を含む、送信することと、第２のブロードキャストメッセージをＵＥに送信することであって、第２のブロードキャストメッセージは、グループ識別子及び時間−周波数リソースを用いて第１のシステム情報を受信するようＵＥに指示するために、第１のシステム情報の時間−周波数リソースを含む、送信することとを行うように構成される。
【０２８６】
実施形態８：実施形態５から７のいずれか１つのネットワーク側デバイスによれば、要求に応じて送信される各システム情報は１つのグループ識別子に対応するか、又は要求に応じて送信される少なくとも２つのシステム情報は同じ共通クループ識別子に対応する。第１のシステム情報は第１のシステム情報のインデックスを含むか、又は第１のシステム情報のインデックス及びバリュータグを含むか、又は第１のシステム情報のインデックス及びバリュータグ並びに少なくとも２つのシステム情報の共通バリュータグを含む。第１のシステム情報はさらに、第１のシステム情報に適用される有効時間を含み得る。有効時間は、第１のシステム情報を取得する有効時間が終了した場合、第１のシステム情報の内容をネットワーク側デバイスから再取得するようＵＥに指示するのに用いられる。
【０２８７】
実施形態９：システム情報を送信するための方法が提供される。本方法は、システム情報要求をネットワーク側デバイスにユーザ機器ＵＥが送信する段階であって、システム情報要求は第１のシステム情報をネットワーク側デバイスから取得するよう要求するのに用いられる、段階と、ネットワーク側デバイスにより送信されるグループ識別子をＵＥが受信するか、又はネットワーク側デバイスにより送信されるグループ識別子と第１のシステム情報の時間−周波数リソースとをＵＥが受信する段階と、グループ識別子と取得された第１のシステム情報の時間−周波数リソースとに基づいて、ネットワーク側デバイスにより送信される第１のシステム情報をＵＥが受信する段階とを含む。
【０２８８】
実施形態１０：実施形態９の方法によれば、システム情報要求をＵＥが送信する段階の前に、本方法はさらに、ネットワーク側デバイスにより送信される第１のブロードキャストメッセージをＵＥが受信する段階を含む。第１のブロードキャストメッセージはオンデマンドシステム情報のインジケーション情報を含み、インジケーション情報は第１のシステム情報のインジケーション情報を含む。インジケーション情報はシステム情報のインデックスを含むか、又はインジケーション情報はシステム情報のインデックス及びバリュータグを含むか、又はインジケーション情報はシステム情報のインデックス及びバリュータグ並びに少なくとも２つのシステム情報の共通バリュータグを含む。バリュータグは、システム情報の内容が変わったかどうかをＵＥが判定するのに用いられる。あるいは、インジケーション情報はビットマップを含み、ＵＥがシステム情報要求を送信することによって各ビットに対応するシステム情報を取得する必要があることを示すのに、ビットマップ内の各ビットの値が用いられる。
【０２８９】
実施形態１１：実施形態９又は１０の方法によれば、ネットワーク側デバイスにより送信されるグループ識別子をＵＥが受信する段階は、ネットワーク側デバイスにより送信される専用シグナリングをＵＥが受信する段階を含み、専用シグナリングはグループ識別子を含む。グループ識別子と取得された第１のシステム情報の時間−周波数リソースとに基づいて、ネットワーク側デバイスにより送信される第１のシステム情報をＵＥが受信する段階は、グループ識別子と事前設定された時間−周波数リソースとの間の対応関係に従って、第１のシステム情報の時間−周波数リソースをＵＥが取得する段階と、第１のシステム情報の時間−周波数リソースに基づいて、ネットワーク側デバイスにより送信される第１のシステム情報をＵＥが受信する段階とを含む。
【０２９０】
実施形態１２：実施形態９又は１０の方法によれば、ネットワーク側デバイスにより送信されるグループ識別子と第１のシステム情報の時間−周波数リソースとをＵＥが受信する段階は、ネットワーク側デバイスにより送信される専用シグナリングをＵＥが受信する段階であって、専用シグナリングはグループ識別子と第１のシステム情報の時間周波数リソースとを含む、段階、又はネットワーク側デバイスにより送信される専用シグナリングをＵＥが受信し、且つネットワーク側デバイスにより送信される第２のブロードキャストメッセージを受信する段階であって、専用シグナリングはグループ識別子を含み、第２のブロードキャストメッセージは第１のシステム情報の時間周波数リソースを含む、段階を含む。
【０２９１】
実施形態１３：ユーザ機器ＵＥが提供される。ＵＥは、システム情報要求をネットワーク側デバイスに送信するように構成された送信部であって、システム情報要求は第１のシステム情報をネットワーク側デバイスから取得するよう要求するのに用いられる、送信部と、ネットワーク側デバイスにより送信されるグループ識別子を受信するように構成された受信部とを含む。又はＵＥは、ネットワーク側デバイスにより送信される、グループ識別子と第１のシステム情報の時間−周波数リソースとを受信する。受信部はさらに、グループ識別子と取得された第１のシステム情報の時間−周波数リソースとに基づいて、ネットワーク側デバイスにより送信される第１のシステム情報を受信するように構成される。
【０２９２】
実施形態１４：実施形態１３のＵＥによれば、受信部はさらに、ネットワーク側デバイスにより送信される第１のブロードキャストメッセージを受信するように構成される。第１のブロードキャストメッセージはオンデマンドシステム情報のインジケーション情報を含み、インジケーション情報は第１のシステム情報のインジケーション情報を含む。インジケーション情報はシステム情報のインデックスを含むか、又はインジケーション情報はシステム情報のインデックス及びバリュータグを含むか、又はインジケーション情報はシステム情報のインデックス及びバリュータグ並びに少なくとも２つのシステム情報の共通バリュータグを含む。バリュータグは、システム情報の内容が変わったかどうかをＵＥが判定するのに用いられる。あるいは、インジケーション情報はビットマップを含み、ＵＥがシステム情報要求を送信することによって各ビットに対応するシステム情報を取得する必要があることを示すのに、ビットマップ内の各ビットの値が用いられる。
【０２９３】
実施形態１５：実施形態１３又は１４のＵＥによれば、受信部は、ネットワーク側デバイスにより送信される専用シグナリングを受信するように構成され、専用シグナリングはグループ識別子を含む。あるいは、ＵＥはさらに、グループ識別子と事前設定された時間−周波数リソースとの間の対応関係に従って、第１のシステム情報の時間−周波数リソースを取得するように構成された取得部を含む。受信部は、グループ識別子と事前設定された時間−周波数リソースとの間の対応関係に従って、第１のシステム情報の時間−周波数リソースを取得するように構成される。
【０２９４】
実施形態１６：実施形態１３又は１４のＵＥによれば、受信部は、ネットワーク側デバイスにより送信される専用シグナリングを受信するように構成される。専用シグナリングは、グループ識別子と第１のシステム情報の時間周波数リソースとを含む。あるいは、受信部は、ネットワーク側デバイスにより送信される専用シグナリングを受信し、ネットワーク側デバイスにより送信される第２のブロードキャストメッセージを受信するように構成される。専用シグナリングはグループ識別子を含み、第２のブロードキャストメッセージは第１のシステム情報の時間周波数リソースを含む。
【０２９５】
実施形態１７：システム情報を送信するための方法が提供される。本方法は、ユーザ機器ＵＥにより送信されるシステム情報要求をネットワーク側デバイスが受信する段階であって、システム情報要求は第１のシステム情報をネットワーク側デバイスから取得するよう要求するのに用いられる、段階と、第１のシステム情報をネットワーク側デバイスがブロードキャストする段階とを含む。
【０２９６】
実施形態１８：実施形態１７の方法によれば、本方法はさらに、ブロードキャストメッセージをネットワーク側デバイスが送信する段階を含む。ブロードキャストメッセージは、オンデマンドシステム情報のインジケーション情報を含み、インジケーション情報は第１のシステム情報のインジケーション情報を含む。インジケーション情報はシステム情報のインデックスを含むか、又はインジケーション情報はシステム情報のインデックス及びバリュータグを含むか、又はインジケーション情報はシステム情報のインデックス及びバリュータグ並びに少なくとも２つのシステム情報の共通バリュータグを含む。バリュータグは、システム情報の内容が変わったかどうかをＵＥが判定するのに用いられる。あるいは、インジケーション情報はビットマップを含み、ＵＥがシステム情報要求を送信することによって各ビットに対応するシステム情報を取得する必要があることを示すのに、ビットマップ内の各ビットの値が用いられる。
【０２９７】
実施形態１９：実施形態１７又は１８の方法によれば、ブロードキャストメッセージはさらに、システム情報の時間−周波数リソース又は送信機会を含む。時間−周波数リソース又は送信機会は、時間−周波数リソース又は送信機会においてＵＥがシステム情報を取得するのに用いられる。あるいは、ブロードキャストメッセージはさらにシステム情報の監視期間を含む。監視期間は、ＵＥが監視期間内にシステム情報を受信した場合、システム情報を保存するようＵＥに指示するのに用いられ、ＵＥが監視期間内にシステム情報を受信しなかった場合、システム情報をブロードキャストするようネットワーク側デバイスに要求するようＵＥに指示するのに用いられる。
【０２９８】
実施形態２０：ネットワーク側デバイスが提供される。ネットワーク側デバイスは、ユーザ機器ＵＥにより送信されるシステム情報要求を受信するように構成された受信部であって、システム情報要求は第１のシステム情報をネットワーク側デバイスから取得するよう要求するのに用いられる、受信部と、第１のシステム情報をブロードキャストするように構成されたブロードキャスト部とを含む。
【０２９９】
実施形態２１：実施形態２０のネットワーク側デバイスによれば、ブロードキャスト部はさらに、ブロードキャストメッセージを送信するように構成される。ブロードキャストメッセージは、オンデマンドシステム情報のインジケーション情報を含み、インジケーション情報は第１のシステム情報のインジケーション情報を含む。インジケーション情報はシステム情報のインデックスを含むか、又はインジケーション情報はシステム情報のインデックス及びバリュータグを含むか、又はインジケーション情報はシステム情報のインデックス及びバリュータグ並びに少なくとも２つのシステム情報の共通バリュータグを含む。バリュータグは、システム情報の内容が変わったかどうかをＵＥが判定するのに用いられる。あるいは、インジケーション情報はビットマップを含み、ＵＥがシステム情報要求を送信することによって各ビットに対応するシステム情報を取得する必要があることを示すのに、ビットマップ内の各ビットの値が用いられる。
【０３００】
実施形態２２：実施形態２０又は２１のネットワーク側デバイスによれば、ブロードキャストメッセージはさらに、システム情報の時間−周波数リソース又は送信機会を含む。時間−周波数リソース又は送信機会は、時間−周波数リソース又は送信機会においてＵＥがシステム情報を取得するのに用いられる。あるいは、ブロードキャストメッセージはさらにシステム情報の監視期間を含む。監視期間は、ＵＥが監視期間内にシステム情報を受信した場合、システム情報を保存するようＵＥに指示するのに用いられ、ＵＥが監視期間内にシステム情報を受信しなかった場合、システム情報をブロードキャストするようネットワーク側デバイスに要求するようＵＥに指示するのに用いられる。
【０３０１】
実施形態２３：システム情報を送信するための方法が提供される。本方法は、システム情報要求をネットワーク側デバイスにユーザ機器ＵＥが送信する段階であって、システム情報要求は第１のシステム情報をネットワーク側デバイスから取得するよう要求するのに用いられる、段階と、ネットワーク側デバイスにより送信される第１のブロードキャストメッセージをＵＥが受信する段階であって、第１のブロードキャストメッセージは第１のシステム情報を含む、段階とを含む。
【０３０２】
実施形態２４：実施形態２３の方法によれば、本方法はさらに、ネットワーク側デバイスにより送信される第２のブロードキャストメッセージをＵＥが受信する段階を含む。第２のブロードキャストメッセージはオンデマンドシステム情報のインジケーション情報を含み、インジケーション情報は第１のシステム情報のインジケーション情報を含む。インジケーション情報はシステム情報のインデックスを含むか、又はインジケーション情報はシステム情報のインデックス及びバリュータグを含むか、又はインジケーション情報はシステム情報のインデックス及びバリュータグ並びに少なくとも２つのシステム情報の共通バリュータグを含む。バリュータグは、システム情報の内容が変わったかどうかをＵＥが判定するのに用いられる。あるいは、インジケーション情報はビットマップを含み、ＵＥがシステム情報要求を送信することによって各ビットに対応するシステム情報を取得する必要があることを示すのに、ビットマップ内の各ビットの値が用いられる。
【０３０３】
実施形態２５：実施形態２４の方法によれば、第２のブロードキャストメッセージはさらに、システム情報の時間−周波数リソース又は送信機会を含む。ネットワーク側デバイスにより送信される第１のブロードキャストメッセージをＵＥが受信する段階は、時間−周波数リソース又は送信機会に基づいて、ネットワーク側デバイスにより送信される第１のブロードキャストメッセージをＵＥが受信する段階を含む。
【０３０４】
実施形態２６：実施形態２４又は２５の方法によれば、第２のブロードキャストメッセージはさらに、システム情報の監視期間を含む。システム情報要求をネットワーク側デバイスにＵＥが送信する前に、本方法はさらに、ＵＥが第１のシステム情報を取得する必要があるとＵＥが判定した場合、ＵＥがタイマーを始動させる段階であって、タイマーの長さは第１のシステム情報の監視期間である、段階と、ＵＥが第１のシステム情報を監視期間内に受信したかどうかをＵＥが判定する段階とを含み、ＵＥが第１のシステム情報を監視期間内に受信しなかったと判定された場合、ＵＥは、ＵＥがシステム情報要求をネットワーク側デバイスに送信する必要があると判定する。
【０３０５】
実施形態２７：ユーザ機器ＵＥが提供される。ＵＥは、システム情報要求をネットワーク側デバイスに送信するように構成された送信部であって、システム情報要求は第１のシステム情報をネットワーク側デバイスから取得するよう要求するのに用いられる、送信部と、ネットワーク側デバイスにより送信される第１のブロードキャストメッセージを受信するように構成された受信部であって、第１のブロードキャストメッセージは第１のシステム情報を含む、受信部とを含む。
【０３０６】
実施形態２８：実施形態２７のＵＥによれば、受信部はさらに、ネットワーク側デバイスにより送信される第２のブロードキャストメッセージを受信するように構成される。第２のブロードキャストメッセージはオンデマンドシステム情報のインジケーション情報を含み、インジケーション情報は第１のシステム情報のインジケーション情報を含む。インジケーション情報はシステム情報のインデックスを含むか、又はインジケーション情報はシステム情報のインデックス及びバリュータグを含むか、又はインジケーション情報はシステム情報のインデックス及びバリュータグ並びに少なくとも２つのシステム情報の共通バリュータグを含む。バリュータグは、システム情報の内容が変わったかどうかをＵＥが判定するのに用いられる。あるいは、インジケーション情報はビットマップを含み、ＵＥがシステム情報要求を送信することによって各ビットに対応するシステム情報を取得する必要があることを示すのに、ビットマップ内の各ビットの値が用いられる。
【０３０７】
実施形態２９：実施形態２８のＵＥによれば、第２のブロードキャストメッセージはさらに、システム情報の時間−周波数リソース又は送信機会を含む。受信部は、時間−周波数リソース又は送信機会に基づいて、ネットワーク側デバイスにより送信される第１のブロードキャストメッセージを受信するように構成される。
【０３０８】
実施形態３０：実施形態２８又は２９のＵＥによれば、第２のブロードキャストメッセージはさらに、システム情報の監視期間を含む。ＵＥはさらに、システム情報要求をネットワーク側デバイスに送信する前に、ＵＥが第１のシステム情報を取得する必要があるとＵＥが判定した場合、タイマーを始動させるように構成された時間計測部であって、タイマーの長さは第１のシステム情報の監視期間である、時間計測部と、ＵＥが第１のシステム情報を監視期間内に受信したかどうかを判定し、ＵＥが第１のシステム情報を監視期間内に受信しなかったと判定された場合、ＵＥがシステム情報要求をネットワーク側デバイスに送信する必要があると判定するように構成された判定部とを含む。
【０３０９】
上述したように、本発明の実施形態において提供されるシステム情報送信方法では、ＵＥが第１のシステム情報を取得するよう要求した場合、ネットワーク側デバイスは、従来技術でネットワーク側デバイスが行うように、第１のシステム情報を要求する各ＵＥに専用シグナリングを送信するのではなく、第１のシステム情報をブロードキャストする。このようにして、第１のシステム情報を必要とするＵＥは第１のシステム情報を受信することができ、第１のシステム情報に関係している他のＵＥも、第１のシステム情報を受信し且つ保存することができる。これにより、ネットワーク側デバイスが専用シグナリングを各ＵＥに送信する場合に占有されるネットワークリソースが削減される。
【０３１０】
上述の事項は主に、ネットワークエレメント間のやり取りという観点から、本発明の実施形態において提供される解決手段を説明している。上述の機能を実現するために、基地局及びＵＥなどのネットワークエレメントは、これらの機能を実行するための対応するハードウェア構造及び／又はソフトウェアモジュールを含むことが理解され得る。当業者であれば、本明細書に開示される実施形態を参照して説明される例に含まれるユニット及びアルゴリズムステップが、本発明におけるハードウェアの形で、又はハードウェアとコンピュータソフトウェアとの組み合わせの形で実現され得ることを容易に認識すべきである。これらの機能がハードウェアで実行されるか、又はソフトウェア及びハードウェアで実行されるかは、技術的解決手段の特定の用途と設計上の制約条件とで決まる。当業者であれば、異なる方法を用いて、説明された機能を特定の用途ごとに実施することがあるが、そのような実施例が本発明の範囲を超えるものとみなされるべきではない。
【０３１１】
本発明の実施形態において、ネットワーク側デバイス及びＵＥなどは、上述の方法の例に基づいて、複数の機能モジュールに分割されてよい。例えば、各機能モジュールは、対応する機能に分割することによって取得されてよく、又は２つ以上の機能が１つの処理モジュールに統合されてもよい。統合されたモジュールは、ハードウェアの形で実現されてもよく、又はソフトウェア機能モジュールの形で実現されてもよい。本発明の実施形態におけるモジュールの分割は一例であって、単なる論理的な機能分割に過ぎず、実際の実装時には別の分割方式であってもよいことに留意されたい。
【０３１２】
図９は、各機能モジュールが、対応する機能に分割することによって取得された場合の、上述の実施形態におけるネットワーク側デバイスの実行可能な構造の概略図を示す。ネットワーク側デバイスは、受信部９０１と、送信部９０２と、判定部９０３とを含む。受信部９０１は、図３に示す工程３０１を実行する際にネットワーク側デバイスをサポートするように構成される。送信部９０２は、図３に示す工程３０２及び３０３並びに図５に示す工程５０１、５０４、５０５、及び５０６を実行する際にネットワーク側デバイスをサポートするように構成される。判定部９０３は、図５に示す工程５０３を実行する際にネットワーク側デバイスをサポートするように構成される。上述の方法の実施形態における各段階の全ての関連内容が、対応する機能モジュールの機能説明に参照され得るので、再度ここで詳細は説明しない。
【０３１３】
図１０は、各機能モジュールが、対応する機能に分割することによって取得された場合の、上述の実施形態におけるＵＥの実行可能な構造の概略図を示す。ＵＥは、送信部１０１と、受信部１０２と、取得部１０３とを含む。送信部１０１は、図４に示す工程４０１及び図５に示す工程５０２を実行する際にＵＥをサポートするように構成される。受信部１０２は、図４に示す工程４０２及び４０３並びに図５に示す工程５０７を実行する際にＵＥをサポートするように構成される。取得部１０３は、Ｇｒｏｕｐ  ＩＤと時間−周波数リソースとの間の対応関係に従って、システム情報の時間−周波数リソースを取得する際にＵＥをサポートするように構成される。上述の方法の実施形態における各段階の全ての関連内容が、対応する機能モジュールの機能説明に参照され得るので、再度ここで詳細は説明しない。
【０３１４】
図１１は、各機能モジュールが、対応する機能に分割することによって取得された場合の、上述の実施形態におけるネットワーク側デバイスの実行可能な別の構造の概略図を示す。ネットワーク側デバイスは、受信部１１１と、ブロードキャスト部１１３と、判定部１１４とを含む。受信部は、図６に示す工程６０１を実行する際にネットワーク側デバイスをサポートするように構成される。ブロードキャスト部は、図６に示す工程６０２を実行する際にネットワーク側デバイスをサポートするように構成される。送信部は、図８に示す工程８０１、８０４、及び８０５を実行する際にネットワーク側デバイスをサポートするように構成される。判定部は、図８に示す工程８０３を実行する際にネットワーク側デバイスをサポートするように構成される。上述の方法の実施形態における各段階の全ての関連内容が、対応する機能モジュールの機能説明に参照され得るので、再度ここで詳細は説明しない。
【０３１５】
図１２は、各機能モジュールが、対応する機能に分割することによって取得された場合の、上述の実施形態におけるＵＥの実行可能な別の構造の概略図を示す。ＵＥは、送信部１２１と、受信部１２２と、時間計測部１２３と、判定部１２４とを含む。送信部は、図７に示す工程７０１及び図８に示す工程８０２を実行する際にＵＥをサポートするように構成される。受信部は、図７に示す工程７０２を実行する際にＵＥをサポートするように構成される。時間計測部は、図８で説明されたタイマー方法、例えば、段階８０２で説明された方法を実行する際にＵＥをサポートするように構成される。判定部は、図８の段階８０５の第４段落を実行する際にＵＥをサポートする、すなわち、ＳＩを更新するかどうかを判定するように構成される。上述の方法の実施形態における各段階の全ての関連内容が、対応する機能モジュールの機能説明に参照され得るので、再度ここで詳細は説明しない。
【０３１６】
図１３は、複数の機能を統合した１つのユニットが用いられる場合の、上述の実施形態におけるネットワーク側デバイスの構造の実行可能な概略図を示す。ネットワーク側デバイス１３は、処理モジュール１３０１と、通信モジュール１３０２とを含む。処理モジュール１３０１は、ネットワーク側デバイスの動作を制御し且つ管理するように構成される。例えば、処理モジュール１３０１は、図５に示す工程５０３及び図８に示す工程８０３を実行する際にネットワーク側デバイスをサポートするように構成される。通信モジュール１３０２は、ネットワーク側デバイスと別のネットワークエンティティとの間の通信、例えば、ＵＥとの通信、具体的には、図４、図５、図７、及び図８に示す機能モジュール又はネットワークエンティティとの通信をサポートするように構成される。通信モジュール１３０２は具体的には、図３に示す工程３０１、３０２、及び３０３、図５に示す工程５０１、５０４、５０５、及び５０６、図６に示す工程６０１及び６０２、並びに図８に示す工程８０１、８０４、及び８０５を実行する際にネットワーク側デバイスをサポートするように構成される。ネットワーク側デバイスはさらに、基地局のプログラムコード及びデータを格納するように構成されたストレージモジュール１３０３を含んでよい。
【０３１７】
処理モジュール１３０１は、プロセッサ又はコントローラであってよく、例えば、中央演算処理装置（Ｃｅｎｔｒａｌ  Ｐｒｏｃｅｓｓｉｎｇ  Ｕｎｉｔ、ＣＰＵ）、汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）若しくは別のプログラム可能型論理デバイス、トランジスタ論理デバイス、ハードウェアコンポーネント、又はこれらの任意の組み合わせであってよい。処理モジュール１３０１は、本発明で開示される内容を参照して説明される各種の例示的な論理ブロック、モジュール、及び回路を実現又は実行してよい。あるいは、プロセッサは、演算処理機能を実現する組み合わせ、例えば、１つ若しくは複数のマイクロプロセッサの組み合わせ、又はＤＳＰとマイクロプロセッサとの組み合わせであってよい。通信モジュール１３０２は、送受信機、送受信機回路、又は通信インタフェースなどであってよい。ストレージモジュール１３０３はメモリであってよい。
【０３１８】
処理モジュール１３０１がプロセッサであり、通信モジュール１３０２が送受信機であり、ストレージモジュール１３０３がメモリである場合、本発明の実施形態におけるネットワーク側デバイスは、図１３に示すネットワーク側デバイスであってよい。
【０３１９】
図１４を参照すると、ネットワーク側デバイス１４は、プロセッサ１４１２と、送受信機１４１３と、メモリ１４１１と、バス１４１４とを含む。送受信機１４１３、プロセッサ１４１２、及びメモリ１４１１はバス１４１４を用いて相互接続される。バス１４１４は、ペリフェラルコンポーネントインターコネクト（Ｐｅｒｉｐｈｅｒａｌ  Ｃｏｍｐｏｎｅｎｔ  Ｉｎｔｅｒｃｏｎｎｅｃｔ、ＰＣＩ）バス又は拡張業界標準アーキテクチャ（Ｅｘｔｅｎｄｅｄ  Ｉｎｄｕｓｔｒｙ  Ｓｔａｎｄａｒｄ  Ａｒｃｈｉｔｅｃｔｕｒｅ、ＥＩＳＡ）バスなどであってよい。バスは、アドレスバス、データバス、又は制御バスなどに分類され得る。表現しやすくするために、図１４では１本の太線だけを用いてバスを表しているが、このことは、１つのバスだけ又は１つのタイプのバスだけが存在することを意味してはいない。
【０３２０】
図１５は、複数の機能を統合した１つのユニットが用いられる場合の、上述の実施形態におけるＵＥの構造の実行可能な概略図を示す。ＵＥ１５は、処理モジュール１５０１と、通信モジュール１５０２とを含む。処理モジュール１５０１は、ＵＥの動作を制御し且つ管理するように構成される。例えば、処理モジュール１５０１は、受信したバリュータグに基づいて、ＵＥが保存しているシステム情報を更新するかどうかを判定する際にＵＥをサポートするように構成される。通信モジュール１５０２は、ＵＥと別のネットワークエンティティとの間の通信、例えば、ネットワーク側デバイスとの通信、具体的には、図３、図５、図６、及び図８に示す機能モジュール又はネットワークエンティティとの通信をサポートするように構成される。通信モジュール１５０２は具体的には、図４に示す工程４０１、４０２、及び４０３、図５に示す工程５０２及び５０７、図７に示す工程７０１及び７０２、並びに図８に示す工程８０２を実行する際にＵＥをサポートするように構成される。ＵＥはさらに、ＵＥのプログラムコード及びデータを格納するように構成されたストレージモジュール１５０３を含んでよい。
【０３２１】
処理モジュール１５０１はプロセッサ又はコントローラであってよく、例えば、ＣＰＵ、汎用プロセッサ、デジタル信号プロセッサＤＳＰ、特定用途向け集積回路ＡＳＩＣ、ＦＰＧＡ若しくは別のプログラム可能型論理デバイス、トランジスタ論理デバイス、ハードウェアコンポーネント、又はこれらの任意の組み合わせであってよい。処理モジュール１５０１は、本発明で開示される内容を参照して説明される各種の例示的な論理ブロック、モジュール、及び回路を実現又は実行してよい。あるいは、プロセッサは、演算処理機能を実現する組み合わせ、例えば、１つ若しくは複数のマイクロプロセッサの組み合わせ、又はＤＳＰとマイクロプロセッサとの組み合わせであってよい。通信モジュール１５０２は、送受信機、送受信機回路、又は通信インタフェースなどであってよい。ストレージモジュール１５０３はメモリであってよい。
【０３２２】
処理モジュール１５０１がプロセッサであり、通信モジュール１５０２が送受信機であり、ストレージモジュール１５０３がメモリである場合、本発明の実施形態におけるＵＥは、図１６に示すＵＥであってよい。
【０３２３】
図１６を参照すると、ＵＥ１６は、プロセッサ１６１２と、送受信機１６１３と、メモリ１６１１と、バス１６１４とを含む。送受信機１６１３、プロセッサ１６１２、及びメモリ１６１１はバス１６１４を用いて相互接続される。バス１６１４は、ペリフェラルコンポーネントインターコネクトＰＣＩバス又は拡張業界標準アーキテクチャＥＩＳＡバスなどであってよい。バスは、アドレスバス、データバス、又は制御バスなどに分類され得る。表現しやすくするために、図１６では１本の太線だけを用いてバスを表しているが、このことは、１つのバスだけ又は１つのタイプのバスだけが存在することを意味してはいない。
【０３２４】
本発明の一実施形態がさらに通信システムを提供する。この通信システムは、図３、図４、及び図５の実施形態におけるネットワーク側デバイス及びＵＥを含む。ネットワーク側デバイスは、図３に示す工程３０１、３０２、及び３０３、並びに図５に示す工程５０１、５０３、５０４、５０５、及び５０６を実行するように構成されてよい。ＵＥは、図４に示す工程４０１及び４０２、並びに図５に示す工程５０２及び５０７を実行するように構成されてよい。ネットワーク側デバイスの具体的な実施例については、図３及び図５の各段階の実施例を参照されたい。ＵＥの具体的な実施例については、図４及び図５の各段階の実施例を参照されたい。
【０３２５】
本発明の一実施形態がさらに通信システムを提供する。この通信システムは、図６、図７、及び図８の実施形態におけるネットワーク側デバイス及びＵＥを含む。ネットワーク側デバイスは、図６に示す工程６０１及び６０２、並びに図８に示す工程８０１、８０３、８０４、及び８０５を実行するように構成されてよい。ＵＥは、図７に示す工程７０１及び７０２、並びに図８に示す工程８０２を実行するように構成されてよい。ネットワーク側デバイスの具体的な実施例については、図６及び図８の各段階の実施例を参照されたい。ＵＥの具体的な実施例については、図７及び図８の各段階の実施例を参照されたい。
【０３２６】
本発明の一実施形態がさらに通信システムを提供する。この通信システムは、図３及び図５の方法の実施形態におけるネットワーク側デバイスを含む。ネットワーク側デバイスは、図３に示す工程３０１、３０２、及び３０３、並びに図５に示す工程５０１、５０３、５０４、５０５、及び５０６を実行するように構成されてよい。ネットワーク側デバイスの具体的な実施例については、図３及び図５の方法の実施形態における具体的な実施例を参照されたい。
【０３２７】
本発明の一実施形態がさらに通信システムを提供する。この通信システムは、図６及び図８の方法の実施形態におけるネットワーク側デバイスを含む。ネットワーク側デバイスは、図６に示す工程６０１及び６０２、並びに図８に示す工程８０１、８０３、８０４、及び８０５を実行するように構成されてよい。ネットワーク側デバイスの具体的な実施例については、図６及び図８の方法の実施形態における具体的な実施例を参照されたい。
【０３２８】
本発明の一実施形態がさらにシステムチップを提供する。このシステムチップは、入出力インタフェースと、少なくとも１つのプロセッサと、メモリと、バスとを含む。入出力インタフェースは、図３に示す工程３０１、３０２、及び３０３、図５に示す工程５０１、５０４、５０５、及び５０６を実行するように構成されてよい。プロセッサは、図５に示す工程５０３を実行するように構成される。メモリは、アプリケーションプログラム及びデータを格納するように、例えば、インジケーション情報及びシステム情報を格納するように構成される。入出力インタフェース、少なくとも１つのプロセッサ、及びメモリは、バスに接続される。システムチップは、システムオンチップ（Ｓｙｓｔｅｍ  ｏｎ  Ｃｈｉｐ、ＳｏＣ）などであってよい。
【０３２９】
本発明の一実施形態がさらにシステムチップを提供する。このシステムチップは、入出力インタフェースと、少なくとも１つのプロセッサと、メモリと、バスとを含む。入出力インタフェースは、図４に示す工程４０１及び４０２、並びに図５に示す工程５０２及び５０７を実行するように構成されてよい。メモリは、アプリケーションプログラム及びデータを格納するように構成される。入出力インタフェース及びメモリは、バスに接続される。
【０３３０】
本発明の一実施形態がさらにシステムチップを提供する。このシステムチップは、入出力インタフェースと、少なくとも１つのプロセッサと、メモリと、バスとを含む。入出力インタフェースは、図６に示す工程６０１及び６０２、並びに図８に示す工程８０１、８０４、及び８０５を実行するように構成されてよい。プロセッサは、図８に示す工程８０３を実行するように構成される。メモリは、アプリケーションプログラム及びデータを格納するように構成される。入出力インタフェース、少なくとも１つのプロセッサ、及びメモリは、バスに接続される。
【０３３１】
本発明の一実施形態がさらにシステムチップを提供する。このシステムチップは、入出力インタフェースと、少なくとも１つのプロセッサと、メモリと、バスとを含む。入出力インタフェースは、図７に示す工程７０１及び７０２、並びに図８に示す工程８０２を実行するように構成されてよい。メモリは、アプリケーションプログラム及びデータを格納するように構成される。入出力インタフェース、少なくとも１つのプロセッサ、及びメモリは、バスに接続される。
【０３３２】
本発明の一実施形態がさらにコンピュータ記憶媒体を提供する。このコンピュータ記憶媒体は、図３及び図５に示すネットワーク側デバイスにより用いられるコンピュータソフトウェア命令を格納するように構成される。コンピュータ記憶媒体は、図３に示す工程３０１、３０２、及び３０３、並びに図５に示す工程５０１、５０３、５０４、５０５、及び５０６を実行するように設計されたプログラムを含む。
【０３３３】
本発明の一実施形態がさらにコンピュータ記憶媒体を提供する。このコンピュータ記憶媒体は、図４及び図５に示すＵＥにより用いられるコンピュータソフトウェア命令を格納するように構成される。コンピュータ記憶媒体は、図４に示す工程４０１及び４０２、並びに図５に示す工程５０２及び５０７を実行するように設計されたプログラムを含む。
【０３３４】
本発明の一実施形態がさらにコンピュータ記憶媒体を提供する。このコンピュータ記憶媒体は、図６及び図８に示すネットワーク側デバイスにより用いられるコンピュータソフトウェア命令を格納するように構成される。コンピュータ記憶媒体は、図６に示す工程６０１及び６０２、並びに図８に示す工程８０１、８０３、８０４、及び８０５を実行するように設計されたプログラムを含む。
【０３３５】
本発明の一実施形態がさらにコンピュータ記憶媒体を提供する。このコンピュータ記憶媒体は、図７及び図８に示すＵＥにより用いられるコンピュータソフトウェア命令を格納するように構成される。コンピュータ記憶媒体は、図７に示す工程７０１及び７０２、並びに図８に示す工程８０２を実行するように設計されたプログラムを含む。
【０３３６】
本発明に開示される内容と組み合わせて説明される方法又はアルゴリズムステップが、ハードウェアで実現されてよく、又はプロセッサがソフトウェア命令を実行することによって実現されてもよい。ソフトウェア命令は、対応するソフトウェアモジュールを含んでよい。ソフトウェアモジュールは、ランダムアクセスメモリ（Ｒａｎｄｏｍ  Ａｃｃｅｓｓ  Ｍｅｍｏｒｙ、ＲＡＭ）、フラッシュメモリ、リードオンリメモリ（Ｒｅａｄ  Ｏｎｌｙ  Ｍｅｍｏｒｙ、ＲＯＭ）、消去可能プログラム可能型リードオンリメモリ（Ｅｒａｓａｂｌｅ  Ｐｒｏｇｒａｍｍａｂｌｅ  ＲＯＭ、ＥＰＲＯＭ）、電気的消去可能プログラム可能型リードオンリメモリ（Ｅｌｅｃｔｒｉｃａｌｌｙ  ＥＰＲＯＭ、ＥＥＰＲＯＭ）、レジスタ、ハードディスク、着脱式ハードディスク、コンパクトディスクリードオンリメモリ（ＣＤ−ＲＯＭ）、又は当技術分野でよく知られた任意の他の形式の記憶媒体に格納されてよい。例えば、記憶媒体はプロセッサに結合されるので、プロセッサは、記憶媒体から情報を読み出すか、又は記憶媒体に情報を書き込むことができる。もちろん、記憶媒体はプロセッサの構成要素であってもよい。プロセッサ及び記憶媒体は、ＡＳＩＣに配置されてよい。さらに、ＡＳＩＣはコアネットワークインタフェースデバイスに配置されてよい。もちろん、プロセッサ及び記憶媒体は、ディスクリートコンポーネントとしてコアネットワークインタフェースデバイスに存在してもよい。
【０３３７】
当業者であれば、上述の１つ又は複数の例において、本発明で説明された機能がハードウェア、ソフトウェア、ファームウェア、又はこれらの任意の組み合わせで実現され得ることを認識すべきである。本発明がソフトウェアで実現される場合、上述の機能は、コンピュータ可読媒体に格納されてよく、又はコンピュータ可読媒体内の１つ又は複数の命令若しくはコードとして伝送されてもよい。コンピュータ可読媒体は、コンピュータ記憶媒体及び通信媒体を含み、通信媒体は、ある場所から別の場所へコンピュータプログラムが伝送されることを可能にする任意の媒体を含む。記憶媒体は、汎用コンピュータ又は専用コンピュータにとってアクセス可能な、任意の利用可能な媒体であってよい。
【０３３８】
本発明の目的、技術的解決手段、及び利点はさらに、上述の具体的な実施形態に詳細に説明されている。上述の説明は、単なる本発明の具体的な実施形態に過ぎず、本発明の保護範囲の限定を意図するものではないことを理解されたい。本発明の技術的解決手段に基づいて行われる、あらゆる修正、均等物との置き換え、又は改善は、本発明の保護範囲に含まれることになる。
【図１】
2019525616.tif 000012
【図２】
2019525616.tif 000013
【図３】
2019525616.tif 000014
【図４】
2019525616.tif 000015
【図５】
2019525616.tif 000016
【図６】
2019525616.tif 000017
【図７】
2019525616.tif 000018
【図７ａ】
2019525616.tif 000019
【図８】
2019525616.tif 000020
【図９】
2019525616.tif 000021
【図１０】
2019525616.tif 000022
【図１１】
2019525616.tif 000023
【図１２】
2019525616.tif 000024
【図１３】
2019525616.tif 000025
【図１４】
2019525616.tif 000026
【図１５】
2019525616.tif 000027
【図１６】
2019525616.tif 000028
【手続補正書】
【提出日】平成31年3月20日(2019.3.20)
【手続補正１】
【補正対象書類名】特許請求の範囲
【補正対象項目名】全文
【補正方法】変更
【補正の内容】
【特許請求の範囲】
【請求項１】
システム情報を送信するための方法であって、
ネットワークデバイスからのブロードキャストメッセージを端末が受信する段階を備え、前記ブロードキャストメッセージはシステム情報（ＳＩ）のインジケーション情報を含み、前記インジケーション情報は、前記ＳＩがブロードキャストされているか又はそうでないかを示すためのものである、方法。
【請求項２】
前記ＳＩがブロードキャストされていないことを前記インジケーション情報が示す場合、
前記方法は、前記ＳＩを取得するために、システム情報要求を前記ネットワークデバイスに前記端末が送信する段階を備える、請求項１に記載の方法。
【請求項３】
前記システム情報要求は前記ＳＩのインデックスを含む、請求項２に記載の方法。
【請求項４】
前記システム情報要求はビットマップを含み、前記ビットマップは１つのビットを含み、
前記ビットの値は、前記端末が前記ＳＩを前記ネットワークデバイスから取得するよう要求していることを示すか、又は、
前記ビットの値は、前記端末が前記ＳＩを前記ネットワークデバイスから取得するよう要求しないことを示す、請求項２又は３に記載の方法。
【請求項５】
前記ブロードキャストメッセージは前記ＳＩの１つ又は複数の送信機会を含み、
前記方法は、前記端末が前記システム情報要求を送信した後に、前記ブロードキャストメッセージでブロードキャストされた前記１つ又は複数の送信機会のうち最も近い送信機会において、前記ＳＩを前記端末が受信する段階を備える、請求項２から４のいずれか一項に記載の方法。
【請求項６】
前記ＳＩがブロードキャストされていることを前記インジケーション情報が示す場合、
前記方法は、前記ブロードキャストメッセージ内のスケジューリング情報に従って、前記ＳＩの１つ又は複数の時間−周波数リソースを前記端末が取得し、前記１つ又は複数の時間−周波数リソースにおいて前記ＳＩを受信する段階を備える、請求項１から５のいずれか一項に記載の方法。
【請求項７】
前記ＳＩは前記ＳＩに適用される有効時間を含む、請求項１から６のいずれか一項に記載の方法。
【請求項８】
システム情報を送信するための端末であって、
前記端末は、ネットワークデバイスからのブロードキャストメッセージを受信するための手段を備え、前記ブロードキャストメッセージはシステム情報（ＳＩ）のインジケーション情報を含み、前記インジケーション情報は、前記ＳＩがブロードキャストされているか又はそうでないかを示すためのものである、端末。
【請求項９】
前記ＳＩがブロードキャストされていないことを前記インジケーション情報が示す場合、前記端末は、前記ＳＩを取得するために、システム情報要求を前記ネットワークデバイスに送信するための手段を備える、請求項８に記載の端末。
【請求項１０】
前記システム情報要求は前記ＳＩのインデックスを含む、請求項９に記載の端末。
【請求項１１】
前記システム情報要求はビットマップを含み、前記ビットマップは１つのビットを含み、
前記ビットの値は、前記端末が前記ＳＩを前記ネットワークデバイスから取得するよう要求していることを示すか、又は、
前記ビットの値は、前記端末が前記ＳＩを前記ネットワークデバイスから取得するよう要求しないことを示す、請求項９又は１０に記載の端末。
【請求項１２】
前記ブロードキャストメッセージは前記ＳＩの１つ又は複数の送信機会を含み、
前記端末は、前記端末が前記システム情報要求を送信した後に、前記ブロードキャストメッセージでブロードキャストされた前記１つ又は複数の送信機会のうち最も近い送信機会において前記ＳＩを受信するための手段を備える、請求項９から１１のいずれか一項に記載の端末。
【請求項１３】
前記ＳＩがブロードキャストされていることを前記インジケーション情報が示す場合、
前記端末は、前記ブロードキャストメッセージ内のスケジューリング情報に従って、前記ＳＩの１つ又は複数の時間−周波数リソースを取得し、前記１つ又は複数の時間−周波数リソースにおいて前記ＳＩを受信するための手段を備える、請求項８から１２のいずれか一項に記載の端末。
【請求項１４】
前記ＳＩは前記ＳＩに適用される有効時間を含む、請求項８から１３のいずれか一項に記載の端末。
【請求項１５】
端末に適用される装置であって、前記装置は、請求項１から７のいずれか一項に記載の方法を実行する、装置。
【請求項１６】
端末に適用され、少なくとも１つのプロセッサと、メモリと、インタフェース回路とを備えるチップシステムであって、
前記インタフェース回路は前記チップシステムと外部システムとの間の情報交換を担当し、前記メモリと、前記インタフェース回路と、前記少なくとも１つのプロセッサとは相互接続され、前記少なくとも１つのメモリは命令を有し、前記命令は、前記少なくとも１つのプロセッサによって実行され、請求項１から７のいずれか一項に記載の方法における前記端末のオペレーションを行う、チップシステム。
【請求項１７】
端末に適用されるコンピュータ可読記憶媒体であって、
前記コンピュータ可読記憶媒体は命令を格納し、前記命令は、演算処理デバイス上で実行され、請求項１から７のいずれか一項に記載の方法における前記端末のオペレーションを行う、コンピュータ可読記憶媒体。
【請求項１８】
端末に適用されるコンピュータプログラムであって、前記コンピュータプログラムは一連の命令を含み、前記命令は、請求項１から７のいずれか一項に記載の方法における前記端末のオペレーションを行うように実行される、コンピュータプログラム。
【手続補正２】
【補正対象書類名】明細書
【補正対象項目名】０１５９
【補正方法】変更
【補正の内容】
【０１５９】
本発明の実施形態において、ＵＥは以下に挙げるもののうちのいずれか１つであってよく、ＵＥは固定式又は移動式であってよい。ＵＥは、限定されるものではないが、ステーション（Ｓｔａｔｉｏｎ）、移動局（Ｍｏｂｉｌｅ  Ｓｔａｔｉｏｎ）、加入者ユニット（Ｓｕｂｓｃｒｉｂｅｒ  Ｕｎｉｔ）、パーソナルコンピュータ（Ｐｅｒｓｏｎａｌ  Ｃｏｍｐｕｔｅｒ）、ラップトップコンピュータ（Ｌａｐｔｏｐ  Ｃｏｍｐｕｔｅｒ）、タブレットコンピュータ（Ｔａｂｌｅｔ  Ｃｏｍｐｕｔｅｒ）、ネットブック（Ｎｅｔｂｏｏｋ）、端末（Ｔｅｒｍｉｎａｌ）、携帯電話（Ｃｅｌｌｕｌａｒ  Ｐｈｏｎｅ）、ハンドヘルド（Ｈａｎｄｈｅｌｄ）デバイス、コードレス電話（Ｃｏｒｄｌｅｓｓ  Ｐｈｏｎｅ）、携帯情報端末（Ｐｅｒｓｏｎａｌ  Ｄｉｇｉｔａｌ  Ａｓｓｉｓｔａｎｔ、略してＰＤＡ）、データカード（Ｄａｔａ  Ｃａｒｄ）、ユニバーサルシリアルバス（Ｕｎｉｖｅｒｓａｌ  Ｓｅｒｉａｌ  Ｂｕｓ、略してＵＳＢ）挿入デバイス、携帯型ＷｉＦｉホットスポットデバイス（ＷｉＦｉ  Ｄｅｖｉｃｅ）、スマートウォッチ、スマートグラス、無線モデム（英文：Ｍｏｄｅｍ）、無線ルータ、又は無線ローカルループ（Ｗｉｒｅｌｅｓｓ  Ｌｏｃａｌ  Ｌｏｏｐ、略してＷＬＬ）ステーションなどを含んでよい。基地局（ＮｏｄｅＢ）は、ロングタームエボリューション（Ｌｏｎｇ  Ｔｅｒｍ  Ｅｖｏｌｕｔｉｏｎ、ＬＴＥ）ネットワークの基地局、進化型汎用地上波無線アクセスネットワーク（ＵＭＴＳ  Ｔｅｒｒｅｓｔｒｉａｌ  Ｒａｄｉｏ  Ａｃｃｅｓｓ  Ｎｅｔｗｏｒｋ、ＵＴＲＡＮ）の基地局、又は、新無線ネットワークの基地局などであってよい。
【手続補正３】
【補正対象書類名】明細書
【補正対象項目名】０１９１
【補正方法】変更
【補正の内容】
【０１９１】
第１のブロードキャストメッセージがＯｎ−ｄｅｍａｎｄ  ＳＩを示すためのビットマップを含む場合、ビットマップ内の各ビットの値は、ＵＥがシステム情報要求を送信することによって各ビットに対応するＳＩを取得する必要があるかどうかを示すためのものである。例えば、ビットマップは００１１かもしれない。これらのビットは、順にＳＩ１、ＳＩ２、ＳＩ３、及びＳＩ４に対応する。０のビット値は、対応するＳＩがブロードキャストされていないことを示すので、ＵＥは、システム情報要求を送信することによって、対応するＳＩを取得する必要がある。１のビット値は、対応するＳＩがブロードキャストされていることを示すので、ＵＥは、ブロードキャストメッセージ内のスケジューリング情報に従って、ＳＩの時間−周波数リソースを取得し、ＳＩを受信することができる。
【手続補正４】
【補正対象書類名】明細書
【補正対象項目名】０２７３
【補正方法】変更
【補正の内容】
【０２７３】
ブロードキャストメッセージのインジケーション情報がビットマップである場合、言い換えれば、Ｏｎ−ｄｅｍａｎｄ  ＳＩを示すのにビットマップが用いられる場合、ＵＥがシステム情報要求を送信することによって各ビットに対応するＳＩを取得する必要があるかどうかを示すのに、ビットマップ内の各ビットの値が用いられる。例えば、ビットマップは００１１かもしれない。これらのビットは、順にＳＩ１、ＳＩ２、ＳＩ３、及びＳＩ４に対応する。０のビット値は、対応するＳＩがブロードキャストされていないことを示すので、ＵＥは、システム情報要求を送信することによって、ＳＩを取得する必要がある。１のビット値は、対応するＳＩがブロードキャストされていることを示すので、ＵＥは、ブロードキャストメッセージ内のスケジューリング情報に基づいて、ＳＩの時間−周波数リソースを直接取得し、ＳＩを受信することができる。基地局が第１のシステム情報ＳＩ２をブロードキャストした場合、基地局はブロードキャストされたビットマップを０１１１に更新する必要がある。同様に、基地局が第１のシステム情報ＳＩ２のブロードキャストをキャンセルした場合、基地局はブロードキャストされるビットマップを再度００１１に更新する必要がある。
【手続補正５】
【補正対象書類名】明細書
【補正対象項目名】０３１４
【補正方法】変更
【補正の内容】
【０３１４】
図１１は、各機能モジュールが、対応する機能に分割することによって取得された場合の、上述の実施形態におけるネットワーク側デバイスの実行可能な別の構造の概略図を示す。ネットワーク側デバイスは、受信部１１１と、ブロードキャスト部１１２と、判定部１１４とを含む。受信部は、図６に示す工程６０１を実行する際にネットワーク側デバイスをサポートするように構成される。ブロードキャスト部は、図６に示す工程６０２を実行する際にネットワーク側デバイスをサポートするように構成される。送信部は、図８に示す工程８０１、８０４、及び８０５を実行する際にネットワーク側デバイスをサポートするように構成される。判定部は、図８に示す工程８０３を実行する際にネットワーク側デバイスをサポートするように構成される。上述の方法の実施形態における各段階の全ての関連内容が、対応する機能モジュールの機能説明に参照され得るので、再度ここで詳細は説明しない。
【手続補正６】
【補正対象書類名】明細書
【補正対象項目名】０３３８
【補正方法】変更
【補正の内容】
【０３３８】
本発明の目的、技術的解決手段、及び利点はさらに、上述の具体的な実施形態に詳細に説明されている。上述の説明は、単なる本発明の具体的な実施形態に過ぎず、本発明の保護範囲の限定を意図するものではないことを理解されたい。本発明の技術的解決手段に基づいて行われる、あらゆる修正、均等物との置き換え、又は改善は、本発明の保護範囲に含まれることになる。
（項目１）
システム情報を送信するための方法であって、
システム情報要求をネットワーク側デバイスにユーザ機器が送信する段階であって、上記システム情報要求は第１のシステム情報を上記ネットワーク側デバイスから取得するよう要求するのに用いられる、段階と、
上記ネットワーク側デバイスによりブロードキャストされる上記第１のシステム情報を上記ユーザ機器が受信する段階と
を備える、方法。
（項目２）
上記方法は、上記ネットワーク側デバイスにより送信されるブロードキャストメッセージを上記ユーザ機器が受信する段階を備え、上記ブロードキャストメッセージは、オンデマンドシステム情報のインジケーション情報を含み、上記インジケーション情報は上記第１のシステム情報のインジケーション情報を含み、
上記インジケーション情報は上記システム情報のインデックスを含むか、又は上記インジケーション情報は上記システム情報のインデックス及びバリュータグを含むか、又は上記インジケーション情報は上記システム情報のインデックス及びバリュータグ並びに少なくとも２つのシステム情報の共通バリュータグを含み、上記バリュータグは、上記システム情報の内容が変わったかどうかを上記ユーザ機器が判定するのに用いられる、又は、
上記インジケーション情報はビットマップを含み、上記ユーザ機器がシステム情報要求を送信することによって各ビットに対応するシステム情報を取得する必要があるかどうかを示すのに、上記ビットマップ内の各ビットの値が用いられる、項目１に記載の方法。
（項目３）
上記方法は、上記ネットワーク側デバイスにより送信されるブロードキャストメッセージを上記ユーザ機器が受信する段階を備え、上記ブロードキャストメッセージはオンデマンドシステム情報のインジケーション情報を含み、上記インジケーション情報は上記第１のシステム情報のインジケーション情報を含み、上記インジケーション情報は、上記ユーザ機器がシステム情報要求を送信してシステム情報を取得する必要があるかどうかを示すのに用いられる、項目１に記載の方法。
（項目４）
上記インジケーション情報はビットマップを含み、上記ビットマップは少なくとも１つのビットを含み、上記ビットマップ内の各ビットの値が、上記ユーザ機器がシステム情報要求を送信することによって各ビットに対応するシステム情報を取得する必要があるかどうかを示す、項目３に記載の方法。
（項目５）
上記ブロードキャストメッセージはさらに、システム情報の１つ若しくは複数の時間−周波数リソース又は１つ若しくは複数の送信機会を含み、
上記ネットワーク側デバイスによりブロードキャストされる上記第１のシステム情報を上記ユーザ機器が受信する上記段階は、
上記１つ若しくは複数の時間−周波数リソース又は上記１つ若しくは複数の送信機会に基づいて、上記ネットワーク側デバイスによりブロードキャストされる上記第１のシステム情報を上記ユーザ機器が受信する段階を有する、項目２から４のいずれか一項に記載の方法。
（項目６）
上記ブロードキャストメッセージはさらに、上記システム情報の監視期間を含み、
上記方法はさらに、
上記ユーザ機器が上記第１のシステム情報を上記監視期間内に受信しなかった場合、上記システム情報要求を上記ネットワーク側デバイスに上記ユーザ機器が送信する段階を備える、項目２から５のいずれか一項に記載の方法。
（項目７）
上記システム情報要求はビットマップを含み、上記ビットマップ内の１つのビットが、上記第１のシステム情報を要求する必要があることを示す、項目１に記載の方法。
（項目８）
上記システム情報要求を送信した後に、上記ユーザ機器は、上記第１のシステム情報の１つ若しくは複数の周期的な時間−周波数リソース又は１つ若しくは複数の周期的な送信機会のうち最も近い時間−周波数リソース又は最も近い送信機会において、上記第１のシステム情報を受信する、項目１から７のいずれか一項に記載の方法。
（項目９）
上記第１のシステム情報は上記第１のシステム情報に適用される有効時間を含む、項目１から８のいずれか一項に記載の方法。
（項目１０）
システム情報要求をネットワーク側デバイスにユーザ機器が送信する上記段階の前に、上記ユーザ機器が、次に受信される上記第１のシステム情報の時間−周波数リソース又は次に受信される上記第１のシステム情報の送信機会において、上記第１のシステム情報を受信しない段階をさらに備える、項目１から９のいずれか一項に記載の方法。
（項目１１）
システム情報を送信するための方法であって、
ユーザ機器により送信されるシステム情報要求をネットワーク側デバイスが受信する段階であって、上記システム情報要求は、第１のシステム情報を上記ネットワーク側デバイスから取得するよう要求するのに用いられる、段階と、
上記第１のシステム情報を上記ネットワーク側デバイスがブロードキャストする段階と
を備える、方法。
（項目１２）
上記方法は、ブロードキャストメッセージを上記ネットワーク側デバイスが送信する段階であって、上記ブロードキャストメッセージはオンデマンドシステム情報のインジケーション情報を含み、上記インジケーション情報は上記第１のシステム情報のインジケーション情報を含む、段階を備え、
上記インジケーション情報は上記システム情報のインデックスを含むか、又は上記インジケーション情報は上記システム情報のインデックス及びバリュータグを含むか、又は上記インジケーション情報は上記システム情報のインデックス及びバリュータグ並びに少なくとも２つのシステム情報の共通バリュータグを含み、上記バリュータグは、上記システム情報の内容が変わったかどうかを上記ユーザ機器が判定するのに用いられる、又は、
上記インジケーション情報はビットマップを含み、上記ユーザ機器がシステム情報要求を送信することによって各ビットに対応するシステム情報を取得する必要があるかどうかを示すのに、上記ビットマップ内の各ビットの値が用いられる、項目１１に記載の方法。
（項目１３）
上記方法は、ブロードキャストメッセージを上記ネットワーク側デバイスが送信する段階を備え、上記ブロードキャストメッセージはオンデマンドシステム情報のインジケーション情報を含み、上記インジケーション情報は上記第１のシステム情報のインジケーション情報を含み、上記インジケーション情報は、上記ユーザ機器がシステム情報要求を送信して上記システム情報を取得する必要があるかどうかを示すのに用いられる、項目１１に記載の方法。
（項目１４）
上記インジケーション情報はビットマップを含み、上記ビットマップは少なくとも１つのビットを含み、上記ビットマップ内の各ビットの値が、上記ユーザ機器がシステム情報要求を送信することによって各ビットに対応するシステム情報を取得する必要があるかどうかを示す、項目１３に記載の方法。
（項目１５）
上記ブロードキャストメッセージは、システム情報の１つ若しくは複数の時間−周波数リソース又は１つ若しくは複数の送信機会を含み、上記１つ若しくは複数の時間−周波数リソース又は上記１つ若しくは複数の送信機会において上記システム情報を取得するよう上記ユーザ機器に指示するのに用いられる、項目１２から１４のいずれか一項に記載の方法。
（項目１６）
上記ブロードキャストメッセージは上記システム情報の監視期間を含み、
１つのケースとして、上記ユーザ機器が上記システム情報を上記監視期間内に受信した場合、上記ユーザ機器は上記システム情報を保存する、又は、
別のケースとして、上記ユーザ機器が上記システム情報を上記監視期間内に受信しなかった場合、上記ユーザ機器は、上記システム情報をブロードキャストするよう上記ネットワーク側デバイスに要求する、項目１２から１４のいずれか一項に記載の方法。
（項目１７）
ブロードキャストされた１つ若しくは複数の周期的な時間−周波数リソース又はブロードキャストされた１つ若しくは複数の周期的な送信機会から最も近い時間−周波数リソース又は最も近い送信機会を上記ネットワーク側デバイスが選択して、上記第１のシステム情報をブロードキャストする段階を備える、項目１１から１６のいずれか一項に記載の方法。
（項目１８）
上記第１のシステム情報は上記第１のシステム情報に適用される有効時間を含む、項目１１から１７のいずれか一項に記載の方法。
（項目１９）
メモリと、送受信機と少なくとも１つのプロセッサとを備えるユーザ機器であって、
上記メモリは命令を格納し、上記メモリと、上記送受信機と、上記少なくとも１つのプロセッサとは回路を用いて相互接続され、上記送受信機は、項目１から１０のいずれか一項に記載の方法における、上記ユーザ機器による情報の送受信のオペレーションを行うように構成され、
上記少なくとも１つのプロセッサは、上記メモリに格納された上記命令を呼び出し、項目１から１０のいずれか一項に記載の方法における、上記ユーザ機器により行われる処理オペレーションを実行する、ユーザ機器。
（項目２０）
メモリと、送受信機と少なくとも１つのプロセッサとを備えるネットワーク側デバイスであって、
上記メモリは命令を格納し、上記メモリと、上記送受信機と、上記少なくとも１つのプロセッサとはケーブルを用いて相互接続され、上記送受信機は、項目１１から１８のいずれか一項に記載の方法における、上記ネットワーク側デバイスによる情報の送受信のオペレーションを行うように構成され、
上記少なくとも１つのプロセッサは、上記メモリに格納された上記命令を呼び出し、項目１１から１８のいずれか一項に記載の方法における、上記ネットワーク側デバイスにより行われる処理オペレーションを実行する、ネットワーク側デバイス。
（項目２１）
ユーザ機器に適用され、少なくとも１つのプロセッサと、メモリと、インタフェース回路とを備えるチップシステムであって、
上記インタフェース回路は上記チップシステムと外部システムとの間の情報交換を担当し、上記メモリと、上記インタフェース回路と、上記少なくとも１つのプロセッサとはケーブルを用いて相互接続され、上記少なくとも１つのメモリは命令を格納し、上記命令は、上記少なくとも１つのプロセッサによって実行され、項目１から１０のいずれか一項に記載の方法における上記ユーザ機器のオペレーションを行う、チップシステム。
（項目２２）
ネットワーク側デバイスに適用され、少なくとも１つのプロセッサと、メモリと、インタフェース回路とを備えるチップシステムであって、
上記インタフェース回路は上記チップシステムと外部システムとの間の情報交換を担当し、上記メモリと、上記インタフェース回路と、上記少なくとも１つのプロセッサとはケーブルを用いて相互接続され、上記少なくとも１つのメモリは命令を格納し、上記命令は、上記少なくとも１つのプロセッサによって実行され、項目１１から１８のいずれか一項に記載の方法における上記ネットワーク側デバイスのオペレーションを行う、チップシステム。
（項目２３）
ユーザ機器に適用されるコンピュータ可読記憶媒体であって、上記コンピュータ可読記憶媒体は命令を格納し、上記命令は、演算処理デバイス上で実行され、項目１から１０のいずれか一項に記載の方法における上記ユーザ機器のオペレーションを行う、コンピュータ可読記憶媒体。
（項目２４）
ネットワーク側デバイスに適用されるコンピュータ可読記憶媒体であって、上記コンピュータ可読記憶媒体は命令を格納し、上記命令は、演算処理デバイス上で実行され、項目１から１８のいずれか一項に記載の方法における上記ネットワーク側デバイスのオペレーションを行う、コンピュータ可読記憶媒体。
（項目２５）
ネットワーク側デバイス及び／又はユーザ機器を備える通信システムであって、
上記ネットワーク側デバイスは項目２０に記載のネットワーク側デバイスであり、上記ユーザ機器は項目１９に記載のユーザ機器である、通信システム。
（項目２６）
ユーザ機器に適用されるコンピュータプログラム製品であって、
上記コンピュータプログラム製品は一連の命令を含み、上記命令は、項目１から１０のいずれか一項に記載の方法における上記ユーザ機器のオペレーションを行うように実行される、コンピュータプログラム製品。
（項目２７）
ネットワーク側デバイスに適用されるコンピュータプログラム製品であって、
上記コンピュータプログラム製品は一連の命令を含み、上記命令は、項目１１から１８のいずれか一項に記載の方法における上記ネットワーク側デバイスのオペレーションを行うように実行される、コンピュータプログラム製品。
【国際調査報告】
2019525616.tif 000029
2019525616.tif 000030
2019525616.tif 000031
2019525616.tif 000032